(57)【要約】【課題】球状のコントローラにおいて構成要素を適切に配置する。【解決手段】ゲームコントローラは、球状の筐体と、振動部と、慣性センサと、操作部と、送信部とを備える。振動部は、筐体の内部に設けられ、振動を発生して当該筐体を振動させる。慣性センサは、筐体の内部であって、当該筐体の中心からの距離が当該筐体の中心から振動部までの距離よりも短い位置に設けられる。操作部は、操作面を有する。操作面は、押し下げることが可能であって、筐体の中心に関して振動部の反対側であって当該筐体上の位置に設けられる。送信部は、操作部への操作に関する情報および慣性センサから出力される情報を外部に送信する。【選択図】図２７
2019202117.tif 000002
【特許請求の範囲】
【請求項１】
球状の筐体と、
前記筐体の内部に設けられ、振動を発生して当該筐体を振動させる振動部と、
前記筐体の内部であって、当該筐体の中心からの距離が当該筐体の中心から前記振動部までの距離よりも短い位置に設けられる慣性センサと、
押し下げることが可能であって、前記筐体の中心に関して前記振動部の反対側であって当該筐体上の位置に設けられる操作面を有する操作部と、
前記操作部への操作に関する情報および前記慣性センサから出力される情報を外部に送信する送信部とを備える、ゲームコントローラ。
【請求項２】
前記ゲームコントローラの重心位置は、前記筐体の中心と当該筐体の表面における所定部位との間に位置する、請求項１に記載のゲームコントローラ。
【請求項３】
前記振動部は、前記筐体の中心と前記所定部位との間に設けられる、請求項２に記載のゲームコントローラ。
【請求項４】
前記振動部は、前記筐体の内壁のうちで、前記所定部位の裏側となる部位に対向する位置に設けられる、請求項２または請求項３に記載のゲームコントローラ。
【請求項５】
前記ゲームコントローラは、
前記筐体の内部に設けられる充電池と、
前記所定部位とは異なる位置に設けられ、前記充電池に電気的に接続される端子とを備える、請求項２から請求項４のいずれか１項に記載のゲームコントローラ。
【請求項６】
前記ゲームコントローラは、
前記筐体の内部に設けられる充電池と、
前記筐体の表面に対して窪んだ位置に設けられ、前記充電池に電気的に接続される端子とを備える、請求項１から請求項４のいずれか１項に記載のゲームコントローラ。
【請求項７】
前記振動部は、前記操作部の前記操作面の中心から前記筐体の中心へと延びる直線の延長線上に設けられる、請求項１から請求項６のいずれか１項に記載のゲームコントローラ。
【請求項８】
前記筐体は、当該筐体の表面の裏側に取付部を有し、
前記振動部は、前記取付部に直接固定される、請求項１から請求項７のいずれか１項に記載のゲームコントローラ。
【請求項９】
前記コントローラの重心位置は、前記筐体の中心に関して前記振動部側に位置する、請求項８に記載のゲームコントローラ。
【請求項１０】
前記振動部は、入力される信号に応じて音声を発生する、請求項８または請求項９に記載のゲームコントローラ。
【請求項１１】
前記ゲームコントローラは、
前記慣性センサが設けられるセンサ電子基板を備え、
前記振動部は、前記センサ電子基板と間隔を空けて設けられる、請求項１から請求項１０のいずれか１項に記載のゲームコントローラ。
【請求項１２】
前記ゲームコントローラは、
前記慣性センサが設けられるセンサ電子基板と、
前記センサ電子基板を保持する基板保持部とを備え、
前記振動部は、前記筐体に直接固定され、
前記基板保持部は、前記筐体に直接固定される、請求項１から請求項１０のいずれか１項に記載のゲームコントローラ。
【請求項１３】
前記振動部は、円柱状の外形形状を有する、請求項１から請求項１２のいずれか１項に記載のゲームコントローラ。
【請求項１４】
前記送信部は、アンテナを有し、
前記筐体の中心と前記操作面の中心とを通る直線に平行な方向に関する前記アンテナの位置は、当該方向に関する当該筐体の中心の位置と、当該方向に関する当該操作部の位置との間となる、請求項１から請求項１３のいずれか１項に記載のゲームコントローラ。
【請求項１５】
前記操作部は、
前記操作面が押し下げられたことに応じて動く可動部を有し、
前記送信部は、アンテナを有し、
前記ゲームコントローラは、
前記可動部の動きに応じて前記操作面に対する押し下げ操作を検知するための接点と、前記アンテナとが設けられる電子基板を備える、請求項１から請求項１３のいずれか１項に記載のゲームコントローラ。
【請求項１６】
前記送信部は、アンテナを有し、
前記筐体は、半球状の第１部分筐体と、半球状の第２部分筐体とを有し、
前記操作部は、前記第１部分筐体に設けられ、
前記アンテナは、前記第１部分筐体の内部に設けられる、請求項１から請求項１３のいずれか１項に記載のゲームコントローラ。
【請求項１７】
前記操作部は、第１入力デバイスであり、
前記ゲームコントローラは、
前記第１入力デバイスとは異なる位置に設けられ、当該第１入力デバイスと同じまたは異なる種類の入力デバイスである第２入力デバイスを備え、
前記第１入力デバイスは、前記筐体の中心および当該第１入力デバイスの操作面の中心を通る直線と、当該筐体の中心および前記第２入力デバイスの操作面の中心を通る直線とが実質的に直交する位置に設けられ、
前記アンテナは、前記筐体の中心と前記第２入力デバイスの操作面の中心とを通る直線に垂直であって当該中心を含む平面よりも前記第１入力デバイス側に設けられる、請求項１４から請求項１６のいずれか１項に記載のゲームコントローラ。
【請求項１８】
前記操作部は、第１入力デバイスであり、
前記ゲームコントローラは、
前記第１入力デバイスとは異なる位置に設けられ、当該第１入力デバイスと同じまたは異なる種類の入力デバイスである第２入力デバイスを備え、
前記第１入力デバイスは、前記筐体の上端部に設けられ、
前記第２入力デバイスは、前記筐体の前端部に設けられ、
前記送信部は、アンテナを有し、
前記アンテナは、前記筐体の中心より前側かつ上側に設けられる、請求項１４から請求項１６のいずれか１項に記載のゲームコントローラ。
【請求項１９】
前記送信部は、アンテナを有し、
前記筐体は、第１半球部と、第２半球部とを有し、
前記操作部は、前記第１半球部に設けられ、
前記アンテナは、前記第１半球部の内部に設けられる、請求項１から請求項１３のいずれか１項に記載のゲームコントローラ。
【請求項２０】
前記操作部は、第１入力デバイスであり、
前記ゲームコントローラは、
前記第１入力デバイスとは異なる位置に設けられ、当該第１入力デバイスと同じまたは異なる種類の入力デバイスである第２入力デバイスを備え、
前記送信部は、アンテナを有し、
前記アンテナは、前記第１入力デバイスの操作面の中心と前記第２入力デバイスの操作面の中心と前記筐体の中心とを通る断面の円形状領域のうちで、当該第１入力デバイスの操作面の中心および当該筐体の中心を通る線分と、当該第２入力デバイスの操作面の中心および当該筐体の中心を通る線分とを半径とし、中心角が劣角となる扇形の領域に、当該アンテナの少なくとも一部が配置されるように設けられる、請求項１から請求項１３のいずれか１項に記載のゲームコントローラ。
【請求項２１】
前記操作部は、
前記操作面が押し下げられたことに応じて動くことが可能な可動部を有し、
前記可動部の動きに応じて前記操作部の前記操作面に対する操作を検知する検知部を備える、請求項１から請求項２０のいずれか１項に記載のゲームコントローラ。
【請求項２２】
前記操作面は、前記筐体の表面と一体的に形成される、請求項２１に記載のゲームコントローラ。
【請求項２３】
前記操作部の前記操作面と、前記筐体の表面のうちの当該操作面の周囲の部分とは、弾性体によって構成され、
前記筐体は、前記弾性体によって構成される表面の内側に設けられ、当該弾性体よりも硬い内壁部を有する、請求項２２に記載のゲームコントローラ。
【請求項２４】
前記可動部は、前記筐体内において当該筐体および前記操作部の前記操作面に覆われる、請求項２１から請求項２３のいずれか１項に記載のゲームコントローラ。
【請求項２５】
前記筐体および／または前記操作部の前記操作面には、当該操作面の位置を示す標識が設けられる、請求項１から請求項２４のいずれか１項に記載のゲームコントローラ。
【請求項２６】
前記操作部の前記操作面は、球面状の形状である、請求項１から請求項２５のいずれか１項に記載のゲームコントローラ。
【請求項２７】
前記筐体にはボタン孔が形成され、
前記操作面は、前記ボタン孔から露出する、請求項１から請求項１９のいずれか１項に記載のゲームコントローラ。
【請求項２８】
前記可動部は、前記筐体の中心と前記操作部の前記操作面の中心とを結ぶ直線に実質的に垂直な回転軸で回動可能であり、
前記可動部の回動に応じて前記操作部の前記操作面に対する操作を検知する検知部を備える、請求項２１から請求項２６のいずれか１項に記載のゲームコントローラ。
【請求項２９】
前記ゲームコントローラは、
当該ゲームコントローラを再起動するための再起動ボタンを備え、
前記再起動ボタンの操作面は、前記筐体の表面に対して窪んだ位置に設けられる、請求項１から請求項２８のいずれか１項に記載のゲームコントローラ。
【請求項３０】
前記筐体は、互いに接続される複数の部分筐体を含み、
前記複数の部分筐体のうち少なくとも１つは、球面状の第１表面を有し、
前記ゲームコントローラは、
前記第１表面に対して窪んだ位置に設けられる窪み面を備え、
前記窪み面には、前記第１表面を有する部分筐体と、当該窪み面とを固定するネジが取り付けられる孔が形成され、
前記ゲームコントローラは、
前記窪み面を覆い、球面状の第２表面を有するカバー部を備える、請求項１から請求項２９のいずれか１項に記載のゲームコントローラ。
【請求項３１】
前記ゲームコントローラは、
前記筐体の内部に設けられる充電池を備え、
前記充電池は、前記筐体の中心から当該充電池までの長さが、当該筐体の中心から前記振動部までの長さよりも短くなる位置に設けられる、請求項１から請求項４のいずれか１項に記載のゲームコントローラ。
【請求項３２】
第１半球部および第２半球部を有する球状の筐体と、
前記第１半球部に設けられる第１操作部と、
前記第１半球部と前記第２半球部との境界上に設けられる第２操作部と、
前記第１操作部への操作に関する情報および前記第２操作部への操作に関する情報を外部に送信する送信部とを備え、
水平面上に載置された場合に、前記第１半球部が上方を向くように、重心が前記第２半球部の内部に位置するゲームコントローラ。
【請求項３３】
前記第１操作部は、前記筐体の表面に設けられた操作面を押し下げることにより入力される、請求項３２に記載のゲームコントローラ。
【請求項３４】
前記第１操作部は、
前記操作面が押し下げられたことに応じて動く可動部を有し、
前記送信部は、アンテナを有し、
前記ゲームコントローラは、
前記可動部の動きに応じて前記操作面に対する押し下げ操作を検知するための接点と、前記アンテナとが設けられる電子基板を備える、請求項３３に記載のゲームコントローラ。
【請求項３５】
前記第１操作部は、
前記操作面が押し下げられたことに応じて動く可動部を有し、
前記可動部は、所定の軸まわりで回動可能であり、前記操作面が押し下げられたことに応じて回動し、
前記ゲームコントローラは、
前記可動部の回動に応じて前記操作面に対する操作を検知する検知部を備える、請求項３３に記載のゲームコントローラ。
【請求項３６】
前記筐体においては、前記第１半球部と前記第２半球部との境界上に開口が形成され、
前記第２操作部は、前記開口から突出するジョイスティックである、請求項３２から請求項３５のいずれか１項に記載のゲームコントローラ。
【請求項３７】
前記送信部は、アンテナを有し、
前記アンテナは、前記第１半球部の内部に設けられる、請求項３２から請求項３６のいずれか１項に記載のゲームコントローラ。
【請求項３８】
前記第２半球部の内部に設けられ、振動を発生して前記筐体を振動させる振動部をさらに備える、請求項３２から請求項３７のいずれか１項に記載のゲームコントローラ。
【請求項３９】
前記筐体は、
前記第１半球部に対応する第１半球状筐体と、
前記第２半球部に対応する第２半球状筐体とを含む、請求項３２から請求項３５、請求項３７、および、請求項３８のいずれか１項に記載のゲームコントローラ。
【請求項４０】
前記筐体は、前記第１半球状筐体と前記第２半球状筐体との間に設けられるリング状筐体をさらに含む、請求項３９に記載のゲームコントローラ。
【請求項４１】
前記リング状筐体は、開口の周りを囲む環状部を有し、
前記第２操作部は、前記開口から突出するジョイスティックである、請求項４０に記載のゲームコントローラ。
【請求項４２】
前記第１操作部は、前記筐体の中心および当該第１操作部の操作面の中心を通る直線と、当該筐体の中心および前記第２操作部の操作面の中心を通る直線とが実質的に直交する位置に設けられる、請求項３２から請求項４１のいずれか１項に記載のゲームコントローラ。
【請求項４３】
前記第１操作部の操作面は、前記筐体の表面と一体的に形成される、請求項３２から請求項４２のいずれか１項に記載のゲームコントローラ。
【請求項４４】
前記筐体および／または前記第１操作部の操作面には、当該操作面の位置を示す標識が設けられる、請求項４３に記載のゲームコントローラ。
【請求項４５】
前記ゲームコントローラは、
当該ゲームコントローラを再起動するための再起動ボタンを備え、
前記再起動ボタンの操作面は、前記筐体の表面に対して窪んだ位置に設けられる、請求項３２から請求項４４のいずれか１項に記載のゲームコントローラ。
【請求項４６】
半球状の第１部分筐体、半球状の第２部分筐体、および、前記第１部分筐体と前記第２部分筐体との間に位置する球帯状の第３部分筐体を有する球状の筐体と、
前記半球状の第１部分筐体の頂点部分に設けられる操作面を有する操作ボタンと、
前記球帯状の第３部分筐体上に設けられるジョイスティックとを備え、
前記球帯状の第３部分筐体は、
前記ジョイスティックの周りを囲む環状部と、
前記環状部から所定方向に向かって延びる帯状の第１帯状部と、
前記環状部から前記所定方向と反対の方向に向かって延びる帯状の第２帯状部とを有する、ゲームコントローラ。
【発明の詳細な説明】
【技術分野】
【０００１】
本発明は、ゲームコントローラに関する。
【背景技術】
【０００２】
従来、球状のコントローラが提供されている（例えば、特許文献１参照）。
【先行技術文献】
【特許文献】
【０００３】
【特許文献１】特開２００５−３３９０８８号公報
【発明の概要】
【発明が解決しようとする課題】
【０００４】
球状のコントローラにおける構成要素の配置に関して改善の余地があった。
【０００５】
それ故、本発明の目的は、球状のコントローラにおいて構成要素を適切に配置することである。
【課題を解決するための手段】
【０００６】
上記の課題を解決すべく、本発明は、以下の（１）〜（４６）の構成を採用した。
【０００７】
（１）
本発明の一例は、球状の筐体と、振動部と、慣性センサと、操作部と、送信部とを備えるゲームコントローラである。振動部は、筐体の内部に設けられ、振動を発生して当該筐体を振動させる。慣性センサは、筐体の内部であって、当該筐体の中心からの距離が当該筐体の中心から振動部までの距離よりも短い位置に設けられる。操作部は、操作面を有する。操作面は、押し下げることが可能であって、筐体の中心に関して振動部の反対側であって当該筐体上の位置に設けられる。送信部は、操作部への操作に関する情報および慣性センサから出力される情報を外部に送信する。
【０００８】
上記（１）の構成によれば、慣性センサを振動部から離して配置することによって、慣性センサは振動部による振動の影響を受けにくくなる。これによって、慣性センサによる検出精度を向上することができる。また、操作部と振動部とを筐体の中心に関して反対側に配置することによって、振動部の振動が操作部に伝わりにくくすることができる。これによって、操作部に対する操作の操作性を向上することができる。このように、上記（１）の構成によれば、球状のゲームコントローラにおいて構成要素（すなわち、振動部、慣性センサ、および、操作部）を適切に配置することができる。
【０００９】
（２）
ゲームコントローラの重心位置は、筐体の中心と当該筐体の表面における所定部位との間に位置してもよい。
【００１０】
（３）
振動部は、筐体の中心と所定部位との間に設けられてもよい。
【００１１】
上記（３）の構成によれば、振動部の重さによってゲームコントローラの重心位置を筐体の中心と所定部位との間の位置に設定することができる。
【００１２】
（４）
振動部は、筐体の内壁のうちで、所定部位の裏側となる部位に対向する位置に設けられてもよい。
【００１３】
上記（４）の構成によれば、ゲームコントローラの重心位置を上記所定部位に近づけることができる。これによって、外力を加えない状態でゲームコントローラを水平面に載置した際に、上記所定部位で接地する状態でゲームコントローラが安定しやすくなる。
【００１４】
（５）
ゲームコントローラは、充電池と、端子とを備えてもよい。充電池は、筐体の内部に設けられる。端子は、所定部位とは異なる位置に設けられ、充電池に電気的に接続される。
【００１５】
上記（５）の構成によれば、ゲームコントローラを外力が加えられない状態で水平面に載置した場合に端子が下向きにならない。これによって、例えば、ユーザにとっては端子を見つけやすくなり、また、端子に充電機器等を接続しやすくなる。このように、上記（５）の構成によれば、ゲームコントローラの利便性を向上することができる。
【００１６】
（６）
ゲームコントローラは、充電池と、端子とを備えてもよい。充電池は、筐体の内部に設けられる。端子は、筐体の表面に対して窪んだ位置に設けられ、充電池に電気的に接続される。
【００１７】
上記（６）の構成によれば、筐体の球面に対して窪んだ位置に端子が設けられるので、ゲームコントローラが載置された面に端子が接触する可能性を低減することができる。
【００１８】
（７）
振動部は、操作部の操作面の中心から筐体の中心へと延びる直線の延長線上に設けられてもよい。
【００１９】
上記（７）の構成によれば、ゲームコントローラを外力が加えられない状態で水平面に載置した場合には、操作部が設けられる側が下向きになりにくい。これによって、ユーザが意図しないにもかかわらず当該操作部が操作されてしまう可能性を低減することができる。
【００２０】
（８）
筐体は、当該筐体の表面の裏側に取付部を有してもよい。振動部は、取付部に直接固定されてもよい。
【００２１】
上記（８）の構成によれば、振動部による振動を筐体に対して効率良く伝達することができる。
【００２２】
（９）
コントローラの重心位置は、筐体の中心に関して振動部側に位置してもよい。
【００２３】
上記（９）の構成によれば、振動部の重さによってゲームコントローラの重心位置を筐体の中心より振動部側の位置に設定することができる。これによれば、錘を用いなくてもゲームコントローラの重心位置を設定することができるので、ゲームコントローラの構成を簡易化することができる。
【００２４】
（１０）
振動部は、入力される信号に応じて音声を発生してもよい。
【００２５】
上記（１０）の構成によれば、ゲームコントローラは、振動部によって音を出力することができる。
【００２６】
（１１）
ゲームコントローラは、慣性センサが設けられるセンサ電子基板を備えてもよい。振動部は、センサ電子基板と間隔を空けて設けられてもよい。
【００２７】
上記（１１）の構成によれば、慣性センサは振動部による振動の影響を受けにくくなるので、慣性センサによる検知を正確に行うことができる。
【００２８】
（１２）
ゲームコントローラは、慣性センサが設けられるセンサ電子基板と、センサ電子基板を保持する基板保持部とを備えてもよい。振動部は、筐体に直接固定されてもよい。基板保持部は、筐体に直接固定されてもよい。
【００２９】
上記（１２）の構成によれば、慣性センサは振動部による振動の影響を受けにくくなるので、慣性センサによる検知を正確に行うことができる。
【００３０】
（１３）
振動部は、円柱状の外形形状を有してもよい。
【００３１】
上記（１３）の構成によれば、筐体内の空間を効率良く利用することができる。
【００３２】
（１４）
送信部は、アンテナを有してもよい。筐体の中心と操作面の中心とを通る直線に平行な方向に関するアンテナの位置は、当該方向に関する当該筐体の中心の位置と、当該方向に関する当該操作部の位置との間となってもよい。
【００３３】
（１５）
操作部は、操作面が押し下げられたことに応じて動く可動部を有してもよい。送信部は、アンテナを有してもよい。ゲームコントローラは、電子基板を備えてもよい。電子基板には、可動部の動きに応じて操作面に対する押し下げ操作を検知するための接点と、アンテナとが設けられる。
【００３４】
（１６）
送信部は、アンテナを有してもよい。筐体は、半球状の第１部分筐体と、半球状の第２部分筐体とを有してもよい。操作部は、第１部分筐体に設けられてもよい。アンテナは、第１部分筐体の内部に設けられてもよい。
【００３５】
（１７）
操作部は、第１入力デバイスであってもよい。ゲームコントローラは、第２入力デバイスを備えてもよい。第２入力デバイスは、第１入力デバイスとは異なる位置に設けられ、当該第１入力デバイスと同じまたは異なる種類の入力デバイスである。第１入力デバイスは、筐体の中心および当該第１入力デバイスの操作面の中心を通る直線と、当該筐体の中心および第２入力デバイスの操作面の中心を通る直線とが実質的に直交する位置に設けられてもよい。アンテナは、筐体の中心と第２入力デバイスの操作面の中心とを通る直線に垂直であって当該中心を含む平面よりも第１入力デバイス側に設けられてもよい。
【００３６】
（１８）
操作部は、第１入力デバイスであってもよい。ゲームコントローラは、第２入力デバイスを備えてもよい。第２入力デバイスは、第１入力デバイスとは異なる位置に設けられ、当該第１入力デバイスと同じまたは異なる種類の入力デバイスである。第１入力デバイスは、筐体の上端部に設けられてもよい。第２入力デバイスは、筐体の前端部に設けられてもよい。送信部は、アンテナを有してもよい。アンテナは、筐体の中心より前側かつ上側に設けられてもよい。
【００３７】
（１９）
送信部は、アンテナを有してもよい。筐体は、第１半球部と、第２半球部とを有してもよい。操作部は、第１半球部に設けられてもよい。アンテナは、第１半球部の内部に設けられてもよい。
【００３８】
（２０）
操作部は、第１入力デバイスであってもよい。ゲームコントローラは、第２入力デバイスを備えてもよい。第２入力デバイスは、第１入力デバイスとは異なる位置に設けられ、当該第１入力デバイスと同じまたは異なる種類の入力デバイスである。送信部は、アンテナを有してもよい。アンテナは、扇形の領域に、当該アンテナの少なくとも一部が配置されるように設けられてもよい。上記扇形の領域は、第１入力デバイスの操作面の中心と第２入力デバイスの操作面の中心と筐体の中心とを通る断面の円形状領域のうちで、当該第１入力デバイスの操作面の中心および当該筐体の中心を通る線分と、当該第２入力デバイスの操作面の中心および当該筐体の中心を通る線分とを半径とし、中心角が劣角となる扇形の領域である。
【００３９】
（２１）
操作部は、操作面が押し下げられたことに応じて動くことが可能な可動部を有してもよい。ゲームコントローラは、可動部の動きに応じて操作部の操作面に対する操作を検知する検知部を備えてもよい。
【００４０】
上記（２１）の構成によれば、ゲームコントローラは、操作面が押し下げられたことを簡易な構成によって検知することができる。
【００４１】
（２２）
操作面は、筐体の表面と一体的に形成されてもよい。
【００４２】
上記（２２）の構成によれば、ゲームコントローラの外観を球により近い形状とすることができる。
【００４３】
（２３）
操作部の操作面と、筐体の表面のうちの当該操作面の周囲の部分とは、弾性体によって構成されてもよい。筐体は、内壁部を有していてもよい。内壁部は、弾性体によって構成される表面の内側に設けられ、当該弾性体よりも硬い。
【００４４】
上記（２３）の構成によれば、筐体の表面と一体的に形成される操作面を押し下げ可能な構成とすることができる。
【００４５】
（２４）
可動部は、筐体内において当該筐体および操作部の操作面に覆われてもよい。
【００４６】
上記（２４）の構成によれば、ゲームコントローラの外観を球により近い形状とすることができる。
【００４７】
（２５）
筐体および／または操作部の操作面には、当該操作面の位置を示す標識が設けられてもよい。
【００４８】
上記（２５）の構成によれば、ユーザは、筐体の表面のうちの操作面がどこであるのかを容易に認識することができる。
【００４９】
（２６）
操作部の操作面は、球面状の形状であってもよい。
【００５０】
上記（２６）の構成によれば、ゲームコントローラの外観を球により近い形状とすることができる。
【００５１】
（２７）
筐体にはボタン孔が形成されてもよい。操作面は、ボタン孔から露出してもよい。
【００５２】
上記（２７）の構成によれば、操作面の位置をユーザにわかりやすくすることができる。
【００５３】
（２８）
可動部は、筐体の中心と操作部の操作面の中心とを結ぶ直線に実質的に垂直な回転軸で回動可能であってもよい。ゲームコントローラは、可動部の回動に応じて操作部の操作面に対する操作を検知する検知部を備えてもよい。
【００５４】
上記（２８）の構成によれば、操作面のうちで押し下げられた位置がどこであっても、検知部は押し下げ操作を検知しやすくなる。これによって、操作面に対する操作が検知されない可能性を低減することができる。
【００５５】
（２９）
ゲームコントローラは、当該ゲームコントローラを再起動するための再起動ボタンを備えてもよい。再起動ボタンの操作面は、筐体の表面に対して窪んだ位置に設けられてもよい。
【００５６】
上記（２９）の構成によれば、再起動ボタンが誤って操作されてしまう可能性を低減することができる。
【００５７】
（３０）
筐体は、互いに接続される複数の部分筐体を含んでもよい。複数の部分筐体のうち少なくとも１つは、球面状の第１表面を有してもよい。ゲームコントローラは、第１表面に対して窪んだ位置に設けられる窪み面を備えてもよい。窪み面には、第１表面を有する部分筐体と、当該窪み面とを固定するネジが取り付けられる孔が形成されてもよい。ゲームコントローラは、カバー部を備えてもよい。カバー部は、窪み面を覆い、球面状の第２表面を有する。
【００５８】
上記（３０）の構成によれば、筐体の表面とは異なる箇所にネジ孔を設けることによって、ゲームコントローラの外観を球により近い形状とすることができる。
【００５９】
（３１）
ゲームコントローラは、筐体の内部に設けられる充電池を備えてもよい。充電池は、筐体の中心から当該充電池までの長さが、当該筐体の中心から振動部までの長さよりも短くなる位置に設けられてもよい。
【００６０】
上記（３１）の構成によれば、充電池を安全に保護することができる。
【００６１】
（３２）
本発明の他の一例は、球状の筐体と、第１操作部と、第２操作部と、送信部とを備えるゲームコントローラである。球状の筐体は、第１半球部および第２半球部を有する。第１操作部は、第１半球部に設けられる。第２操作部は、第１半球部と第２半球部との境界上に設けられる。送信部は、第１操作部への操作に関する情報および第２操作部への操作に関する情報を外部に送信する。ゲームコントローラの重心は、水平面上に載置された場合に第１半球部が上方を向くように、第２半球部の内部に位置する。
【００６２】
上記（３２）の構成によれば、ゲームコントローラを外力が加えられない状態で水平面に載置した場合には、各操作部が設けられる側が下向きになりにくい。そのため、ユーザは、載置されているゲームコントローラを手に取って操作する際に、正しい向きでゲームコントローラを把持しやすくなる。したがって、上記（３２）の構成によれば、球状のゲームコントローラにおいて構成要素を適切に配置することができる。  
【００６３】
（３３）
第１操作部は、筐体の表面に設けられた操作面を押し下げることにより入力されてもよい。
【００６４】
（３４）
第１操作部は、操作面が押し下げられたことに応じて動く可動部を有してもよい。送信部は、アンテナを有してもよい。ゲームコントローラは、電子基板を備えてもよい。電子基板には、可動部の動きに応じて操作面に対する押し下げ操作を検知するための接点と、アンテナとが設けられる。
【００６５】
（３５）
第１操作部は、操作面が押し下げられたことに応じて動く可動部を有してもよい。可動部は、所定の軸まわりで回動可能であり、操作面が押し下げられたことに応じて回動してもよい。ゲームコントローラは、可動部の回動に応じて操作面に対する操作を検知する検知部を備えてもよい。
【００６６】
上記（３５）の構成によれば、操作面のうちで押し下げられた位置がどこであっても、検知部は押し下げ操作を検知しやすくなる。これによって、操作面に対する操作が検知されない可能性を低減することができる。
【００６７】
（３６）
筐体においては、第１半球部と第２半球部との境界上に開口が形成されてもよい。第２操作部は、開口から突出するジョイスティックであってもよい。
【００６８】
上記（３６）の構成によれば、ユーザは、球状のゲームコントローラを用いて、ジョイスティックによる方向入力操作を行うことができる。これによって、詳細な操作が可能なゲームコントローラを提供することができる。
【００６９】
（３７）
送信部は、アンテナを有してもよい。アンテナは、第１半球部の内部に設けられてもよい。
【００７０】
（３８）
ゲームコントローラは、振動部をさらに備えてもよい。振動部は、第２半球部の内部に設けられ、振動を発生して筐体を振動させる。
【００７１】
上記（３８）の構成によれば、ゲームコントローラは、振動部による振動を出力することができる。
【００７２】
（３９）
筐体は、第１半球部に対応する第１半球状筐体と、第２半球部に対応する第２半球状筐体とを含んでもよい。
【００７３】
上記（３９）の構成によれば、ゲームコントローラは、２つの半球状筐体の位置関係によって、ゲームコントローラの向きをユーザに認識させることができる。
【００７４】
（４０）
筐体は、第１半球状筐体と第２半球状筐体との間に設けられるリング状筐体をさらに含んでもよい。
【００７５】
（４１）
リング状筐体は、開口の周りを囲む環状部を有してもよい。第２操作部は、開口から突出するジョイスティックであってもよい。
【００７６】
上記（４１）の構成によれば、ユーザは、第１半球状筐体と第２半球状筐体との位置関係によって、ジョイスティックに対する適切な入力方向を認識しやすくなる。
【００７７】
（４２）
第１操作部は、筐体の中心および当該第１操作部の操作面の中心を通る直線と、当該筐体の中心および第２操作部の操作面の中心を通る直線とが実質的に直交する位置に設けられてもよい。
【００７８】
上記（４２）の構成によれば、ユーザは、第１操作部の操作面と第２操作部の操作面とを片手の２つの指で（例えば、親指と人差し指で）容易に操作することができる。これによって、ゲームコントローラの操作性を向上することができる。
【００７９】
（４３）
第１操作部の操作面は、筐体の表面と一体的に形成されてもよい。
【００８０】
（４４）
筐体および／または第１操作部の操作面には、当該操作面の位置を示す標識が設けられてもよい。
【００８１】
上記（４４）の構成によれば、ユーザは、筐体の表面のうちの操作面がどこであるのかを容易に認識することができる。
【００８２】
（４５）
ゲームコントローラは、当該ゲームコントローラを再起動するための再起動ボタンを備えてもよい。再起動ボタンの操作面は、筐体の表面に対して窪んだ位置に設けられてもよい。
【００８３】
上記（４５）の構成によれば、再起動ボタンが誤って操作されてしまう可能性を低減することができる。
【００８４】
（４６）
本発明の他の一例は、球状の筐体と、操作ボタンと、ジョイスティックとを備えるゲームコントローラである。球状の筐体は、半球状の第１部分筐体、半球状の第２部分筐体、および、第１部分筐体と第２部分筐体との間に位置する球帯状の第３部分筐体を有する。操作ボタンは、半球状の第１部分筐体の頂点部分に設けられる操作面を有する。ジョイスティックは、球帯状の第３部分筐体上に設けられる。球帯状の第３部分筐体は、ジョイスティックの周りを囲む環状部と、環状部から所定方向に向かって延びる帯状の第１帯状部と、環状部から所定方向と反対の方向に向かって延びる帯状の第２帯状部とを有する。
【００８５】
上記（４６）の構成によれば、ジョイスティックおよび操作ボタンをユーザにとって操作しやすい位置に配置することができる。また、ユーザは、第３部分筐体によって、ジョイスティックに対する適切な入力方向を認識しやすくなる。したがって、球状のコントローラにおいて構成要素を適切に配置することができる。
【００８６】
なお、本発明の別の一例は、上記（１）〜（４６）におけるゲームコントローラと、当該ゲームコントローラと通信可能な情報処理装置とを含む情報処理システムであってもよい。
【発明の効果】
【００８７】
本発明によれば、球状のコントローラにおいて構成要素を適切に配置することができる。
【図面の簡単な説明】
【００８８】
【図１】本体装置に左コントローラおよび右コントローラを装着した状態の一例を示す図
【図２】本体装置から左コントローラおよび右コントローラをそれぞれ外した状態の一例を示す図
【図３】本体装置の一例を示す六面図
【図４】左コントローラの一例を示す六面図
【図５】右コントローラの一例を示す六面図
【図６】本体装置の内部構成の一例を示すブロック図
【図７】本体装置と左コントローラおよび右コントローラとの内部構成の一例を示すブロック図
【図８】球状コントローラの一例を示す斜視図
【図９】球状コントローラの一例を示す斜視図
【図１０】コントローラ本体部の一例を示す六面図
【図１１】筐体の一例を示す図
【図１２】コントローラ本体部をユーザが把持した様子の一例を示す図
【図１３】ジョイスティックと操作面との位置関係の一例を示す図
【図１４】ジョイスティックと操作面との位置関係の一例を示す図
【図１５】上部ユニットの一例の分解斜視図
【図１６】上部ユニットの一例の分解斜視図
【図１７】上部ユニットの一例の断面図
【図１８】操作面が押し下げられた状態における上部ユニットの一例の断面図
【図１９】中部ユニットの一例の分解斜視図
【図２０】中部ユニットの一例の分解斜視図
【図２１】中部ユニットの一例の断面図
【図２２】中部分筐体、導光部、および、メイン基板の位置関係の一例を示す斜視図
【図２３】下部ユニットの一例の分解斜視図
【図２４】上部ユニットの一例と中部ユニットの一例との分解斜視図
【図２５】コントローラ本体部の一例の分解斜視図
【図２６】コントローラ本体部の一例の分解斜視図
【図２７】コントローラ本体部の一例の断面図
【図２８】球状コントローラの一例の前端部分付近を模式的に示す図
【図２９】カバー部を外した状態におけるコントローラ本体部の一例の背面図
【図３０】コントローラ本体部が発光する様子の一例を示す図
【図３１】導光部の一例を示す斜視図
【図３２】導光部の一例を示す六面図
【図３３】左延伸部内を光が通過する様子の一例を模式的に示す図
【図３４】周囲部の裏側面の一例を示す図
【図３５】周囲部の断面の一例を模式的に示す断面図
【図３６】発光部における発光素子の配置の一例を示す図
【図３７】球状コントローラの電気的な接続関係の一例を示すブロック図
【発明を実施するための形態】
【００８９】
［１．球状コントローラが用いられるゲームシステム］
本実施形態の一例に係る球状コントローラについて説明する前に、まず、当該球状コントローラが用いられるゲームシステムについて説明する。本実施形態におけるゲームシステム１の一例は、本体装置（情報処理装置；本実施形態ではゲーム装置本体として機能する）２と左コントローラ３および右コントローラ４とを含む。本体装置２は、左コントローラ３および右コントローラ４がそれぞれ着脱可能である。つまり、ゲームシステム１は、左コントローラ３および右コントローラ４をそれぞれ本体装置２に装着して一体化された装置として利用できる。また、ゲームシステム１は、本体装置２と左コントローラ３および右コントローラ４とを別体として利用することもできる（図２参照）。以下では、本実施形態のゲームシステム１のハードウェア構成について説明し、その後に本実施形態のゲームシステム１の制御について説明する。
【００９０】
図１は、本体装置２に左コントローラ３および右コントローラ４を装着した状態の一例を示す図である。図１に示すように、左コントローラ３および右コントローラ４は、それぞれ本体装置２に装着されて一体化されている。本体装置２は、ゲームシステム１における各種の処理（例えば、ゲーム処理）を実行する装置である。本体装置２は、ディスプレイ１２を備える。左コントローラ３および右コントローラ４は、ユーザが入力を行うための操作部を備える装置である。
【００９１】
図２は、本体装置２から左コントローラ３および右コントローラ４をそれぞれ外した状態の一例を示す図である。図１および図２に示すように、左コントローラ３および右コントローラ４は、本体装置２に着脱可能である。なお、以下において、左コントローラ３および右コントローラ４の総称として「コントローラ」と記載することがある。
【００９２】
図３は、本体装置２の一例を示す六面図である。図３に示すように、本体装置２は、略板状のハウジング１１を備える。本実施形態において、ハウジング１１の主面（換言すれば、表側の面、すなわち、ディスプレイ１２が設けられる面）は、大略的には矩形形状である。
【００９３】
なお、ハウジング１１の形状および大きさは、任意である。一例として、ハウジング１１は、携帯可能な大きさであってよい。また、本体装置２単体または本体装置２に左コントローラ３および右コントローラ４が装着された一体型装置は、携帯型装置となってもよい。また、本体装置２または一体型装置が手持ち型の装置となってもよい。また、本体装置２または一体型装置が可搬型装置となってもよい。
【００９４】
図３に示すように、本体装置２は、ハウジング１１の主面に設けられるディスプレイ１２を備える。ディスプレイ１２は、本体装置２が生成した画像を表示する。本実施形態においては、ディスプレイ１２は、液晶表示装置（ＬＣＤ）とする。ただし、ディスプレイ１２は任意の種類の表示装置であってよい。
【００９５】
また、本体装置２は、ディスプレイ１２の画面上にタッチパネル１３を備える。本実施形態においては、タッチパネル１３は、マルチタッチ入力が可能な方式（例えば、静電容量方式）のものである。ただし、タッチパネル１３は、任意の種類のものであってよく、例えば、シングルタッチ入力が可能な方式（例えば、抵抗膜方式）のものであってもよい。
【００９６】
本体装置２は、ハウジング１１の内部においてスピーカ（すなわち、図６に示すスピーカ８８）を備えている。図３に示すように、ハウジング１１の主面には、スピーカ孔１１ａおよび１１ｂが形成される。そして、スピーカ８８の出力音は、これらのスピーカ孔１１ａおよび１１ｂからそれぞれ出力される。
【００９７】
また、本体装置２は、本体装置２が左コントローラ３と有線通信を行うための端子である左側端子１７と、本体装置２が右コントローラ４と有線通信を行うための右側端子２１を備える。
【００９８】
図３に示すように、本体装置２は、スロット２３を備える。スロット２３は、ハウジング１１の上側面に設けられる。スロット２３は、所定の種類の記憶媒体を装着可能な形状を有する。所定の種類の記憶媒体は、例えば、ゲームシステム１およびそれと同種の情報処理装置に専用の記憶媒体（例えば、専用メモリカード）である。所定の種類の記憶媒体は、例えば、本体装置２で利用されるデータ（例えば、アプリケーションのセーブデータ等）、および／または、本体装置２で実行されるプログラム（例えば、アプリケーションのプログラム等）を記憶するために用いられる。また、本体装置２は、電源ボタン２８を備える。
【００９９】
本体装置２は、下側端子２７を備える。下側端子２７は、本体装置２がクレードルと通信を行うための端子である。本実施形態において、下側端子２７は、ＵＳＢコネクタ（より具体的には、メス側コネクタ）である。上記一体型装置または本体装置２単体をクレードルに載置した場合、ゲームシステム１は、本体装置２が生成して出力する画像を据置型モニタに表示することができる。また、本実施形態においては、クレードルは、載置された上記一体型装置または本体装置２単体を充電する機能を有する。また、クレードルは、ハブ装置（具体的には、ＵＳＢハブ）の機能を有する。
【０１００】
図４は、左コントローラ３の一例を示す六面図である。図４に示すように、左コントローラ３は、ハウジング３１を備える。本実施形態においては、ハウジング３１は、縦長の形状、すなわち、上下方向（すなわち、図１および図４に示すｙ軸方向）に長い形状である。左コントローラ３は、本体装置２から外された状態において、縦長となる向きで把持されることも可能である。ハウジング３１は、縦長となる向きで把持される場合に片手、特に左手で把持可能な形状および大きさをしている。また、左コントローラ３は、横長となる向きで把持されることも可能である。左コントローラ３が横長となる向きで把持される場合には、両手で把持されるようにしてもよい。
【０１０１】
左コントローラ３は、アナログスティック３２を備える。図４に示すように、アナログスティック３２は、ハウジング３１の主面に設けられる。アナログスティック３２は、方向を入力することが可能な方向入力部として用いることができる。ユーザは、アナログスティック３２を傾倒することによって傾倒方向に応じた方向の入力（および、傾倒した角度に応じた大きさの入力）が可能である。なお、左コントローラ３は、方向入力部として、アナログスティックに代えて、十字キーまたはスライド入力が可能なスライドスティック等を備えるようにしてもよい。また、本実施形態においては、アナログスティック３２を押下する入力が可能である。
【０１０２】
左コントローラ３は、各種操作ボタンを備える。左コントローラ３は、ハウジング３１の主面上に４つの操作ボタン３３〜３６（具体的には、右方向ボタン３３、下方向ボタン３４、上方向ボタン３５、および左方向ボタン３６）を備える。さらに、左コントローラ３は、録画ボタン３７および−（マイナス）ボタン４７を備える。左コントローラ３は、ハウジング３１の側面の左上に第１Ｌボタン３８およびＺＬボタン３９を備える。また、左コントローラ３は、ハウジング３１の側面の、本体装置２に装着される際に装着される側の面に第２Ｌボタン４３および第２Ｒボタン４４を備える。これらの操作ボタンは、本体装置２で実行される各種プログラム（例えば、ＯＳプログラムやアプリケーションプログラム）に応じた指示を行うために用いられる。
【０１０３】
また、左コントローラ３は、左コントローラ３が本体装置２と有線通信を行うための端子４２を備える。
【０１０４】
図５は、右コントローラ４の一例を示す六面図である。図５に示すように、右コントローラ４は、ハウジング５１を備える。本実施形態においては、ハウジング５１は、縦長の形状、すなわち、上下方向に長い形状である。右コントローラ４は、本体装置２から外された状態において、縦長となる向きで把持されることも可能である。ハウジング５１は、縦長となる向きで把持される場合に片手、特に右手で把持可能な形状および大きさをしている。また、右コントローラ４は、横長となる向きで把持されることも可能である。右コントローラ４が横長となる向きで把持される場合には、両手で把持されるようにしてもよい。
【０１０５】
右コントローラ４は、左コントローラ３と同様、方向入力部としてアナログスティック５２を備える。本実施形態においては、アナログスティック５２は、左コントローラ３のアナログスティック３２と同じ構成である。また、右コントローラ４は、アナログスティックに代えて、十字キーまたはスライド入力が可能なスライドスティック等を備えるようにしてもよい。また、右コントローラ４は、左コントローラ３と同様、ハウジング５１の主面上に４つの操作ボタン５３〜５６（具体的には、Ａボタン５３、Ｂボタン５４、Ｘボタン５５、およびＹボタン５６）を備える。さらに、右コントローラ４は、＋（プラス）ボタン５７およびホームボタン５８を備える。また、右コントローラ４は、ハウジング５１の側面の右上に第１Ｒボタン６０およびＺＲボタン６１を備える。また、右コントローラ４は、左コントローラ３と同様、第２Ｌボタン６５および第２Ｒボタン６６を備える。
【０１０６】
また、ハウジング５１の下側面には、窓部６８が設けられる。詳細は後述するが、右コントローラ４は、ハウジング５１の内部に配置される赤外撮像部１２３および赤外発光部１２４を備えている。赤外撮像部１２３は、右コントローラ４の下方向（図５に示すｙ軸負方向）を撮像方向として、窓部６８を介して右コントローラ４の周囲を撮像する。赤外発光部１２４は、右コントローラ４の下方向（図５に示すｙ軸負方向）を中心とする所定範囲を照射範囲として、赤外撮像部１２３が撮像する撮像対象に窓部６８を介して赤外光を照射する。窓部６８は、赤外撮像部１２３のカメラのレンズや赤外発光部１２４の発光体等を保護するためのものであり、当該カメラが検知する波長の光や当該発光体が照射する光を透過する材質（例えば、透明な材質）で構成される。なお、窓部６８は、ハウジング５１に形成された孔であってもよい。なお、本実施形態においては、カメラが検知する光（本実施形態においては、赤外光）以外の波長の光の透過を抑制するフィルタ部材を赤外撮像部１２３自身が有する。ただし、他の実施形態においては、窓部６８がフィルタの機能を有していてもよい。
【０１０７】
また、詳細は後述するが、右コントローラ４は、ＮＦＣ通信部１２２を備える。ＮＦＣ通信部１２２は、ＮＦＣ（Ｎｅａｒ  Ｆｉｅｌｄ  Ｃｏｍｍｕｎｉｃａｔｉｏｎ）の規格に基づく近距離無線通信を行う。ＮＦＣ通信部１２２は、近距離無線通信に用いられるアンテナ１２２ａと、アンテナ１２２ａから送出すべき信号（電波）を生成する回路（例えばＮＦＣチップ）とを有する。なお、ＮＦＣ通信部１２２は、ＮＦＣの規格に基づく近距離無線通信を行う代わりに、任意の近接通信（非接触通信とも言う）で近距離無線通信を行うようにしてもよい。ここで、ＮＦＣの規格は、近接通信（非接触通信）に用いることができるものであり、「任意の近接通信で近距離無線通信を行うようにしてもよい」とは、ＮＦＣの規格による近接通信を除いた他の近接通信で近距離無線通信を行ってもよいことを意図している。
【０１０８】
また、右コントローラ４は、右コントローラ４が本体装置２と有線通信を行うための端子６４を備える。
【０１０９】
図６は、本体装置２の内部構成の一例を示すブロック図である。本体装置２は、図３に示す構成の他、図６に示す各構成要素８１〜９１、９７、および９８を備える。これらの構成要素８１〜９１、９７、および９８のいくつかは、電子部品として電子回路基板上に実装されてハウジング１１内に収納されてもよい。
【０１１０】
本体装置２は、プロセッサ８１を備える。プロセッサ８１は、本体装置２において実行される各種の情報処理を実行する情報処理部であって、例えば、ＣＰＵ（Ｃｅｎｔｒａｌ  Ｐｒｏｃｅｓｓｉｎｇ  Ｕｎｉｔ）のみから構成されてもよいし、ＣＰＵ機能、ＧＰＵ（Ｇｒａｐｈｉｃｓ  Ｐｒｏｃｅｓｓｉｎｇ  Ｕｎｉｔ）機能等の複数の機能を含むＳｏＣ（Ｓｙｓｔｅｍ−ｏｎ−ａ−ｃｈｉｐ）から構成されてもよい。プロセッサ８１は、記憶部（具体的には、フラッシュメモリ８４等の内部記憶媒体、あるいは、スロット２３に装着される外部記憶媒体等）に記憶される情報処理プログラム（例えば、ゲームプログラム）を実行することによって、各種の情報処理を実行する。
【０１１１】
本体装置２は、自身に内蔵される内部記憶媒体の一例として、フラッシュメモリ８４およびＤＲＡＭ（Ｄｙｎａｍｉｃ  Ｒａｎｄｏｍ  Ａｃｃｅｓｓ  Ｍｅｍｏｒｙ）８５を備える。フラッシュメモリ８４およびＤＲＡＭ８５は、プロセッサ８１に接続される。フラッシュメモリ８４は、主に、本体装置２に保存される各種のデータ（プログラムであってもよい）を記憶するために用いられるメモリである。ＤＲＡＭ８５は、情報処理において用いられる各種のデータを一時的に記憶するために用いられるメモリである。
【０１１２】
本体装置２は、スロットインターフェース（以下、「Ｉ／Ｆ」と略記する。）９１を備える。スロットＩ／Ｆ９１は、プロセッサ８１に接続される。スロットＩ／Ｆ９１は、スロット２３に接続され、スロット２３に装着された所定の種類の記憶媒体（例えば、専用メモリカード）に対するデータの読み出しおよび書き込みを、プロセッサ８１の指示に応じて行う。
【０１１３】
プロセッサ８１は、フラッシュメモリ８４およびＤＲＡＭ８５、ならびに上記各記憶媒体との間でデータを適宜読み出したり書き込んだりして、上記の情報処理を実行する。
【０１１４】
本体装置２は、ネットワーク通信部８２を備える。ネットワーク通信部８２は、プロセッサ８１に接続される。ネットワーク通信部８２は、ネットワークを介して外部の装置と通信（具体的には、無線通信）を行う。本実施形態においては、ネットワーク通信部８２は、第１の通信態様としてＷｉ−Ｆｉの規格に準拠した方式により、無線ＬＡＮに接続して外部装置と通信を行う。また、ネットワーク通信部８２は、第２の通信態様として所定の通信方式（例えば、独自プロトコルによる通信や、赤外線通信）により、同種の他の本体装置２との間で無線通信を行う。なお、上記第２の通信態様による無線通信は、閉ざされたローカルネットワークエリア内に配置された他の本体装置２との間で無線通信可能であり、複数の本体装置２の間で直接通信することによってデータが送受信される、いわゆる「ローカル通信」を可能とする機能を実現する。
【０１１５】
本体装置２は、コントローラ通信部８３を備える。コントローラ通信部８３は、プロセッサ８１に接続される。コントローラ通信部８３は、左コントローラ３および／または右コントローラ４と無線通信を行う。本体装置２と左コントローラ３および右コントローラ４との通信方式は任意であるが、本実施形態においては、コントローラ通信部８３は、左コントローラ３との間および右コントローラ４との間で、Ｂｌｕｅｔｏｏｔｈ（登録商標）の規格に従った通信を行う。
【０１１６】
プロセッサ８１は、上述の左側端子１７、右側端子２１、および下側端子２７に接続される。プロセッサ８１は、左コントローラ３と有線通信を行う場合、左側端子１７を介して左コントローラ３へデータを送信するとともに、左側端子１７を介して左コントローラ３から操作データを受信する。また、プロセッサ８１は、右コントローラ４と有線通信を行う場合、右側端子２１を介して右コントローラ４へデータを送信するとともに、右側端子２１を介して右コントローラ４から操作データを受信する。また、プロセッサ８１は、クレードルと通信を行う場合、下側端子２７を介してクレードルへデータを送信する。このように、本実施形態においては、本体装置２は、左コントローラ３および右コントローラ４との間で、それぞれ有線通信と無線通信との両方を行うことができる。また、左コントローラ３および右コントローラ４が本体装置２に装着された一体型装置または本体装置２単体がクレードルに装着された場合、本体装置２は、クレードルを介してデータ（例えば、画像データや音声データ）を据置型モニタ等に出力することができる。
【０１１７】
ここで、本体装置２は、複数の左コントローラ３と同時に（換言すれば、並行して）通信を行うことができる。また、本体装置２は、複数の右コントローラ４と同時に（換言すれば、並行して）通信を行うことができる。したがって、複数のユーザは、左コントローラ３および右コントローラ４のセットをそれぞれ用いて、本体装置２に対する入力を同時に行うことができる。一例として、第１ユーザが左コントローラ３および右コントローラ４の第１セットを用いて本体装置２に対して入力を行うと同時に、第２ユーザが左コントローラ３および右コントローラ４の第２セットを用いて本体装置２に対して入力を行うことが可能となる。
【０１１８】
本体装置２は、タッチパネル１３の制御を行う回路であるタッチパネルコントローラ８６を備える。タッチパネルコントローラ８６は、タッチパネル１３とプロセッサ８１との間に接続される。タッチパネルコントローラ８６は、タッチパネル１３からの信号に基づいて、例えばタッチ入力が行われた位置を示すデータを生成して、プロセッサ８１へ出力する。
【０１１９】
また、ディスプレイ１２は、プロセッサ８１に接続される。プロセッサ８１は、（例えば、上記の情報処理の実行によって）生成した画像および／または外部から取得した画像をディスプレイ１２に表示する。
【０１２０】
本体装置２は、コーデック回路８７およびスピーカ（具体的には、左スピーカおよび右スピーカ）８８を備える。コーデック回路８７は、スピーカ８８および音声入出力端子２５に接続されるとともに、プロセッサ８１に接続される。コーデック回路８７は、スピーカ８８および音声入出力端子２５に対する音声データの入出力を制御する回路である。
【０１２１】
また、本体装置２は、加速度センサ８９を備える。本実施形態においては、加速度センサ８９は、所定の３軸（例えば、図１に示すｘｙｚ軸）方向に沿った加速度の大きさを検出する。なお、加速度センサ８９は、１軸方向あるいは２軸方向の加速度を検出するものであってもよい。
【０１２２】
また、本体装置２は、角速度センサ９０を備える。本実施形態においては、角速度センサ９０は、所定の３軸（例えば、図１に示すｘｙｚ軸）回りの角速度を検出する。なお、角速度センサ９０は、１軸回りあるいは２軸回りの角速度を検出するものであってもよい。
【０１２３】
加速度センサ８９および角速度センサ９０は、プロセッサ８１に接続され、加速度センサ８９および角速度センサ９０の検出結果は、プロセッサ８１へ出力される。プロセッサ８１は、上記の加速度センサ８９および角速度センサ９０の検出結果に基づいて、本体装置２の動きおよび／または姿勢に関する情報を算出することが可能である。
【０１２４】
本体装置２は、電力制御部９７およびバッテリ９８を備える。電力制御部９７は、バッテリ９８およびプロセッサ８１に接続される。また、図示しないが、電力制御部９７は、本体装置２の各部（具体的には、バッテリ９８の電力の給電を受ける各部、左側端子１７、および右側端子２１）に接続される。電力制御部９７は、プロセッサ８１からの指令に基づいて、バッテリ９８から上記各部への電力供給を制御する。
【０１２５】
また、バッテリ９８は、下側端子２７に接続される。外部の充電装置（例えば、クレードル）が下側端子２７に接続され、下側端子２７を介して本体装置２に電力が供給される場合、供給された電力がバッテリ９８に充電される。
【０１２６】
図７は、本体装置２と左コントローラ３および右コントローラ４との内部構成の一例を示すブロック図である。なお、本体装置２に関する内部構成の詳細については、図６で示しているため図７では省略している。
【０１２７】
左コントローラ３は、本体装置２との間で通信を行う通信制御部１０１を備える。図７に示すように、通信制御部１０１は、端子４２を含む各構成要素に接続される。本実施形態においては、通信制御部１０１は、端子４２を介した有線通信と、端子４２を介さない無線通信との両方で本体装置２と通信を行うことが可能である。通信制御部１０１は、左コントローラ３が本体装置２に対して行う通信方法を制御する。すなわち、左コントローラ３が本体装置２に装着されている場合、通信制御部１０１は、端子４２を介して本体装置２と通信を行う。また、左コントローラ３が本体装置２から外されている場合、通信制御部１０１は、本体装置２（具体的には、コントローラ通信部８３）との間で無線通信を行う。コントローラ通信部８３と通信制御部１０１との間の無線通信は、例えばＢｌｕｅｔｏｏｔｈ（登録商標）の規格に従って行われる。
【０１２８】
また、左コントローラ３は、例えばフラッシュメモリ等のメモリ１０２を備える。通信制御部１０１は、例えばマイコン（マイクロプロセッサとも言う）で構成され、メモリ１０２に記憶されるファームウェアを実行することによって各種の処理を実行する。
【０１２９】
左コントローラ３は、各ボタン１０３（具体的には、ボタン３３〜３９、４３、４４、および４７）を備える。また、左コントローラ３は、アナログスティック（図７では「スティック」と記載する）３２を備える。各ボタン１０３およびアナログスティック３２は、自身に対して行われた操作に関する情報を、適宜のタイミングで繰り返し通信制御部１０１へ出力する。
【０１３０】
左コントローラ３は、慣性センサを備える。具体的には、左コントローラ３は、加速度センサ１０４を備える。また、左コントローラ３は、角速度センサ１０５を備える。本実施形態においては、加速度センサ１０４は、所定の３軸（例えば、図４に示すｘｙｚ軸）方向に沿った加速度の大きさを検出する。なお、加速度センサ１０４は、１軸方向あるいは２軸方向の加速度を検出するものであってもよい。本実施形態においては、角速度センサ１０５は、所定の３軸（例えば、図４に示すｘｙｚ軸）回りの角速度を検出する。なお、角速度センサ１０５は、１軸回りあるいは２軸回りの角速度を検出するものであってもよい。加速度センサ１０４および角速度センサ１０５は、それぞれ通信制御部１０１に接続される。そして、加速度センサ１０４および角速度センサ１０５の検出結果は、適宜のタイミングで繰り返し通信制御部１０１へ出力される。
【０１３１】
通信制御部１０１は、各入力部（具体的には、各ボタン１０３、アナログスティック３２、各センサ１０４および１０５）から、入力に関する情報（具体的には、操作に関する情報、またはセンサによる検出結果）を取得する。通信制御部１０１は、取得した情報（または取得した情報に所定の加工を行った情報）を含む操作データを本体装置２へ送信する。なお、操作データは、所定時間に１回の割合で繰り返し送信される。なお、入力に関する情報が本体装置２へ送信される間隔は、各入力部について同じであってもよいし、同じでなくてもよい。
【０１３２】
上記操作データが本体装置２へ送信されることによって、本体装置２は、左コントローラ３に対して行われた入力を得ることができる。すなわち、本体装置２は、各ボタン１０３およびアナログスティック３２に対する操作を、操作データに基づいて判別することができる。また、本体装置２は、左コントローラ３の動きおよび／または姿勢に関する情報を、操作データ（具体的には、加速度センサ１０４および角速度センサ１０５の検出結果）に基づいて算出することができる。
【０１３３】
左コントローラ３は、振動によってユーザに通知を行うための振動子１０７を備える。本実施形態においては、振動子１０７は、本体装置２からの指令によって制御される。すなわち、通信制御部１０１は、本体装置２からの上記指令を受け取ると、当該指令に従って振動子１０７を駆動させる。ここで、左コントローラ３は、コーデック部１０６を備える。通信制御部１０１は、上記指令を受け取ると、指令に応じた制御信号をコーデック部１０６へ出力する。コーデック部１０６は、通信制御部１０１からの制御信号から振動子１０７を駆動させるための駆動信号を生成して振動子１０７へ与える。これによって振動子１０７が動作する。
【０１３４】
振動子１０７は、より具体的にはリニア振動モータである。リニア振動モータは、回転運動をする通常のモータと異なり、入力される電圧に応じて所定方向に駆動されるため、入力される電圧の波形に応じた振幅および周波数で振動をさせることができる。本実施形態において、本体装置２から左コントローラ３に送信される振動制御信号は、単位時間ごとに周波数と振幅とを表すデジタル信号であってよい。別の実施形態においては、本体装置２から波形そのものを示す情報を送信するようにしてもよいが、振幅および周波数だけを送信することで通信データ量を削減することができる。また、さらにデータ量を削減するため、そのときの振幅および周波数の数値に替えて、前回の値からの差分だけを送信するようにしてもよい。この場合、コーデック部１０６は、通信制御部１０１から取得される振幅および周波数の値を示すデジタル信号をアナログの電圧の波形に変換し、当該波形に合わせて電圧を入力することで振動子１０７を駆動させる。したがって、本体装置２は、単位時間ごとに送信する振幅および周波数を変えることによって、そのときに振動子１０７を振動させる振幅および周波数を制御することができる。なお、本体装置２から左コントローラ３に送信される振幅および周波数は、１つに限らず、２つ以上送信するようにしてもよい。その場合、コーデック部１０６は、受信された複数の振幅および周波数それぞれが示す波形を合成することで、振動子１０７を制御する電圧の波形を生成することができる。
【０１３５】
左コントローラ３は、電力供給部１０８を備える。本実施形態において、電力供給部１０８は、バッテリおよび電力制御回路を有する。図示しないが、電力制御回路は、バッテリに接続されるとともに、左コントローラ３の各部（具体的には、バッテリの電力の給電を受ける各部）に接続される。
【０１３６】
図７に示すように、右コントローラ４は、本体装置２との間で通信を行う通信制御部１１１を備える。また、右コントローラ４は、通信制御部１１１に接続されるメモリ１１２を備える。通信制御部１１１は、端子６４を含む各構成要素に接続される。通信制御部１１１およびメモリ１１２は、左コントローラ３の通信制御部１０１およびメモリ１０２と同様の機能を有する。したがって、通信制御部１１１は、端子６４を介した有線通信と、端子６４を介さない無線通信（具体的には、Ｂｌｕｅｔｏｏｔｈ（登録商標）の規格に従った通信）との両方で本体装置２と通信を行うことが可能であり、右コントローラ４が本体装置２に対して行う通信方法を制御する。
【０１３７】
右コントローラ４は、左コントローラ３の各入力部と同様の各入力部を備える。具体的には、各ボタン１１３、アナログスティック５２、慣性センサ（加速度センサ１１４および角速度センサ１１５）を備える。これらの各入力部については、左コントローラ３の各入力部と同様の機能を有し、同様に動作する。
【０１３８】
また、右コントローラ４は、振動子１１７およびコーデック部１１６を備える。振動子１１７およびコーデック部１１６は、左コントローラ３の振動子１０７およびコーデック部１０６と同様に動作する。すなわち、通信制御部１１１は、本体装置２からの指令に従って、コーデック部１１６を用いて振動子１１７を動作させる。
【０１３９】
右コントローラ４は、ＮＦＣの規格に基づく近距離無線通信を行うＮＦＣ通信部１２２を備える。ＮＦＣ通信部１２２は、いわゆるＮＦＣリーダ・ライタの機能を有する。ここで、本明細書において近距離無線通信とは、一方の装置（ここでは、右コントローラ４）からの電波によって（例えば電磁誘導によって）他方の装置（ここでは、アンテナ１２２ａと近接する装置）に起電力を発生させる通信方式が含まれる。他方の装置は、発生した起電力によって動作することが可能であり、電源を有していてもよいし有していなくてもよい。ＮＦＣ通信部１２２は、右コントローラ４（アンテナ１２２ａ）と通信対象とが接近した場合（典型的には、両者の距離が十数センチメートル以下となった場合）に当該通信対象との間で通信可能となる。通信対象は、ＮＦＣ通信部１２２との間で近距離無線通信が可能な任意の装置であり、例えばＮＦＣタグやＮＦＣタグの機能を有する記憶媒体である。ただし、通信対象は、ＮＦＣのカードエミュレーション機能を有する他の装置であってもよい。
【０１４０】
また、右コントローラ４は、赤外撮像部１２３を備える。赤外撮像部１２３は、右コントローラ４の周囲を撮像する赤外線カメラを有する。一例として、本体装置２および／または右コントローラ４は、撮像された情報（例えば、撮像された撮像画像における少なくとも一部の領域全体を分割した複数のブロックの輝度に関連する情報等）を算出し、当該情報に基づいて、右コントローラ４の周囲変化を判別する。また、赤外撮像部１２３は、環境光によって撮像を行ってもよいが、本実施形態においては、赤外線を照射する赤外発光部１２４を有する。赤外発光部１２４は、例えば、赤外線カメラが画像を撮像するタイミングと同期して、赤外線を照射する。そして、赤外発光部１２４によって照射された赤外線が撮像対象によって反射され、当該反射された赤外線が赤外線カメラによって受光されることで、赤外線の画像が取得される。これによって、赤外撮像部１２３は、より鮮明な赤外線画像を得ることができる。なお、赤外撮像部１２３と赤外発光部１２４とは、それぞれ別のデバイスとして右コントローラ４内に設けられてもよいし、同じパッケージ内に設けられた単一のデバイスとして右コントローラ４内に設けられてもよい。また、本実施形態においては、赤外線カメラを有する赤外撮像部１２３が用いられるが、他の実施形態においては、撮像手段として、赤外線カメラに代えて可視光カメラ（可視光イメージセンサを用いたカメラ）が用いられてもよい。
【０１４１】
右コントローラ４は、処理部１２１を備える。処理部１２１は、通信制御部１１１に接続される。また、処理部１２１は、ＮＦＣ通信部１２２、赤外撮像部１２３、および赤外発光部１２４に接続される。処理部１２１は、本体装置２からの指令に応じて、ＮＦＣ通信部１２２に対する管理処理を実行する。例えば、処理部１２１は、本体装置２からの指令に応じてＮＦＣ通信部１２２の動作を制御する。また、処理部１２１は、ＮＦＣ通信部１２２の起動を制御したり、通信対象（例えば、ＮＦＣタグ）に対するＮＦＣ通信部１２２の動作（具体的には、読み出しおよび書き込み等）を制御したりする。また、処理部１２１は、通信制御部１１１を介して通信対象に送信されるべき情報を本体装置２から受信してＮＦＣ通信部１２２へ渡したり、通信対象から受信された情報をＮＦＣ通信部１２２から取得して通信制御部１１１を介して本体装置２へ送信したりする。
【０１４２】
また、処理部１２１は、ＣＰＵやメモリ等を含み、右コントローラ４に備えられた図示しない記憶装置（例えば、不揮発性メモリ等）に記憶された所定のプログラム（例えば、画像処理や各種演算を行うためのアプリケーションプログラム）に基づいて、本体装置２からの指令に応じて赤外撮像部１２３に対する管理処理を実行する。例えば、処理部１２１は、赤外撮像部１２３に撮像動作を行わせたり、撮像結果に基づく情報（撮像画像の情報、あるいは、当該情報から算出される情報等）を取得および／または算出して通信制御部１１１を介して本体装置２へ送信したりする。また、処理部１２１は、本体装置２からの指令に応じて赤外発光部１２４に対する管理処理を実行する。例えば、処理部１２１は、本体装置２からの指令に応じて赤外発光部１２４の発光を制御する。なお、処理部１２１が処理を行う際に用いるメモリは、処理部１２１内に設けられてもいいし、メモリ１１２であってもよい。
【０１４３】
右コントローラ４は、電力供給部１１８を備える。電力供給部１１８は、左コントローラ３の電力供給部１０８と同様の機能を有し、同様に動作する。
【０１４４】
［２．球状コントローラ］
次に、本実施形態の一例に係る球状コントローラについて説明する。本実施形態においては、球状コントローラは、本体装置２に対して指示を行うための操作装置として、上記各コントローラ３および４に代えて用いることも可能であるし、上記各コントローラ３および／または４とともに用いることも可能である。以下、球状コントローラの詳細について説明する。
【０１４５】
図８および図９は、球状コントローラの一例を示す斜視図である。図８は、球状コントローラ２００を前方上側から見た斜視図であり、図９は、球状コントローラ２００を後方下側から見た斜視図である。図８および図９に示すように、球状コントローラ２００は、球状のコントローラ本体部２０１と、ストラップ部２０２とを備える。例えば、ユーザは、ストラップ部２０２を腕に掛けつつ、コントローラ本体部２０１を把持した状態で、球状コントローラ２００を使用する。
【０１４６】
ここで、以下における球状コントローラ２００（具体的には、コントローラ本体部２０１）に関する説明においては、上下方向、左右方向、および、前後方向を次のように規定する（図８および図９参照）。すなわち、球状のコントローラ本体部２０１の中心からジョイスティック２１２への向きを前方向（すなわち、図８に示すｚ軸負方向）とし、その反対方向を後方向（すなわち、図８に示すｚ軸正方向）とする。また、前後方向から見た場合にコントローラ本体部２０１の中心から操作面２１３の中心への向きと一致する方向を上方向（すなわち、図８に示すｙ軸正方向）とし、その反対方向を下方向（すなわち、図８に示すｙ軸負方向）とする。さらに、コントローラ本体部２０１の中心から、コントローラ本体部２０１を前側から見て右端となる位置への向きを右方向（すなわち、図８に示すｘ軸正方向）とし、その反対方向を左方向（すなわち、図８に示すｘ軸負方向）とする。なお、上下方向、左右方向、および、前後方向は、互いに直交する。
【０１４７】
［２−１．コントローラ本体部の外観構成］
図１０は、コントローラ本体部の一例を示す六面図である。図１０において、（ａ）は正面図であり、（ｂ）は右側面図であり、（ｃ）は左側面図であり、（ｄ）は平面図であり、（ｅ）は底面図であり、（ｆ）は背面図である。
【０１４８】
図１０に示すように、コントローラ本体部２０１は、球状の形状である。ここで、「球状の形状」とは、外観が概ね球のように見える形状を意味する。球状の形状とは、真球形状であってもよいし、真球の球面に対して欠けている部分、および／または、真球の球面に対して突出している部分を有する形状であってもよい。球状の形状とは、その表面の一部が球面でない形状であってもよい。また、球状の形状とは、真球が若干歪んだ形状であってもよい。
【０１４９】
（筐体）
図１０に示すように、コントローラ本体部２０１は、球状の筐体２１１を備える。本実施形態においては、コントローラ本体部２０１（換言すれば、筐体２１１）は、ユーザが片手で把持することができる大きさである（図１２参照）。筐体２１１の直径は、例えば４ｃｍ〜１０ｃｍの範囲で設定される。
【０１５０】
図１１は、筐体２１１の一例を示す図である。本実施形態においては、筐体２１１の表面のうち、後述する孔または切り欠きが設けられる部分以外の表面は、実質的に球面である。なお、他の実施形態においては、筐体２１１は、球面状の表面に対して突出したり、あるいは、窪んだりする部分を有していてもよい。このような部分は、例えばデザイン上の理由で設けられてもよい。
【０１５１】
ここで、本明細書において、「実質的に（ある状態となる）」とは、厳密にその状態となる場合と、概ねその状態となる場合との両方を含む意味である。例えば、「（表面が）実質的に球面である」とは、表面が厳密に球面となる態様であってもよいし、厳密には球面でなくても概ね球面に沿って設けられる態様であってもよいことを意味する。
【０１５２】
本実施形態においては、筐体２１１は、球体の一部が切り欠かれるとともに、一部に孔を有する形状である。詳細は後述するが、筐体２１１上に操作部（例えば、後述するジョイスティック２１２および再起動ボタン２１４）を設けたり、あるいは、筐体２１１に他の部品（例えば、ストラップ部２０２）を取り付けたりする目的で、筐体２１１には孔が設けられる。
【０１５３】
具体的には、本実施形態においては、筐体２１１の前端部分は、平面となっている（図１０の（ｂ）〜（ｅ）参照）。以下では、筐体の２１１の前端部分の平面を、「前端面」と呼ぶ。筐体２１１は、上記前端面を含む平面で球体を切って当該球体の前端部分を切り落とした形状と言うことができる。図１１に示すように、筐体２１１の前端面には、開口２１１ａが設けられる。詳細は後述するが、ジョイスティック２１２はこの開口２１１ａから露出するように設けられる。本実施形態においては、開口２１１ａの形状は円形であるが、他の実施形態においては、開口２１１ａの形状は任意である。例えば、開口２１１ａは、多角形（具体的には、三角形、四角形、および、五角形等）、楕円形、または、星形の形状であってもよい。
【０１５４】
図１１に示すように、本実施形態においては、筐体２１１は、上部分筐体２２１と、中部分筐体２２２と、下部分筐体２２３とを含む。上部分筐体２２１および下部分筐体２２３は、半球状の形状である。中部分筐体２２２は、上記前端面を含み、上記開口２１１ａが設けられる部分である。これら３つの部分筐体２２１〜２２３を接続することによって球状の筐体２１１となる。
【０１５５】
図１１に示すように、上部分筐体２２１は、半球状の形状を有する。下部分筐体２２３も上部分筐体２２１と同様、半球状の形状を有する。上部分筐体２２１および下部分筐体２２３は、それぞれ、半球状筐体と言うことができる。ここで、「半球状の形状」とは、外観が概ね半球のように見える形状を意味する。球状の形状とは、正確な半球形であってもよいし、半球面に対して欠けている部分、および／または、半球面に対して突出している部分を有する形状であってもよい。半球状の形状とは、その表面の一部が球面でない形状であってもよい。また、半球状の形状とは、真球が若干歪んだ形状の半分の形状であってもよい。
【０１５６】
図１１および後述する図１９に示すように、中部分筐体２２２は、リング状（あるいは、環状ということもできる）の形状を有している。中部分筐体２２２は、上部分筐体２２１と下部分筐体２２３との間に設けられる。本実施形態においては、中部分筐体２２２は、球帯（すなわち、球面を平行な二平面で切ったとき、この間に挟まれる球面の帯状部分）状の形状である。
【０１５７】
このように、本実施形態においては、筐体２１１は、３個の部分筐体によって構成される。なお、他の実施形態においては、筐体２１１を構成する部分筐体の数は何個であってもよく、２個であってもよいし、４個以上であってもよい。また、筐体２１１は、その全体が一体的に形成されてもよい。
【０１５８】
（筐体の外観について）
図１１に示すように、本実施形態においては、２つの部分筐体が接続されることによって、筐体２１１の表面に継ぎ目が形成される。すなわち、上部分筐体２２１と中部分筐体２２２とによって継ぎ目が形成され、中部分筐体２２２と下部分筐体２２３とによって継ぎ目が形成される。ここで、継ぎ目は、ジョイスティック２１２の操作面２５２ｃ（図１３参照）の中心から筐体２１１の中心への方向（すなわち、前側から後側への方向。図１０の（ａ）参照）に球状コントローラ２００を見た場合に直線状に見える線部分（例えば、図１１に示す線Ｌ１およびＬ２）を含む。なお、上記継ぎ目は、筐体２１１に含まれる第１半球部（例えば、上部分筐体２２１）と第２半球部（例えば、中部分筐体２２２および下部分筐体２２３）との境界であると言うことができる。
【０１５９】
ここで、コントローラ本体部２０１は球状であることから、コントローラ本体部２０１の外形形状からのみではコントローラ本体部２０１の向きがユーザにとって認識しづらくなるおそれがある。これに対して、本実施形態においては、上記の線部分が形成されることによって、コントローラ本体部２０１の向きをユーザにとって認識しやすくすることができる。例えば、本実施形態においては、ユーザは、上記の線部分が延びる方向がコントローラ本体部２０１の左右方向であることを認識することができる。
【０１６０】
また、本実施形態においては、ジョイスティック２１２は、ジョイスティック２１２から筐体２１１の中心への方向（すなわち、前側から後側への方向）に球状コントローラ２００を見た場合に、上記線部分の延長線上に位置するように設けられる（図１０の（ａ）参照）。これによれば、ユーザは、上記線部分の方向によってジョイスティック２１２の向きを判断することができる。例えば、本実施形態においては、ユーザは、上記線部分に沿った方向が、ジョイスティック２１２に対する左右方向の入力であることを認識することができる。
【０１６１】
本実施形態においては、上記継ぎ目の上記線部分は、ジョイスティック２１２に対して両側に形成される（図１０のａ）参照）。これによれば、ジョイスティック２１２と上記線部分とをユーザに対して見やすく提示することができ、ジョイスティック２１２と上記線部分との関係がよりわかりやすくなる。例えば、ユーザは、ジョイスティック２１２を一方側（例えば、左側）から見る場合であっても他方側（例えば、右側）から見る場合であっても、ジョイスティック２１２と上記線部分との関係を認識することができる。
【０１６２】
上記のように、本実施形態においては、筐体２１１は、第１部分筐体（すなわち、上部分筐体２２１）と、第２部分筐体（すなわち、下部分筐体２２３）と、第１筐体部と第２筐体部との間に設けられる、球帯状の第３部分筐体（すなわち、中部分筐体２２２）とを有する。ここで、第３部分筐体は、球帯状であるので、筐体２１１と交わる互いに平行な２つの平面によって規定される球帯に沿って延びる帯状部分を有する（図１１参照）。この帯状部分は、上記継ぎ目における上記線部分と同様の効果を奏する。すなわち、本実施形態においては、上記帯状部分によって、コントローラ本体部２０１の向きをユーザにとって認識しやすくすることができる。例えば、本実施形態においては、ユーザは、帯状部分が延びる方向がコントローラ本体部２０１の左右方向であることを認識することができる。
【０１６３】
また、本実施形態においては、ジョイスティック２１２は、上記第３部分筐体に設けられる（図１０の（ａ）参照）。つまり、ジョイスティック２１２から筐体２１１の中心への方向（すなわち、前側から後側への方向）に球状コントローラ２００を見た場合には、上記帯状部分の延長線上にジョイスティック２１２が設けられる（図１０の（ａ）参照）。これによれば、ユーザは、上記帯状部分が延びる方向によってジョイスティック２１２の向きを判断することができる。例えば、本実施形態においては、ユーザは、上記帯状部分が延びる方向が、ジョイスティック２１２に対する左右方向の入力であることを認識することができる。
【０１６４】
本実施形態においては、上記帯状部分は、ジョイスティック２１２に対して両側に設けられる（図１０の（ａ）参照）。これによれば、ジョイスティック２１２と上記帯状部分とをユーザに対して見やすく提示することができ、ジョイスティック２１２と上記帯状部分との関係がよりわかりやすくなる。例えば、ユーザは、ジョイスティック２１２を一方側（例えば、左側）から見る場合であっても他方側（例えば、右側）から見る場合であっても、ジョイスティック２１２と上記帯状部分との関係を視認することができる。
【０１６５】
本実施形態においては、筐体２１１は、半球状の第１部分筐体（すなわち、上部分筐体２２１）と、半球状の第２部分筐体（すなわち、下部分筐体２２３）とを含む。
これによれば、ユーザは、半球状の２つの部分筐体の位置関係によって、コントローラ本体部２０１の向きを認識することができる。例えば、本実施形態においては、ユーザは、一方の部分筐体が設けられる側がコントローラ本体部２０１の上側であり、他方の部分筐体が設けられる側がコントローラ本体部２０１の下側であることを認識することができる。
【０１６６】
本実施形態においては、半球状の上部分筐体２２１と半球状の下部分筐体２２３とは、異なる色である。具体的には、上部分筐体２２１の表面は赤色（図１１においては、赤色をドットで示している）であり、下部分筐体２２３の表面は白色である。なお、他の実施形態においては、上部分筐体２２１の模様と下部分筐体２２３の模様とを異ならせるようにしてもよいし、色と模様との両方を異ならせるようにしてもよい。このように、上部分筐体２２１および下部分筐体２２３の色および模様の少なくともいずれか一方を互いに異ならせることによって、球状コントローラ２００の上下をわかりやすくユーザに認識させることができる。
【０１６７】
（ジョイスティック）
コントローラ本体部２０１は、方向入力部の一例であるジョイスティック２１２を備える（図１０の（ａ）〜（ｅ）参照）。本実施形態においては、ジョイスティック２１２は、ユーザが任意の方向に傾けることが可能な軸部（すなわち、後述する図１９に示す軸部２５２）を有する。また、詳細は後述するが、本実施形態においては、ジョイスティック２１２は、軸部を傾倒する操作に加えて、当該軸部を押し下げる操作も可能な種類のジョイスティックである。なお、他の実施形態においては、ジョイスティック２１２は他の種類の入力デバイスであってもよい（後述する“［３．変形例］”参照）。
【０１６８】
本実施形態において、ジョイスティック２１２は、筐体の２１１の前端部分に設けられる。図１０に示すように、ジョイスティック２１２は、筐体２１１の上記開口２１１ａから当該ジョイスティック２１２の一部（具体的には、軸部）が露出するように設けられる。ジョイスティック２１２の位置は、上下方向および左右方向については、球状のコントローラ本体部２０１の中央である（図１０の（ａ）参照）。
【０１６９】
本実施形態においては、ジョイスティック２１２は、筐体２１１の中心を通り前後方向に平行な直線（具体的には、後述する図１３に示す直線Ｌ４）上に軸部が配置されるように設けられる。また、本実施形態においては、ジョイスティック２１２は、軸部の軸が前後方向に平行となるように設けられる。なお、本実施形態においては、球状コントローラ２００の前後方向とは、筐体２１１の中心から軸部の先端面（すなわち、後述する図２１に示す先端部２５２ｂの前側の面）の中心への方向とする。
【０１７０】
なお、本明細書においては、球状コントローラ２００の説明において、例えば、上記「筐体２１１の中心を通る直線」のように、ある構成要素を通る直線を用いて説明を行うことがある。これと同様に、本実施形態においては、ある構成要素に関連付けて平面（例えば、図１３に示す平面Ｐ１）や領域（例えば、図２７に示す領域Ｒ）を規定して説明を行うことがある。ここで、上記の直線、平面、および、領域は、説明のために仮想的に規定されるものであり、実際に存在する（換言すれば、球状コントローラ２００が備えている）構成要素である必要はない。
【０１７１】
また、本実施形態においては、ジョイスティック２１２の一部（より具体的には、軸部の一部）が、筐体２１１の前端部分における平面から突出している（図１０の（ｂ）および（ｃ）参照）。したがって、ユーザは、軸部を傾倒する操作を容易に行うことができる。なお、他の実施形態においては、ジョイスティック２１２は、上記平面に設けられる開口２１１ａから露出し、当該平面から突出して設けられなくてもよい。
【０１７２】
上記のように、本実施形態においては、球状コントローラ２００は、表面に開口２１１ａが設けられた球状の筐体２１１と、傾けることが可能な軸部２５２を有し、少なくとも一部が開口２１１ａから露出するジョイスティック２１２とを備える。これによれば、ユーザは、外形形状が球状のゲームコントローラを用いて、軸部を傾倒する方向入力操作を行うことができる。すなわち、本実施形態によれば、外形形状が球状のゲームコントローラを用いて、より詳細な操作を行うことができる。
【０１７３】
（操作面）
図１０の（ｄ）に示すように、筐体２１１の上端部分には、操作面２１３が設けられる。操作面２１３の位置は、左右方向および前後方向については、球状のコントローラ本体部２０１の中央である（図１０の（ｄ）参照）。本実施形態においては、操作面２１３（換言すれば、操作面２１３の外周）は、筐体２１１の球面上に形成される、円状の形状である。ただし、他の実施形態においては、操作面２１３の形状は任意であり、例えば四角形または三角形等であってもよい。詳細は後述するが、操作面２１３は、上から押下可能に構成される。
【０１７４】
本実施形態においては、操作面２１３は、筐体２１１の表面と一体的に形成される。操作面２１３は、押し下げ操作が可能な操作部（操作ボタンとも言う）の一部である。ただし、なお、操作面２１３は、筐体２１１における操作面２１３以外の部分と一体的に形成されていることから、筐体２１１の一部であると言うこともできる。なお、詳細は後述するが、本実施形態においては、操作面２１３は、押し下げられることによって変形可能である。操作面２１３を有する操作部は、当該操作面２１３を押し下げることにより入力される（すなわち、入力が行われる）。
【０１７５】
（ジョイスティックと操作面との配置について）
以下、図１２および図１３を参照して、ジョイスティック２１２と操作面２１３との位置関係について説明する。図１２は、コントローラ本体部をユーザが把持した様子の一例を示す図である。図１２に示すように、ユーザは、コントローラ本体部２０１を片手で把持した状態で、親指でジョイスティック２１２を操作し、人差し指で操作面２１３を操作することが可能である。なお、図１２においては、ユーザが左手でコントローラ本体部２０１を把持する場合を例として示している。ただし、ユーザは、右手でコントローラ本体部２０１を把持する場合も左手で把持する場合と同様に、右手の親指でジョイスティック２１２を操作し、右手の人差し指で操作面２１３を操作することが可能である。
【０１７６】
上記のように、本実施形態においては、押し下げ操作が可能な操作面２１３が設けられる。これによれば、ユーザは、外形形状が球状のゲームコントローラを用いて、ジョイスティックを用いた方向入力操作と、操作面２１３に対する押し下げ操作との両方を行うことができる。これによって、外形形状が球状のゲームコントローラを用いて、多様な操作を行うことが可能となる。
【０１７７】
図１３は、ジョイスティックと操作面との位置関係の一例を示す図である。図１３に示すように、本実施形態においては、操作面２１３は、筐体２１１の中心Ｃおよび当該操作面２１３を通る直線Ｌ３と、当該中心Ｃおよびジョイスティック２１２を通る直線Ｌ４とが実質的に直交する位置に設けられる。
【０１７８】
上記によれば、ユーザは、ジョイスティック２１２と操作面２１３とを片手の２つの指で（例えば、親指と人差し指で）容易に操作することができる。具体的には、本実施形態によれば、ユーザは、ジョイスティック２１２を操作する親指についても、操作面２１３を操作する人差し指についても、筐体２１１の中心Ｃへの方向に曲げやすい状態で、コントローラ本体部２０１を把持することができる（図１２参照）。したがって、ユーザは、ジョイスティック２１２および操作面２１３に対して力を加えやすいので、ジョイスティック２１２および操作面２１３に対する操作を行いやすくなる。
【０１７９】
上記「操作面２１３を通る直線」は、操作面２１３の中心を通る直線Ｌ３である（図１３参照）。また、「ジョイスティック２１２を通る直線」は、ジョイスティック２１２の操作面２５２ｃの中心を通る直線Ｌ４である。なお、詳細は後述するが、操作面２５２ｃは、ジョイスティック２１２の軸部（より具体的には、先端部２５２ｂ）における前側（換言すれば、先端側）の面である。
【０１８０】
なお、操作面２１３は、筐体２１１の中心Ｃおよびジョイスティック２１２を通る直線Ｌ４に対して実質的に直交する直線であって、当該中心Ｃを通る直線である直線Ｌ３と交わる位置に設けられる、と言うこともできる。このように、操作面２１３は、上記直線Ｌ３と直線Ｌ４とが厳密に直交する位置に限らず、例えば、当該操作面２１３のいずれかの位置で上記直線Ｌ３と交わるように設けられてもよい。この場合であっても、ジョイスティック２１２および操作面２１３に対する操作を行いやすくなる。
【０１８１】
また、本実施形態においては、操作面２１３は、筐体２１１の中心Ｃから当該操作面２１３への方向が、方向入力における上方向に実質的に一致する位置に設けられる（換言すれば、筐体２１１の中心Ｃから、方向入力における上方向へ延びる直線と交わる位置に設けられる）、と言うことができる。ここで、「方向入力における上方向」とは、上向きの指示を行うためにジョイスティック２１２の軸部を傾ける方向である（図１３参照）。より具体的には、「方向入力における上方向」とは、ジョイスティック２１２に対する操作が行われていない状態において、上向きの指示を行うためにジョイスティック２１２の軸部を傾ける方向である。すなわち、本実施形態においては、「方向入力における上方向」は、ジョイスティック２１２の操作面２５２ｃの中心から筐体２１１の中心Ｃへの方向に垂直な方向である。なお、例えば、球状コントローラ２００を用いて操作を行うゲームアプリケーションにおいて、画面に表示されるオブジェクト（例えば、ゲームキャラクタまたはカーソル）を上に移動させるための指示は、上記「上向きの指示」であると言うことができる。具体的には、本実施形態においては、「方向入力における上方向」は、上述の上方向である。なお、「方向入力における下方向」、「方向入力における左方向」、および、「方向入力における右方向」は、上記「方向入力における上方向」と同様に規定される。
【０１８２】
上記によれば、ジョイスティック２１２に対して上方向の入力を行う向きに操作面２１３が設けられる。これによって、ジョイスティック２１２を親指で操作する場合において人差し指で操作しやすい位置に操作面２１３を配置することができる。すなわち、ジョイスティック２１２および操作面２１３に対する操作の操作性を向上することができる。
【０１８３】
図１４は、ジョイスティックと操作面との位置関係の一例を示す図である。図１４に示すように、本実施形態においては、操作面２１３は、ジョイスティック２１２よりも上記方向入力における上方向の側（すなわち、図１４に示す点線よりも上側）に設けられる、とも言うことができる。他の実施形態においては、操作面２１３は、本実施形態のようにコントローラ本体部２０１の上端でない位置であって、ジョイスティックよりも上記「方向入力における上方向」側の位置に設けられてもよい。このとき、ユーザは、ジョイスティック２１２を親指で操作する場合において親指以外の指（例えば、人差し指または中指）で操作面２１３を容易に操作することができる。したがって、操作面２１３をジョイスティックよりも上記方向入力における上方向の側に設けることによって、ジョイスティック２１２および操作面２１３に対する操作の操作性を向上することができる。
【０１８４】
本実施形態においては、操作面２１３は、上記方向入力における上方向と実質的に逆の方向（すなわち、下方向）へ押し下げることが可能である。つまり、本実施形態においては、ジョイスティック２１２に対して上向きの指示を行うために軸部を傾倒する方向と、操作面２１３を押し下げる方向とが実質的に反対向きとなる。これによって、操作面２１３を押し下げやすい構成とすることができる。
【０１８５】
なお、上記「方向入力における上方向と実質的に逆の方向」とは、厳密に「方向入力における上方向と逆の方向」である必要はなく、「方向入力における上方向と逆の方向」に概ね一致する方向を含む意味である。なお、詳細は後述するが、本実施形態においては、操作面２１３は、押し下げられたことに応じて変形しつつ、全体としては下方向へ移動する。また、後述するキートップ２３５は、操作面２１３が押し下げられたことに応じて回動する。このように、操作面２１３および／またはキートップ２３５が厳密には「方向入力における上方向と逆の方向」に移動しない態様であっても、操作面２１３は、「方向入力における上方向と実質的に逆の方向へ押し下げることが可能である」ということができる。
【０１８６】
また、図１３に示すように、本実施形態においては、操作面２１３の少なくとも一部（本実施形態においては、前側の半分）は、ジョイスティック２１２から筐体２１１の中心Ｃへの方向（具体的には、ジョイスティック２１２の操作面２５２ｃの中心から筐体２１１の中心Ｃへの方向）に垂直であって筐体２１１の中心Ｃを含む平面Ｐ１よりジョイスティック２１２側に位置する。これによれば、ジョイスティック２１２を親指で操作する場合において人差し指で操作しやすい位置に操作面２１３を配置することができるので、ジョイスティック２１２および操作面２１３に対する操作を行いやすくすることができる。なお、他の実施形態においては、操作面２１３は、上記平面Ｐ１よりジョイスティック２１２側の任意の位置に設けられてもよい。また、他の実施形態においては、操作面２１３は、上記平面Ｐ１を基準としてジョイスティック２１２の反対側の位置に設けられてもよい。
【０１８７】
また、本実施形態においては、ジョイスティック２１２は、筐体２１１の表面において、上部分筐体２２１と下部分筐体２２３との間（すなわち、中部分筐体２２２）に設けられ、操作面２１３は、上部分筐体２２１の天頂付近（換言すれば、上部分筐体の表面における中心付近）に設けられる。換言すれば、ジョイスティック２１２は、球状の筐体２１１の第１半球部（例えば、上部分筐体２２１）と第２半球部（例えば、下部分筐体２２３）との境界（例えば、中部分筐体２２２）上に設けられ、操作面２１３は、第１半球部の頂点である天頂に設けられる。上記によれば、ジョイスティック２１２および操作面２１３を、上述したような親指と人差し指で操作しやすい配置とすることができる。なお、半球の「天頂」とは、当該半球の底面を下にして当該半球を水平面に載置した場合において、当該半球の中心（すなわち、当該半球を一部とする球の中心）から鉛直線を伸ばしたときに、当該鉛直線と当該半球の球面とが交わる点のことを言う。（ただし、「天頂」は、単に「頂点」と言うこともある。）
【０１８８】
ここで、上記「第１半球部と第２半球部との境界」とは、本実施形態においては、第１半球部（例えば、上部分筐体２２１）と第２半球部（例えば、下部分筐体２２３）との間に設けられる部品（例えば、中部分筐体２２２）である。このように、第１半球部と第２半球部との境界は、一定の面積のある区域であってもよい。ただし、上記境界は、２つの半球部の間に設けられる部品に限らない。例えば、他の実施形態においては、上記境界は、２つの半球部の継ぎ目であってもよいし、筐体２１１に形成された線（例えば、筐体状に描かれた線）であってもよい。
【０１８９】
なお、操作面２１３の位置は任意であり、他の実施形態においては、操作面２１３は、例えば、筐体２１１の上側の部分（すなわち、上部分筐体２２１）のその他の位置に設けられていてもよいし、筐体２１１の下側の部分（すなわち、下部分筐体２２３）に設けられてもよい。
【０１９０】
図１１に示すように、本実施形態においては、筐体２１１には、操作面２１３の位置を示す標識２１１ｂが設けられる。本実施形態においては、標識２１１ｂは、操作面２１３の外周に相当する位置を示す。具体的には、標識２１１ｂは、筐体２１１と操作面２１３との境界付近に設けられる。なお、標識２１１ｂは、筐体２１１に設けられてもよいし、操作面２１３に設けられてもよいし、筐体２１１および操作面２１３の両方に跨がって設けられてもよい。本実施形態によれば、標識２１１ｂによって、筐体２１１のうちで操作面２１３となる領域（すなわち、押下可能な領域）をユーザに認識させることができる。
【０１９１】
本実施形態においては、標識２１１ｂは、筐体２１１の表面に形成された線状の溝（換言すれば、窪み）である。ただし、標識２１１ｂは、操作面２１３の位置をユーザが識別することができる任意の表示であってよい。なお、他の実施形態においては、例えば標識２１１ｂは、操作面２１３の中心に設けられた突起（または窪み）であってもよい。このように、上記標識として、筐体２１１の表面に突起および／または窪みを形成することによって、ユーザは、触覚で操作面２１３の位置を把握することができる。なお、他の実施形態においては、標識２１１ｂは、筐体２１１のうちで操作面２１３以外の領域とは異なる色で操作面２１３の領域を表すものであってもよい。ただし、他の実施形態においては、標識２１１ｂは、筐体２１１の表面に塗料で描かれたものであってもよい。これによっても本実施形態と同様、標識２１１ｂによって、筐体２１１のうちで操作面２１３となる領域（すなわち、押下可能な領域）をユーザに認識させることができる。
【０１９２】
（ストラップ孔）
図１０の（ｆ）に示すように、筐体２１１の後端部分には、ストラップ部２０２を装着するためのストラップ孔２１１ｃが設けられる。ストラップ孔２１１ｃの位置は、上下方向および左右方向については、球状のコントローラ本体部２０１の中央である（図１０の（ｆ）参照）。詳細は後述するが、ストラップ孔２１１ｃにストラップ部２０２のストラップ紐を通すことによって、ストラップ部２０２がコントローラ本体部２０１に装着される。なお、他の実施形態においては、ストラップ孔２１１ｃの位置は任意であり、例えば、筐体２１１の後側の任意の位置に設けられてもよいし、筐体の２１１の下端部分に設けられてもよい。
【０１９３】
（再起動ボタン）
コントローラ本体部２０１は、再起動ボタン２１４を備える。詳細は後述するが、再起動ボタン２１４は、球状コントローラ２００を再起動する指示を行うためのボタンである。
【０１９４】
図１０の（ｃ）および（ｆ）に示すように、筐体２１１の後端より左側の位置に、再起動ボタン２１４が設けられる。再起動ボタン２１４の上下方向における位置は、球状のコントローラ本体部２０１の中央である。再起動ボタン２１４の前後方向における位置は、球状のコントローラ本体部２０１の中央より後の位置である。なお、他の実施形態においては、再起動ボタン２１４の位置は任意であり、例えば、筐体２１１の後側の任意の位置に設けられてもよい。
【０１９５】
（カバー部）
図１０の（ｆ）に示すように、筐体２１１のストラップ孔２１１ｃの下には、カバー部２１５が設けられる。詳細は後述するが、カバー部２１５は、コントローラ本体部２０１のカバー部２１５以外の部分に対して開閉可能である。詳細は後述するが、カバー部２１５の内側には窪み面（すなわち、図２０に示す窪み面２４５ｄ）が設けられる。カバー部２１５は、閉状態において窪み面を覆うように設けられる。一方、カバー部２１５が開状態となる場合、窪み面がコントローラ本体部２０１の外部に露出する。図１０の（ｂ）、（ｃ）、および（ｅ）に示すように、カバー部２１５の表面は、球状のコントローラ本体部２０１の球面の一部を構成する球面である。したがって、カバー部２１５は、筐体２１１の一部であると言うこともできる。
【０１９６】
［２−２．コントローラ本体部の内部構成］
次に、コントローラ本体部２０１の内部構成について説明する。本実施形態においては、コントローラ本体部２０１は、上述の上部分筐体２２１を含む上部ユニットと、上述の中部分筐体２２２を含む中部ユニットと、上述の下部分筐体２２３を含む下部ユニットとによって構成される（後述する図２４および図２５参照）。以下、ユニット毎に内部構成を説明する。
【０１９７】
［２−２−１．上部ユニット］
図１５および図１６は、上部ユニットの一例の分解斜視図である。図１５は、上部ユニットを前方上側から見た分解斜視図であり、図１６は、上部ユニットを後方下側から見た分解斜視図である。また、図１７は、上部ユニットの一例の断面図である。図１７は、コントローラ本体部２０１の中心を通り、左右方向に垂直な断面による断面図である。
【０１９８】
（上部分筐体）
図１５および図１６に示すように、上部ユニット２３０は、上部分筐体２２１を含む。上述したように、上部分筐体２２１は、半球状の形状を有する。なお、図１６に示すように、上部分筐体２２１は、下側が開口しており、半球の底面に相当する面を有していない。そのため、上部分筐体２２１は、半球面状の形状であると言うこともできる。上部分筐体２２１は、球冠（すなわち、球を平面で切った立体（すなわち、球欠）の側面部分）状の形状であると言うこともできる。
【０１９９】
図１５および図１６に示すように、本実施形態においては、上部分筐体２２１は、半球面の前端部分が切り欠かれた形状である。具体的には、上部分筐体２２１は、前後方向に垂直な平面で半球面の前端部分を切った形状である。上部分筐体２２１は、半球の底面の周となる辺２２１ａと、上記平面で半球面の前端部分を切ることによって生じる辺２２１ｂとを含む。辺２２１ｂは、前側から上部分筐体２２１を見た場合に半円状に見える形状である。なお、上部分筐体２２１における切り欠きの形状は、中部分筐体２２２が有する上述の前端面の形状に応じた形状（具体的には、前端面の上側の辺に実質的に一致する形状）であり、具体的には、半円状である。ただし、切り欠きの形状は任意であり、他の実施形態においては、半円以外の形状であってもよい。
【０２００】
図１６および図１７に示すように、上部分筐体２２１は、表面部２３１と、内壁部２３２とを有する。表面部２３１は、上部分筐体２２１の外側の表面を構成する部品である。すなわち、表面部２３１は、上部分筐体２２１と同様の半球状の形状である。本実施形態においては、表面部２３１は、操作面２１３と一体的に形成される。また、表面部２３１は、上部分筐体２２１と同様に、半球面の前端部分が切り欠かれた形状である。
【０２０１】
本実施形態においては、表面部２３１は、比較的軟らかい（具体的には、内壁部２３２と比較して軟らかい、あるいは、中部分筐体２２２と比較して軟らかい）材質で構成される。具体的には、本実施形態における表面部２３１の材質は、エラストマーである。表面部２３１と一体的に形成される操作面２１３も、表面部２３１と同じ材質で構成される。なお、詳細は後述するが、本実施形態においては、下部分筐体２２３の表面を構成する表面部２７２も、上記表面部２３１と同様に弾性体で構成される。このように、本実施形態においては、筐体２１１の表面の少なくとも一部が弾性体で構成されるので、ユーザは筐体２１１を把持しやすくなる。また、ユーザが筐体２１１を把持したときの感触を向上することができる。また、コントローラ本体部２０１に対する衝撃を吸収しやすくすることができ、衝撃の影響が筐体２１１の内部の構成に及ぶことを低減することができる。
【０２０２】
図１６および図１７に示すように、内壁部２３２は、上部分筐体２２１の内壁を構成する部品である。内壁部２３２は、上部分筐体２２１と同様の半球状の形状である。より具体的には、内壁部２３２は、上部分筐体２２１と同様に、半球面の前端部分が切り欠かれた形状である。本実施形態においては、内壁部２３２は、表面部２３１よりも硬い材質で構成される。例えば、内壁部２３２の材質は、表面部２３１を構成するエラストマーよりも硬い樹脂である。また、内壁部２３２は、表面部２３１の内側に接続される（図１７参照）。内壁部２３２は、表面部２３１の内側に対して、例えば接着剤あるいは熱融着によって接合される。なお、内壁部２３２は、内壁部２３２の外側の面が表面部２３１の内側の面に一致する大きさである。
【０２０３】
ここで、内壁部２３２においては、半球面の上端部分に孔が形成される。具体的には、内壁部２３２においては、操作面２１３に対応する部分に、孔が形成される。内壁部２３２に形成される孔は、円状である操作面２１３と実質的に同じ大きさの円状の形状である。表面部２３１および操作面２１３の内側の面のうち、操作面２１３の裏側以外の領域が内壁部２３２に接合され、操作面２１３の裏側の領域は内壁部２３２に接合されない。したがって、表面部２３１は、内壁部２３２によって補強されるので、ある程度の力が加わっても大きく変形することはない。一方、操作面２１３は、内壁部２３２によって補強されないので、ある程度の力が加わることによって変形する。例えば、操作面２１３は、上から押し下げられることによって変形し、下方に移動する。このように、本実施形態においては、一体的に形成される表面部２３１および操作面２１３のうちの操作面２１３の領域が押下可能となっている。
【０２０４】
本実施形態において、内壁部２３２は黒色である。詳細は後述するが、本実施形態においては、筐体２１１の内側に発光部（すなわち、図１９に示す発光部２４８）が設けられ、筐体２１１の開口２１１ａから筐体２１１の外部へ光が出射される。そのため、本実施形態においては、上記発光部による光が内壁部２３２をなるべく透過しないように、内壁部２３２は黒色の材質で構成される。
【０２０５】
図１６に示すように、内壁部２３２には、軸受部２３１ａが設けられる。軸受部２３１ａは、後述するキートップ２３５の回転軸２３５ｂを挿入可能な溝を有する。
【０２０６】
また、図１６および図１７に示すように、上部分筐体２２１は、緩衝材２３３を有する。詳細は後述するが、緩衝材２３３は、内壁部２３２の内側面のうち、後述するキートップの回転軸が接触する部分に設けられる。
【０２０７】
（キートップ）
図１５〜図１７に示すように、上部ユニット２３０は、キートップ２３５を含む。キートップ２３５は、操作面２１３が押し下げられたことに応じて動くことが可能な可動部の一例である。詳細は後述するが、本実施形態においては、キートップ２３５は、操作面２１３が押し下げられたことに応じて回動する。したがって、キートップ２３５は、操作面２１３が押し下げられたことに応じて回動する回動部の一例であると言うこともできる。
【０２０８】
図１５および図１７に示すように、キートップ２３５は、円板状の円板部２３５ａと、回転軸２３５ｂとを有する。本実施形態においては、回転軸２３５ｂは、円板部２３５ａの前側に設けられる。詳細は後述するが、キートップ２３５は、回転軸２３５ｂを中心として回動可能に設けられる。また、図１６および図１７に示すように、円板部２３５ａの下側には、突出部２３５ｃが設けられる。
【０２０９】
（キーラバー）
図１５に示すように、上部ユニット２３０は、キーラバー２３６を含む。キーラバー２３６は、例えばゴム等の弾性体によって構成される。詳細は後述するが、キーラバー２３６は、キートップ２３５（具体的には、突出部２３５ｃ）が下方に動くことに応じて変形する。
【０２１０】
図１５および図１７に示すように、キーラバー２３６は、円板状の円板部２３６ａを有する。また、図１５および図１７に示すように、キーラバー２３６は、円板部２３６ａの上側に設けられる円筒状の円筒部２３６ｂを有する。円筒部２３６ｂは、円板部２３６ａの中心付近から上側に延びるように設けられる。詳細は後述するが、円筒部２３６ｂは、キートップ２３５の動きに応じてキーラバー２３６を変形させる目的で設けられる。
【０２１１】
図１６および図１７に示すように、キーラバー２３６は、円板部２３６ａの外周部分において、下方に突出する環状部２３６ｃを有する。また、キーラバー２３６は、円板部２３６ａの中心付近において、下方に突出する突出部２３６ｄを有する。図１７に示すように、キーラバー２３６に対して力が加わっていない状態においては、環状部２３６ｃは、突出部２３６ｄよりも下方に突出している。
【０２１２】
（サブ基板）
図１５および図１６に示すように、上部ユニット２３０は、サブ基板２３７を含む。本実施形態においては、サブ基板２３７は、板状の基板である。ただし、サブ基板２３７は、曲げることが可能なフレキシブルプリント回路基板であってもよい。詳細は後述するが、サブ基板２３７には、操作面２１３に対する操作が行われた場合にキーラバー２３６が接触する接点２３７ａと、当該接点２３７ａに対してキーラバー２３６が接触したことを検知する検知回路が設けられる。なお、接点２３７ａの具体的な構成は任意である。例えば、接点２３７ａは、キーラバー２３６が下方に動いたことに応じて動く可動接点と、可動接点が動いた場合に当該可動接点が接触する固定接点とを有する構成であってもよい。本明細書では、可動接点と固定接点とを有する部品を接点と呼ぶが、当該部品をスイッチと言うこともできる。また、図１７に示すように、サブ基板２３７には、アンテナ２９１が設けられる。本実施形態においては、アンテナ２９１は、サブ基板２３７の前側に設けられる。
【０２１３】
（サブ基板保持部）
図１５および図１６に示すように、上部ユニット２３０は、サブ基板２３７を保持するサブ基板保持部２３８を含む。サブ基板保持部２３８は、サブ基板２３７が取り付けられる平面状の上面を有する。また、サブ基板保持部２３８は、当該上面より突出する突出部２３８ａを有する。突出部２３８ａは、サブ基板保持部２３８の上面の前側の端部に設けられる。
【０２１４】
（各構成要素の配置）
図１５および図１６に示すように、上部ユニット２３０に含まれる各構成要素は、上から、上部分筐体２２１、キートップ２３５、キーラバー２３６、サブ基板２３７、および、サブ基板保持部２３８の順に配置される。本実施形態においては、上部ユニット２３０に含まれる各構成要素は、ネジ２３９（本実施形態においては、３つのネジ２３９）によって互いに固定される。具体的には、上部分筐体２２１の内壁部２３２の内側面には、下側が開口したネジ穴が設けられる。また、サブ基板２３７およびサブ基板保持部２３８には、当該ネジ穴に対応する位置に、孔が設けられる。図１５および図１６に示すように、サブ基板２３７の孔およびサブ基板保持部２３８の孔を通した状態でネジ２３９を上部分筐体２２１のネジ穴に螺合させることによって、上部分筐体２２１とサブ基板２３７とサブ基板保持部２３８とが固定される。
【０２１５】
キートップ２３５は、上部分筐体２２１とサブ基板２３７とに挟まれることによって保持される。具体的には、図１７に示すように、キートップ２３５の回転軸２３５ｂは、上部分筐体２２１と、サブ基板保持部２３８の突出部２３８ａとに挟まれる。これによって、回転軸２３５ｂは、上下方向に関して固定される。キートップ２３５は、回転軸２３５ｂが左右方向に平行となる向きに設けられる。また、回転軸２３５ｂは、上記軸受部２３１ａの溝に挿入される。この溝によって、回転軸２３５ｂは左右方向に関して固定される。以上によって、キートップ２３５は、上部分筐体２２１に対して、回転軸２３５ｂを中心に回動可能に保持される。
【０２１６】
なお、本実施形態においては、上部分筐体２２１の内面のうち、回転軸２３５ｂが当接する部分には、緩衝材２３３が設けられる。したがって、上部分筐体２２１とサブ基板２３７とに挟まれる回転軸２３５ｂは、緩衝材２３３を押圧して変形させた状態で保持される。これによって、回転軸２３５ｂのがたつきを低減することができる。
【０２１７】
図１７に示すように、キートップ２３５は、上部分筐体２２１の内側に設けられる。このとき、キートップ２３５の円板部２３５ａの上面が、上部分筐体２２１の表面部２３１に連続する操作面２１３の裏側に当接する。
【０２１８】
図１５に示すように、キーラバー２３６は、キートップ２３５の下側に取り付けられる。キーラバー２３６は、キートップ２３５とサブ基板２３７との間に設けられる。具体的には、キートップ２３５の突出部２３５ｃは、キーラバー２３６の上記円筒部２３６ｂに挿入される（図１７参照）。これによって、キートップ２３５とキーラバー２３６とが接続される。そのため、キートップ２３５が移動する場合には、円筒部２３６ｂがキートップ２３５と一体的に移動し、キーラバー２３６が変形する。図１７に示すように、キーラバー２３６は、突出部２３５ｃが円筒部２３６ｂに挿入された状態で、環状部２３６ｃがサブ基板２３７に当接するように設けられる。なお、突出部２３６ｄは、サブ基板２３７の接点２３７ａに対向する位置に配置される。
【０２１９】
ここで、操作面２１３に対して操作が行われていない状態（例えば、図１７に示す状態）においては、キーラバー２３６は、基本形状（すなわち、変形していない形状）に保たれている。つまり、上記の状態においては、環状部２３６ｃがサブ基板２３７に当接し、突出部２３６ｄはサブ基板２３７の接点２３７ａに当接しない。
【０２２０】
図１８は、操作面２１３が押し下げられた状態における上部ユニットの一例の断面図である。図１８に示すように、操作面２１３が押し下げられた場合、操作面２１３は変形して下方に移動する（図１８に示す矢印参照）。操作面２１３が下方に移動することに応じて、キートップ２３５は回転軸２３５ｂを中心に回動し、円板部２３５ａは下方に移動する。円板部２３５ａが下方に移動することに応じて、キーラバー２３６は変形し、突出部２３６ｄは下方に移動する。その結果、突出部２３６ｄがサブ基板２３７の接点２３７ａに接触する。サブ基板２３７の検知回路は、突出部２３６ｄが接点２３７ａに接触したことを検知する。以上によって、球状コントローラ２００は、操作面２１３に対する操作が行われたことを検知することができる。
【０２２１】
なお、操作面２１３に対する押し下げ操作がなくなった場合、キーラバー２３６は自身の弾性によって基本形状に戻る。これによって、突出部２３６ｄと接点２３７ａとは接触しなくなる。
【０２２２】
上記のように、本実施形態においては、球状コントローラ２００は、可動部（すなわち、キートップ２３５）と、検知部（すなわち、サブ基板２３６上に設けられる検知回路）とを備える。可動部は、筐体２１１の中心と操作面２１３とを結ぶ直線に実質的に垂直な回転軸（具体的には、左右方向に平行な回転軸２３５ｂ）で回動可能であり、操作面２１３が押し下げられたことに応じて回動する。検知部は、可動部の回動に応じて操作面２１３に対する操作を検知する。したがって、本実施形態によれば、操作面２１３のどの位置が押し下げられた場合でも、可動部は一方向に回動し、検知部は当該可動部による回動によって操作を検知する。これによれば、操作面２１３のどの位置が押し下げられた場合でも、検知部は操作を検知しやすくなるので、本実施形態によれば、操作面２１３に対する操作が検知されない可能性を低減することができる。
【０２２３】
また、本実施形態においては、キートップ２３５の回転軸２３５ｂは、円板部２３５ａの前側に設けられる（図１７参照）。換言すれば、回転軸２３５ｂは、操作面２１３の中心よりも前側に設けられる。したがって、回転軸２３５ｂは、ジョイスティック２１２から当該回転軸２３５ｂまでの距離が、当該ジョイスティック２１２から操作面２１３までの距離よりも短くなる位置に設けられると言える。
【０２２４】
上記のような位置に回転軸２３５ｂが設けられることによって、操作面２１３に対する押し下げ操作が行われた場合には、キートップ２３５は、前側よりも後側が大きく動くことになる。そのため、ユーザにとっては、操作面２１３の後側の位置を押し下げる場合の方が、前側の位置を押し下げる場合よりも、押し下げる量が大きくなるので、押し下げ操作を行いやすい。一方、ユーザがジョイスティック２１２を親指で操作し、操作面２１３を人差し指で操作することを想定する場合（図１２参照）には、操作面２１３の中心より前側の位置を押し下げる操作よりも、後側の位置を押し下げる操作を行う可能性が高いと考えられる。したがって、本実施形態によれば、操作面２１３のうちで、ユーザが操作する可能性が高い位置（すなわち、後側の位置）について、押し下げ操作を行いやすくすることができるので、押し下げ操作の操作性を向上することができる。
【０２２５】
上記のように、本実施形態においては、キートップ２３５の回転軸２３５ｂは、左右方向に平行に設けられた。ここで、他の実施形態においては、回転軸２３５ｂの向きは、左右方向に限らず、他の方向であってもよい。例えば、他の実施形態においては、回転軸２３５ｂは、前後方向に平行となるように設けられてもよい。このとき、回転軸２３５ｂは、操作面２１３の中心より左側に設けられてもよいし、操作面２１３の中心より右側に設けられてもよい。例えば、球状コントローラ２００が左手で把持されて操作されることが想定される場合には、回転軸２３５ｂを操作面２１３の中心より左側に設けることによって、操作面２１３の右側を押下しやすくしてもよい。また例えば、球状コントローラ２００が右手で把持されて操作されることが想定される場合には、回転軸２３５ｂを操作面２１３の中心より右側に設けることによって、操作面２１３の左側を押下しやすくしてもよい。
【０２２６】
なお、操作面２１３が押し下げられたことを検知するための構成は任意であり、本実施形態における構成に限らない。例えば、他の実施形態においては、キートップとキーラバーとは、例えば弾性体によって、一体的に形成されてもよい。また、他の実施形態においては、球状コントローラ２００は、キートップおよびキーラバーを有していない構成であってもよく、このとき、サブ基板２３７の接点２３７ａは、押し下げられた操作面２１３が接点２３７ａに対して直接接触する位置に設けられてもよい。また、他の実施形態においては、球体コントローラ２００は、回動可能な可動部（すなわち、キートップ２３５およびキーラバー２３６）に代えて、上下方向に平行移動することが可能な可動部を備えていてもよい。
【０２２７】
［２−２−２．中部ユニット］
図１９および図２０は、中部ユニットの一例の分解斜視図である。図１９は、中部ユニットを前方上側から見た分解斜視図であり、図２０は、中部ユニットを後方上側から見た分解斜視図である。また、図２１は、中部ユニットの一例の断面図である。図２１は、コントローラ本体部２０１の中心を通り、左右方向に垂直な断面による断面図である。
【０２２８】
（中部分筐体）
図１９〜図２１に示すように、中部ユニット２４０は、中部分筐体２２２を含む。中部分筐体２２２は、後端の一部が切り欠かれたリング状の形状を有している。具体的には、中部分筐体２２２は、正面部２４１と、左帯状部２４２と、右帯状部２４３とを有する。
【０２２９】
正面部２４１は、中部分筐体２２２の前端部分に設けられる。正面部２４１は、前側に平面状の部分を有する。正面部２４１の前側の面は、上述の前端面（すなわち、筐体の２１１の前端部分の平面）である。上述の開口２１１ａは、正面部２４１の前端面に設けられる。したがって、正面部２４１は、開口２１１ａの周囲を囲む環状部であると言うことができる。本実施形態においては、前端面の形状は円状である。ただし、他の実施形態においては、前端面の形状は任意であり、例えば四角形であってもよい。
【０２３０】
図２０に示すように、正面部２４１は、前端面の上側に、筐体２１１の内側へ延びる取付部２４１ａを有する。取付部２４１ａには、後述するメイン基板支持部を中部分筐体２２２に固定するネジを通すための孔が設けられる。
【０２３１】
２つの帯状部２４２および２４３は、正面部２４１の左右の両側の端部から延びるように設けられる。すなわち、左帯状部２４２は、帯状の形状であり、正面部２４１の左側の端部から延びるように設けられる。換言すれば、左帯状部２４２は、正面部２４１からジョイスティック２１２の方向入力における左方向に向かって延びる。また、右帯状部２４３は、帯状の形状であり、正面部２４１の右側の端部から延びるように設けられる。換言すれば、右帯状部２４３は、正面部２４１からジョイスティック２１２の方向入力における右方向に向かって延びる。各帯状部２４２および２４３は、球状の筐体２１１の球面の一部を構成する。具体的には、各帯状部２４２および２４３は、上下方向に垂直な２つの平面によって筐体２１１の球面を切ったときの球帯（すなわち、球面を平行な二平面で切ったとき、この間に挟まれる球面の帯状部分）に沿って設けられる。なお、「帯状部が球帯に沿って設けられる」とは、帯状部の表面が球帯と一致する態様と、帯状部の表面が厳密には球帯と一致しない態様とを含む意味である。例えば、他の実施形態においては、帯状部の表面は、球面ではなく、円柱の側面と同様の曲面であってもよい。
【０２３２】
本実施形態においては、左帯状部２４２の後端と右帯状部２４３の後端とは連続していない。詳細は後述するが、左帯状部２４２の後端と右帯状部２４３の後端との間に生じる空間が、上述したストラップ孔２１１ｃ（図１０）となる。また、各帯状部２４２および２４３の後端付近には、後述するメイン基板支持部を中部分筐体２２２に固定するネジを通すための孔が設けられる（図１９および図２０参照）。
【０２３３】
図１９および図２０に示すように、右帯状部２４３は、被係止部２４３ａを有する。また、図示しないが、左帯状部２４２は、右帯状部２４３の被係止部２４３ａと同様の被係止部を有する。詳細は後述するが、中部分筐体２２２と下部分筐体２２３とが接続される場合には、下部分筐体２２３の爪部（すなわち、図２３に示す爪部２７３ｅ）が上記被係止部に係止する。なお、本実施形態においては、コントローラ本体部２０１の中心よりも前側に被係止部が設けられるが、被係止部が設けられる位置は任意である。
【０２３４】
図１９に示すように、右帯状部２４３は、爪部２４３ｂを有する。爪部２４３ｂは、右帯状部２４３から上側に延び、さらに、筐体２１１の内側に延びるように設けられる。また、左帯状部２４２は、右帯状部２４３の爪部２４３ｂと同様の爪部を有する。詳細は後述するが、爪部は、導光部２５４に設けられる孔（すなわち、図３１に示す孔２５７ｃ）に係止する。
【０２３５】
図２０に示すように、左帯状部２４２には、孔２４２ａが設けられる。本実施形態においては、孔２４２ａは、コントローラ本体部２０１の中央よりも後側に設けられる。孔２４２ａは、上述の再起動ボタン２１４を筐体２１１の外部に露出させるために設けられる。
【０２３６】
本実施形態においては、中部分筐体２２２は、上部分筐体２２１（および、下部分筐体２２３）の表面部２３１よりも硬い材質で構成される。例えば、中部分筐体２２２の材質は、表面部２３１（ここでは、エラストマー）よりも硬い樹脂である。したがって、本実施形態においては、筐体２１１は、ジョイスティック２１２の周囲に設けられる第１部位（すなわち、中部分筐体２２２）と、第１部位の周囲に設けられ、当該第１部位の表面よりも軟らかい材質で表面が構成される第２部位（すなわち、上部分筐体２２１および下部分筐体２２３）とを有する。これによれば、筐体２１１のうちでジョイスティック２１２の周囲の部分（すなわち、上記第１部位）が、硬い材質で構成される。そのため、ユーザがジョイスティック２１２を操作している際などに、例えば、ユーザの指および／またはジョイスティック２１２が上記部分に当たることによって当該部分が傷ついたり摩耗したりする可能性を低減することができる。
【０２３７】
また、中部分筐体２２２は、上部分筐体２２１の内壁部２３２と同様、発光部による光が中部分筐体２２２をなるべく透過しないように、例えば、黒色の材質で構成される。
【０２３８】
（メイン基板保持部）
図１９および図２０に示すように、中部ユニット２４０は、メイン基板保持部２４５を含む。メイン基板保持部２４５は、中部ユニット２４０に含まれるいくつかの部品（例えば、充電池２４４およびメイン基板２４６等）を保持する。
【０２３９】
図１９および図２１に示すように、メイン基板保持部２４５は、充電池２４４を取り付けるための枠部２４５ａを有する。枠部２４５ａは、自身の内側に充電池２４４を収納可能な形状を有する。具体的には、本実施形態においては、枠部２４５ａは、直方体形状の充電池２４４の側面に当接する４つの壁を有する。
【０２４０】
図１９および図２１に示すように、メイン基板保持部２４５は、ジョイスティック２１２を取り付けるためのスティック取付部２４５ｂを有する。スティック取付部２４５ｂは、枠部２４５ａの前側に設けられる。スティック取付部２４５ｂの前側の面は、前後方向に垂直な平面状に構成される。スティック取付部２４５ｂの前側の平面には、前側が開口したネジ穴が設けられる。このネジ穴は、メイン基板保持部２４５に対してジョイスティック２１２を取り付けるためのネジ穴である。
【０２４１】
また、枠部２４５ａとスティック取付部２４５ｂとの間には、上側が開口したネジ穴が設けられる（図１９参照）。このネジ穴は、メイン基板保持部２４５と中部分筐体２２２とを固定するためのネジ穴である。
【０２４２】
図２０に示すように、メイン基板保持部２４５は、ストラップ部２０２を取り付けるためのストラップ取付軸２４５ｃを有する。ストラップ取付軸２４５ｃは、枠部２４５ａの後側に設けられる。ストラップ取付軸２４５ｃは、上下方向に延びる筒状の形状である。詳細は後述するが、ストラップ取付軸２４５ｃの中央に設けられる孔は、メイン基板保持部２４５と上部分筐体２２１とを固定するためのネジを通すための孔である。上述したように、ストラップ部２０２のストラップ紐を上記ストラップ取付軸２４５ｃに通すことによって、ストラップ部２０２をコントローラ本体部２０１に取り付けることができる。
【０２４３】
なお、枠部２４５ａの後側において、ストラップ取付軸２４５ｃの左右の両側には、上側が開口したネジ穴が設けられる（図２０参照）。このネジ穴は、メイン基板保持部２４５と中部分筐体２２２とを固定するためのネジ穴である。
【０２４４】
図２０および図２１に示すように、メイン基板保持部２４５は、窪み面２４５ｄを有する。窪み面２４５ｄは、枠部２４５ａの後側であって、ストラップ取付軸２４５ｃの下側に設けられる。本実施形態においては、窪み面２４５ｄは、前後方向に実質的に垂直となるように設けられる。詳細は後述するが、窪み面２４５ｄには、メイン基板２４６に設けられる充電端子を当該窪み面２４５ｄの外側に露出させるための孔が設けられる（図２９参照）。また、窪み面２４５ｄには、メイン基板保持部２４５と下部分筐体２２３とを固定するためのネジを通すための孔が設けられる（図２６参照）。さらに、窪み面２４５ｄには、上述したカバー部２１５（図１０参照）を取り付けるための取付孔（すなわち、図２９に示す孔２４５ｆ）が設けられる。
【０２４５】
図２０に示すように、メイン基板保持部２４５は、後述するボタン検知部２５８を取り付けるための検知回路取付部２４５ｅを有する。検知回路取付部２４５ｅは、枠部２４５ａの外側面であって、中部分筐体２２２の上記孔２４２ａに対応する位置に設けられる。検知回路取付部２４５ｅは、枠部２４５ａの外側面において、左後側の角部分に設けられる。
【０２４６】
図１９および図２０に示すように、メイン基板保持部２４５は、中部分筐体２２２に固定される。メイン基板保持部２４５は、環状の中部分筐体２２２によって囲まれる位置に設けられる。本実施形態においては、メイン基板保持部２４５と中部分筐体２２２とは、ネジ２６１（本実施形態においては、３つのネジ２６１）によって互いに固定される。上述したように、メイン基板保持部２４５には、上側が開口したネジ穴が３つ設けられている。また、中部分筐体２２２には、当該ネジ穴に対応する位置に孔が設けられている。図１９および図２０に示すように、中部分筐体２２２の孔を通した状態でネジ２６１をメイン基板保持部２４５のネジ穴に螺合させることによって、中部分筐体２２２とメイン基板保持部２４５とが固定される。
【０２４７】
（充電池）
図１９〜図２１に示すように、中部ユニット２４０は、充電池２４４を含む。充電池２４４は、球状コントローラ２００が備える各電子部品に電力を供給する。充電池２４４は、後述するメイン基板２４６に対して電気的に接続される。充電池２４４は、メイン基板保持部２４５の枠部２４５ａ内に設けられる。充電池２４４は、例えば両面テープまたは接着剤等によって枠部２４５ａに固定される。
【０２４８】
（メイン基板）
図１９〜図２１に示すように、中部ユニット２４０は、メイン基板２４６を含む。本実施形態においては、メイン基板２４６は、板状の基板である。ただし、メイン基板２４６は、曲げることが可能なフレキシブルプリント回路基板であってもよい。
【０２４９】
メイン基板２４６には、加速度センサ２４７が設けられる（図１９参照）。加速度センサ２４７は、慣性センサの一例であり、例えば、３軸方向（具体的には、上下方向、左右方向、および前後方向）に関する移動および回転を検知する。また、他の実施形態においては、慣性センサの一例として、ジャイロセンサが設けられてもよい。詳細は後述するが、加速度センサ２４７は、コントローラ本体部２０１の中心付近に配置されるべく、メイン基板２４６の上面における中央付近に設けられる（図１９および図２１参照）。
【０２５０】
メイン基板２４６には、光を発生する発光部が設けられる。本実施形態においては、球状コントローラ２００は２つの発光部２４８ａおよび２４８ｂを備える（図１９参照）。具体的には、左発光部２４８ａは、メイン基板２４６の上面における左端付近に設けられ、もう１つの右発光部２４８ｂは、メイン基板２４６の上面における右端付近に設けられる。なお、本明細書においては、左発光部２４８ａおよび右発光部２４８ｂの総称として「発光部２４８」と記載することがある。本実施形態においては、各発光部２４８は、左右方向についてジョイスティック２１２の外側に設けられる。つまり、各発光部２４８は、前後方向から見てジョイスティック２１２と重複しない位置に設けられる。
【０２５１】
メイン基板２４６には、充電端子２４９が設けられる（図２０参照）。充電端子２４９は、充電池２４４を充電するための電力供給を球状コントローラ２００の外部から受けるための端子である。本実施形態においては、充電端子２４９は、メイン基板２４６の下面における後端に設けられる。また、充電端子２４９は、充電端子２４９の後端がメイン基板２４６の後端より突出するように設けられる。
【０２５２】
また、図示しないが、メイン基板２４６には、球状コントローラ２００における動作を制御するための制御部（換言すれば、プロセッサ）が設けられる。また、メイン基板２４６には、当該メイン基板２４６をメイン基板保持部２４５に固定するためのネジを通すための孔が設けられる（図１９および図２０参照）。
【０２５３】
図１９〜図２１に示すように、メイン基板２４６は、メイン基板保持部２４５の下側に設けられる。本実施形態においては、メイン基板２４６とメイン基板保持部２４５とは、ネジ２６２（本実施形態においては、３つのネジ２６２）によって互いに固定される。具体的には、メイン基板保持部２４５の下側には、下側が開口したネジ穴が設けられる。また、上述のように、メイン基板２４６には、当該ネジ穴に対応する位置に、孔が設けられる。図１９〜図２１に示すように、メイン基板２４６の孔を通した状態でネジ２６２をメイン基板保持部２４５のネジ穴に螺合させることによって、メイン基板２４６とメイン基板保持部２４５とが固定される。
【０２５４】
また、図２１に示すように、メイン基板２４６がメイン基板保持部２４５に固定された状態では、充電端子２４９は、メイン基板保持部２４５の窪み面２４５ｄの孔から露出する。図２１に示すように、充電端子２４９の後端は、窪み面２４５ｄよりも突出しないように（すなわち、窪み面２４５ｄよりも前側に）設けられる。
【０２５５】
（ジョイスティック）
図１９および図２０に示すように、中部ユニット２４０は、上述のジョイスティック２１２を含む。ジョイスティック２１２は、土台部２５１と、軸部２５２とを有する。土台部２５１は直方体状の形状であり、土台部２５１の前側に軸部２５２が設けられる。図２１に示すように、軸部２５２は、棒状部２５２ａと、先端部２５２ｂとを有する。具体的には、棒状部２５２ａは、前後方向に延びる棒状の形状を有し、後端側において土台部２５１に接続される。先端部２５２ｂは、円板状の形状を有し、棒状部２５２ａの前端側に設けられる。先端部２５２ｂの前側の面が、ジョイスティック２１２の操作面（すなわち、図１３に示す操作面２５２ｃ）である。なお、軸部２５２が操作されていない状態においては、先端部２５２ｂは、操作面が前後方向に実質的に垂直に配置される。軸部２５２は、ユーザによる傾倒操作に応じて、土台部２５１に対して傾倒可能に設けられる。また、軸部２５２は、ユーザによる押し込み操作に応じて移動可能に設けられる。なお、ジョイスティック２１２の構成は、従来のアナログスティックユニットと同様であってもよい。
【０２５６】
図１９〜図２１に示すように、ジョイスティック２１２は、メイン基板保持部２４５の前側に設けられる。具体的には、ジョイスティック２１２は、メイン基板保持部２４５のスティック取付部２４５ｂに取り付けられる。本実施形態においては、ジョイスティック２１２とメイン基板保持部２４５とは、ネジ２６３（本実施形態においては、２つのネジ２６３）によって互いに固定される。上述のように、スティック取付部２４５ｂには、前側が開口したネジ穴が設けられる。また、ジョイスティック２１２の土台部２５１には、当該ネジ穴に対応する位置に、孔が設けられる。図１９および図２０に示すように、土台部２５１の孔を通した状態でネジ２６３をスティック取付部２４５ｂのネジ穴に螺合させることによって、ジョイスティック２１２とメイン基板保持部２４５とが固定される。
【０２５７】
本実施形態においては、ジョイスティック２１２は、土台部２５１の後面が、スティック取付部２４５ｂに対向する向きに取り付けられる。したがって、ジョイスティック２１２は、図１９に示すように、軸部２５２（具体的には、軸部２５２の軸方向、あるいは、先端部２５２ｂの操作面）が前方向を向くように設けられる。ジョイスティック２１２は、軸部２５２に対して操作が行われていない状態においては棒状部２５２ａが前後方向に実質的に平行になるように設けられる（図２１参照）。
【０２５８】
上記のように、ジョイスティック２１２の軸部２５２は、当該軸部２５２が操作されていない状態において実質的に筐体２１１の中心を向くように設けられる。これによれば、ユーザは、ジョイスティック２１２に対して力を加えやすいので、ジョイスティック２１２に対する操作を行いやすくなる。さらに、本実施形態においては、ジョイスティック２１２の軸部２５２は、当該軸部２５２の軸方向に沿って押し下げることが可能である。したがって、本実施形態においては、方向入力操作に加えて、軸部２５２を押し下げる操作も行いやすくなる。すなわち、ジョイスティック２１２の操作性を向上することができる。
【０２５９】
（導光部等）
図１９〜図２１に示すように、中部ユニット２４０は、反射部２５３、導光部２５４、および、拡散シート２５５を含む。これらの各部２５３〜２５５は、上記発光部２４８が発した光を筐体２１１の開口２１１ａから出射するための構成である。
【０２６０】
導光部２５４は、透明な材質で構成され、発光部２４８が発した光を入射面から入射し、当該導光部２５４の内部を通った光を出射面から出射する導光路として機能する。具体的には、導光部２５４は、中央に孔が形成された板状の周囲部２５６を有する。周囲部２５６は、ジョイスティック２１２の周囲に設けられる。本実施形態においては、周囲部２５６の前面が出射面として機能する。また、導光部２５４は、２つの延伸部２５７を有する。左延伸部２５７ａは、周囲部２５６の左端から延びるように設けられ、もう１つの右延伸部２５７ｂは、周囲部２５６の右端から延びるように設けられる。なお、本明細書においては、左延伸部２５７ａおよび右延伸部２５７ｂの総称として「延伸部２５７」と記載することがある。また、周囲部２５６から延びる各延伸部２５７の各先端は入射面として機能する。なお、導光部２５４の詳細については、“［２−３．発光に関する構成］”において後述する。
【０２６１】
反射部２５３は、環状の形状であり、白色の材質で構成される。詳細は後述するが、反射部２５３は、導光部２５４の周囲部２５６の後側（換言すれば、出射面の裏側）に設けられ、出射面の裏側から出射される光を反射し、出射面からより多くの光が出射されるようにするために設けられる。また、本実施形態においては、反射部２５３は、マイクロセルポリマーシートで構成され、緩衝材としても機能する。
【０２６２】
拡散シート２５５は、半透明のシート状の材質で構成され、当該拡散シート２５５を通過する光を拡散させる性質を有する。なお、拡散シート２５５は、薄いシート状であるので、図２１に示す断面図では拡散シート２５５を示していない。拡散シート２５５は、導光部２５４の出射面から出射された光を拡散して前側へ出射する。本実施形態においては、拡散シート２５５は、環状の形状である。拡散シート２５５は、導光部２５４の出射面に設けられる孔の周囲に設けられる。
【０２６３】
図１９〜図２１に示すように、反射部２５３、導光部２５４、および、拡散シート２５５は、ジョイスティック２１２の土台部２５１の前側に設けられる。具体的には、土台部２５１の前に反射部２５３が設けられ、反射部２５３の前に導光部２５４の周囲部２５６が設けられ、周囲部２５６の前に拡散シート２５５が設けられる。また、図２１に示すように、反射部２５３、周囲部２５６、および、拡散シート２５５は、土台部２５１と中部分筐体２２２の正面部２４１とに挟まれて固定される。したがって、反射部２５３と周囲部２５６とは接触しており、周囲部２５６と拡散シート２５５とは接触している。
【０２６４】
反射部２５３、周囲部２５６、および、拡散シート２５５はそれぞれ、自身に設けられる孔を軸部２５２が通る状態で配置される。このように、反射部２５３、周囲部２５６、および、拡散シート２５５は、軸部２５２の周囲に設けられる。詳細は後述するが、本実施形態においては、コントローラ本体部２０１を前側から見た場合、開口２１１ａを介して、軸部２５２の周囲に設けられる拡散シート２５５（ならびに、その後方の周囲部２５６および反射部２５３）が視認可能である。
【０２６５】
なお、本実施形態においては、周囲部２５６（反射部２５３および拡散シート２５５も同様である）は、ジョイスティック２１２の全周に設けられる。ここで、他の実施形態においては、周囲部２５６は、ジョイスティック２１２の全周を完全に囲むように設けられる必要はない。例えば、他の実施形態においては、周囲部２５６（反射部２５３および拡散シート２５５も同様である）は、環形状の一部が切り欠かれた形状であってもよい。
【０２６６】
図２２は、中部分筐体、導光部、および、メイン基板の位置関係の一例を示す斜視図である。なお、図２２においては、これら各構成要素の位置関係を見やすくする目的で、中部分筐体の一部を省略して示している。図２２に示すように、導光部２５４の右延伸部２５７ｂの先端である入射面は、メイン基板２４６上に設けられる右発光部２４８ｂの近傍（具体的には、真上）に設けられる。これと同様に、導光部２５４の左延伸部２５７ａの先端である入射面は、メイン基板２４６上に設けられる左発光部２４８ａの近傍（具体的には、真上）に設けられる。
【０２６７】
また、図２２に示すように、右延伸部２５７ｂには、孔２５７ｄが設けられる。導光部２５４が中部分筐体２２２に取り付けられた状態において、中部分筐体２２２の右帯状部２４３に設けられる爪部２４３ｂは、当該孔２５７ｄに係止する。また、右延伸部２５７ｂと同様に左延伸部２５７ａにも、孔（後述する図３１に示す孔２５７ｃ）が設けられる。導光部２５４が中部分筐体２２２に取り付けられた状態において、中部分筐体２２２の左帯状部２４２に設けられる爪部は、当該孔に係止する。このように、導光部２５４は、各爪部が各延伸部２５７の孔に係止するように設けられる。爪部が孔に係止することによって、導光部２５４をしっかりと固定することができる。
【０２６８】
（再起動ボタン）
図２０に示すように、中部ユニット２４０は、上述の再起動ボタン２１４を含む。再起動ボタン２１４は、例えばゴム等の弾性体によって構成され、操作面が押し下げられることに応じて変形可能である。再起動ボタン２１４は、中部分筐体２２２の孔２４２ａから操作面が露出するように設けられる（図１０の（ｆ）参照）。なお、本実施形態においては、再起動ボタン２１４は、操作面が中部分筐体２２２の表面に対して窪んだ位置となるように設けられる。
【０２６９】
また、中部ユニット２４０は、再起動ボタン２１４に対する押し下げ操作を検知するためのボタン検知部２５８を含む。図示しないが、ボタン検知部２５８には、再起動ボタン２１４に対する操作を検知するための接点と、当該接点に対して再起動ボタン２１４が接触したことを検知する検知回路が設けられる。ボタン検知部２５８は、メイン基板保持部２４５の検知回路取付部２４５ｅに取り付けられる。
【０２７０】
ボタン検知部２５８は、再起動ボタン２１４の内側に設けられる。具体的には、ボタン検知部２５８は、上記接点が再起動ボタン２１４の操作面の裏側の位置となるように配置される。したがって、再起動ボタン２１４に対して押し下げ操作が行われたことに応じて再起動ボタン２１４が変形すると、再起動ボタン２１４の一部がボタン検知部２５８の接点に接触する。ボタン検知部２５８の検知回路は、再起動ボタン２１４が接点に接触したことを検知する。また、図示しないが、ボタン検知部２５８の検知回路は、メイン基板２４６に対して電気的に接続される。
【０２７１】
（カバー部）
図１９〜図２１に示すように、中部ユニット２４０は、上述のカバー部２１５を含む。本実施形態においては、カバー部２１５は、上部分筐体２２１および下部分筐体２２３の表面部と同様、中部分筐体２２２よりも軟らかい材質（例えば、表面部と同様のエラストマー）で構成される。
【０２７２】
図１９および図２０に示すように、カバー部２１５は、球面状の表面と、当該表面の裏側に設けられる棒状部２５９とを有する。カバー部２１５をメイン基板保持部２４５に取り付ける際、棒状部２５９は、メイン基板保持部２４５の窪み面２４５ｄに設けられる取付孔（すなわち、図２９に示す孔２４５ｆ）に挿入される。なお、棒状部２５９の先端部分は、先端以外の部分よりもやや太くなっている。そのため、取付孔に挿入された棒状部２５９は、ある程度の力では取付孔から外れないようになっている。カバー部２１５は、棒状部２５９が取付孔に挿入された状態で、窪み面２４５ｄを覆うように取り付けられる。
【０２７３】
［２−２−３．下部ユニット］
図２３は、下部ユニットの一例の分解斜視図である。図２３は、下部ユニット２７０を前方上側から見た分解斜視図である。
【０２７４】
（下部分筐体）
図２３に示すように、下部ユニット２７０は、下部分筐体２２３を含む。上述のように、下部分筐体２２３は、上部分筐体２２１と同様、半球状の形状を有する。図２３に示すように、下部分筐体２２３は、上側が開口しており、半球の底面に相当する面を有していない。そのため、下部分筐体２２３は、半球面状の形状であると言うこともできる。下部分筐体２２３は、上部分筐体２２１と同様、球冠状の形状であると言うこともできる。
【０２７５】
図２３に示すように、本実施形態においては、下部分筐体２２３は、半球面の前端部分が切り欠かれた形状である。具体的には、下部分筐体２２３は、前後方向に垂直な平面で半球面の前端部分を切った形状である。つまり、下部分筐体２２３は、半球の底面の周となる辺２２３ａと、上記平面で半球面の前端部分を切ることによって生じる辺２２３ｂとを含む。辺２２３ｂは、前側から下部分筐体２２３を見た場合に半円状に見える形状である。なお、下部分筐体２２３における上記切り欠きの形状は、中部分筐体２２２が有する上述の前端面の形状に応じた形状（具体的には、前端面の下側の辺に実質的に一致する形状）であり、具体的には、半円状である。ただし、切り欠きの形状は任意であり、他の実施形態においては、半円以外の形状であってもよい。
【０２７６】
また、下部分筐体２２３は、半球面の前端部分に加えて、半球面の後端部分も切り欠かれた形状を有する。したがって、下部分筐体２２３は、後端部分の切り欠きによって生じる辺２２３ｃを含む。後端部分の切り欠きの形状は、上記カバー部２１５の表面の形状と実質的に一致する。つまり、上記カバー部２１５は、下部分筐体２２３の後端における切り欠き部分を覆うように設けられる。
【０２７７】
図２３に示すように、下部分筐体２２３は、上部分筐体２２１と同様、表面部２７２と、内壁部２７３とを有する。表面部２７２は、下部分筐体２２３の外側の表面を構成する部品である。内壁部２７３は、下部分筐体２２３の内壁を構成する部品である。表面部２７２および内壁部２７３は、下部分筐体２２３と同様の半球状の形状であり、下部分筐体２２３と同様、半球面の前端部分と後端部分とが切り欠かれた形状である。また、内壁部２７３は、表面部２７２の内側に接続される。例えば、内壁部２７３は、表面部２７２の内側に対して接着剤で接合される。なお、内壁部２７３は、内壁部２７３の外側の面が表面部２７２の内側の面に一致する大きさである。
【０２７８】
下部分筐体２２３の表面部２７２は、上部分筐体２２１の表面部２３１と同様、上記中部分筐体２２２および内壁部２７３よりも軟らかい弾性体（例えば、エラストマー）で構成される。下部分筐体２２３の内壁部２７３は、上部分筐体２２１の内壁部２３２と同様、内壁部２７３よりも硬い材質（例えば、樹脂）で構成される。
【０２７９】
また、内壁部２７３は、上部分筐体２２１の内壁部２３２と同様、発光部２４８による光が内壁部２７３をなるべく透過しないように、例えば、黒色の材質で構成される。
【０２８０】
図２３に示すように、内壁部２７３には、リブ２７３ａが設けられる。リブ２７３ａは、下部分筐体２２３の球面の内壁に対して突出するように設けられる。なお、リブ２７３ａは、振動部２７１に接触しないように（換言すれば、振動部２７１が設けられる位置を避けて）設けられる。なお、リブ２７３ａが設けられる位置および数は任意である。リブ２７３ａが設けられることによって、下部分筐体２２３の強度（換言すれば、剛性）を向上することができる。
【０２８１】
なお、本実施形態においては、上部分筐体２２１の内壁に設けられるリブの数は、下部分筐体２２３の内壁に設けられるリブの数よりも少ない（上部分筐体２２１の内壁にはリブが設けられない態様を含む意味である）。上部分筐体２２１については、サブ基板２３７およびサブ基板保持部２３８が上部分筐体２２１に対して固定されることによって強度を向上することができるためである。つまり、本実施形態においては、上部分筐体２２１には下部分筐体２２３に比べてリブを少なくすることによって、多くの部品を収納可能とするとともに、収納した部品（すなわち、サブ基板２３７およびサブ基板保持部２３８）を上部分筐体２２１に固定することによって強度を向上している。
【０２８２】
図２３に示すように、内壁部２７３には、振動部取付部２７３ｂが設けられる。なお、図２３においては、２つの振動部取付部２７３ｂのみが示されているが、内壁部２７３には４つの振動部取付部２７３ｂが設けられる。振動部取付部２７３ｂには、上側が開口したネジ穴が設けられる。このネジ穴は、下部分筐体２２３に対して後述する振動部２７１を取り付けるためのネジ穴である。
【０２８３】
図２３に示すように、内壁部２７３には、筐体取付部２７３ｃが設けられる。筐体取付部２７３ｃには、当該筐体取付部２７３ｃを前後方向に貫通するネジ孔が２つ設けられる。このネジ孔は、下部分筐体２２３（換言すれば、下部ユニット２７０）を、メイン基板保持部２４５（換言すれば、中部ユニット２４０）に取り付けるためのネジ孔である。
【０２８４】
図２３に示すように、内壁部２７３には、突出爪部２７３ｄが設けられる。突出爪部２７３ｄは、下部分筐体２２３の辺２２３ａよりも上側に突出して設けられる。本実施形態においては、突出爪部２７３ｄは、下部分筐体２２３の辺２２３における右後方の部分と左後方の部分とに１つずつ設けられる。詳細は後述するが、中部分筐体２２２と下部分筐体２２３とが接続される場合には、突出爪部２７３ｄが中部分筐体２２２に係止する。
【０２８５】
また、図２３に示すように、内壁部２７３には、爪部２７３ｅが設けられる。爪部２７３ｅは、下部分筐体２２３の辺２２３ａよりも突出しないように設けられる。爪部２７３ｅは、下部分筐体２２３における右前方の部分に設けられる。また、図示しないが、下部分筐体２２３における左前方の部分にも爪部２７３ｅと同様の爪部が設けられる。詳細は後述するが、中部分筐体２２２と下部分筐体２２３とが接続される場合には、上記爪部２７３ｅが中部分筐体２２２の上記被係止部２４３ａ（図１９参照）に係止する。
【０２８６】
（振動部）
図２３に示すように、下部ユニット２７０は、振動部２７１を備える。振動部２７１は、振動を発生して筐体２１１を振動させる振動子である。なお、図示しないが、振動部２７１は、メイン基板２４６（より具体的には、メイン基板２４６上に設けられる制御部）に電気的に接続される。
【０２８７】
本実施形態においては、振動部２７１は、ボイスコイルモータである。すなわち、振動部２７１は、自身に入力される信号に応じて振動を発生することが可能であるとともに、当該信号に応じて音を発生することが可能である。例えば、可聴域の周波数の信号が振動部２７１に入力される場合、振動部２７１は、振動を発生するとともに音（すなわち、可聴音）を発生する。例えば、ゲームに登場するキャラクタの声（または鳴き声）を示す音声信号が入力される場合、振動部２７１は、当該キャラクタの声（または鳴き声）を出力する。また、可聴域外の周波数の信号が振動部２７１に入力される場合、振動部２７１は、振動を発生する。なお、振動部２７１に入力される信号は、振動部２７１が行うべき振動の波形を示す信号ということもできるし、振動部２７１が出力すべき音の波形を示す音声信号ということもできる。振動部２７１に入力される信号は、振動部２７１に所望の波形の振動を行わせることを意図した振動信号であってもよいし、振動部２７１に所望の音を出力させることを意図した音声信号であってもよい。以上のように、本実施形態においては、振動部２７１が振動および音を出力することができるので、球状コントローラ２００から振動および音を出力させることができるとともに、コントローラ本体部２０１の内部構成を簡易化することができる。
【０２８８】
図２３に示すように、振動部２７１は、円柱状の外形形状を有する。本実施形態においては、球状の筐体２１１内に円柱状の振動部を配置するので、当該筐体２１１内の空間を効率良く利用することができる。一般的には、振動部２７１が大きいほど強い振動を発生することができるので、本実施形態によれば、強い振動を発生することができる振動部を配置しやすくなる。
【０２８９】
本実施形態においては、振動部２７１は、円柱状である振動部２７１の側面から突出する突出部２７１ａを有する。本実施形態においては、４つの突出部２７１ａが、振動部２７１の側面の上端に設けられる。突出部２７１ａは、振動部２７１の側面から上下方向に垂直な方向に突出する。各突出部２７１ａには、振動部２７１を下部分筐体２２３に固定するネジを通すための孔が設けられる（図２３参照）。
【０２９０】
図２３に示すように、振動部２７１は、下部分筐体２２３の内側に取り付けられる。本実施形態においては、振動部２７１と下部分筐体２２３とは、ネジ２７４（本実施形態においては、４つのネジ２７４）によって互いに固定される。上述したように、下部分筐体２２３の振動部取付部２７３ｂには、上側が開口したネジ穴が４つ設けられている。また、振動部２７１の上記突出部２７１ａには、当該ネジ穴に対応する位置に孔が設けられている。図２３に示すように、振動部２７１の孔を通した状態でネジ２７４を下部分筐体２２３のネジ穴に螺合させることによって、振動部２７１と下部分筐体２２３とが固定される。本実施形態においては、振動部２７１は、円柱の中心軸（換言すれば、振動部２７１の中心軸）が上下方向に実質的に平行になる向きに設けられる。本実施形態においては、振動部２７１は、自身の振動方向が上下方向に実質的に平行になる向きに設けられる。
【０２９１】
本実施形態においては、振動部２７１は、下部分筐体２２３にネジ止めされる突出部２７１ａの箇所でのみ、下部分筐体２２３と接触している。つまり、円柱状である振動部２７１の底面および側面は、下部分筐体２２３に接触してない。このように、振動部２７１が下部分筐体２２３に接触する部分を限定的にすることによって、振動部２７１による振動が下部分筐体２２３に伝達される場合の振動特性のばらつき（すなわち、製品毎のばらつき）を低減することができる。
【０２９２】
また、本実施形態においては、振動部２７１と下部分筐体２２３との４つの接続箇所（すなわち、４つの上記突出部２７１ａ）は、前後方向および左右方向に関して実質的に対称に配置される。すなわち、上記４つの接続箇所は、当該４つの接続箇所の中心を通り左右方向に平行な軸に関して実質的に対称に配置される。また、上記４つの接続箇所は、当該４つの接続箇所の中心を通り前後方向に平行な軸に関して実質的に対称に配置される。これによれば、振動部２７１による振動をバランス良く筐体２１１に伝達することができる。
【０２９３】
［２−２−４．各ユニットの接続］
コントローラ本体部２０１は、上記で説明した上部ユニット２３０、中部ユニット２４０、および、下部ユニット２７０をそれぞれ接続することによって構成される。
【０２９４】
図２４は、上部ユニット２３０の一例と中部ユニット２４０の一例との分解斜視図である。図２４に示すように、上部ユニット２３０と中部ユニット２４０とは、ネジ２８１（本実施形態においては、３つのネジ２８１）によって互いに固定される。具体的には、上部ユニット２３０の上部分筐体２２１（具体的には、内壁部２３２）の内側面には、下側が開口した３つのネジ穴が設けられる（図１６参照）。また、中部ユニット２４０のメイン基板保持部２４５には、当該３つのネジ穴に対応する位置に、３つの孔が設けられる（図１９参照）。具体的には、枠部２４５ａの左側と右側とに１つずつ孔が設けられ、ストラップ取付軸２４５ｃに孔が設けられる（図１９参照）。図２４に示すように、メイン基板保持部２４５の孔を通した状態でネジ２８１を上部分筐体２２１のネジ穴に螺合させることによって、上部ユニット２３０と中部ユニット２４０とが固定される。
【０２９５】
なお、上部ユニット２３０と中部ユニット２４０とが接続される場合、上部分筐体２２１の辺２２１ａが中部分筐体２２２の各帯状部２４２および２４３と接触し、上部分筐体２２１の辺２２１ｂが中部分筐体２２２の正面部２４１の上側の辺と接触する。これによって、上部分筐体２２１と中部分筐体２２２は、両者の間には実質的に隙間が生じないように接続される。ただし、中部分筐体２２２の左帯状部２４２の後端と右帯状部２４３の後端とは連続していないので、上部分筐体２２１の後端部分は中部分筐体２２２と接触しない。
【０２９６】
図２５および図２６は、コントローラ本体部２０１の一例の分解斜視図である。図２５は、上部ユニット２３０および中部ユニット２４０が接続された上中部ユニット２９０と、下部ユニット２７０とを前方下側から見た斜視図である。一方、図２６においては、前方下側から見た上中部ユニット２９０と、前方上側から見た下部ユニット２７０とを示している。
【０２９７】
図２５および図２６に示すように、上部ユニット２３０および中部ユニット２４０が接続された上中部ユニット２９０に対して、下部ユニット２７０がさらに接続される。本実施形態においては、下部ユニット２７０は、上中部ユニット２９０に対して、爪部とネジとによって接続される。
【０２９８】
上述したように、下部分筐体２２３には４つの爪部（すなわち、２つの突出爪部２７３ｄおよび２つの爪部２７３ｅ）が設けられる。これらの爪部は、中部分筐体２２２に係止する。具体的には、突出爪部２７３ｄは、中部分筐体２２２の各帯状部２４２および２４３の内側に係止する。また、爪部２７３ｅは、中部分筐体２２２の被係止部２４３ａ（図１９参照）に係止する。これによって、下部分筐体２２３と中部分筐体２２２とが固定される。
【０２９９】
また、図２６に示すように、上中部ユニット２９０と下部ユニット２７０とは、ネジ２８２によって互いに固定される。具体的には、下部ユニットの筐体取付部２７３ｃには、当該筐体取付部２７３ｃを前後方向に貫通する２つのネジ孔が設けられる。また、上中部ユニット２９０に含まれるメイン基板保持部２４５の窪み面２４５ｄには、当該２つのネジ孔に対応する位置に２つの孔が設けられる。図２６に示すように、窪み面２４５ｄの孔を通した状態でネジ２８２を下部分筐体２２３のネジ孔に螺合させることによって、上中部ユニット２９０と下部ユニット２７０とが固定される。
【０３００】
なお、本実施形態においては、上中部ユニット２９０と下部ユニット２７０とが接続される場合、下部分筐体２２３の辺２２３ａが中部分筐体２２２の各帯状部２４２および２４３と接触し、下部分筐体２２３の辺２２３ｂが中部分筐体２２２の正面部２４１の下側の辺と接触する（図２５参照）。これによって、下部分筐体２２３と中部分筐体２２２は、両者の間には実質的に隙間が生じないように接続される。ただし、中部分筐体２２２の左帯状部２４２の後端と右帯状部２４３の後端とは連続していないので、下部分筐体２２３の後端部分は中部分筐体２２２と接触しない。本実施形態においては、中部分筐体２２２の左帯状部２４２の後端と、右帯状部２４３の後端と、上部分筐体２２１と、下部分筐体２２３とによって、筐体２１１の後端に孔が形成される。この孔が、上述したストラップ孔２１１ｃ（図１０参照）となる。
【０３０１】
本実施形態においては、コントローラ本体部２０１の各構成要素をネジおよび爪部等で接続する例を説明したが、各構成要素を接続する方法は任意である。また、各構成要素を接続（換言すれば、固定）するために用いるネジの位置および数は、任意である。
【０３０２】
［２−２−５．内部の配置］
（アンテナの配置について）
図２７は、コントローラ本体部の一例の断面図である。図２７は、コントローラ本体部２０１の中心を通り、左右方向に垂直な断面による断面図である。上述したように、アンテナ２９１は、サブ基板２３７上に設けられる。本実施形態においては、アンテナ２９１は、筐体２１１の中心Ｃよりも上側であって、中心Ｃよりも前側に配置される（図２７参照）。
【０３０３】
図２７に示すように、本実施形態においては、アンテナ２９１の位置は、筐体２１１の中心Ｃと操作面２１３との間となる。より具体的には、筐体２１１の中心Ｃと操作面２１３とを通る直線（すなわち、図１３に示す直線Ｌ３）に平行な方向（すなわち、上下方向）に関するアンテナ２９１の位置は、当該方向に関する筐体２１１の中心Ｃの位置（すなわち、中心Ｃのｙ軸座標）と、当該方向に関する当該操作面２１３の位置（すなわち、操作面２１３のｙ軸座標）との間となる。換言すれば、本実施形態においては、アンテナ２９１は、筐体２１１の中心Ｃよりも、上記「方向入力における上方向」の側に設けられ、操作面２１３は、アンテナ２９１よりも「方向入力における上方向」の側に設けられる。アンテナ２９１を上記のような位置に配置する場合、操作面２１３を操作する指はアンテナ２９１による通信の邪魔になりにくく、球状コントローラ２００は、アンテナ２９１による通信を良好に行うことができる。
【０３０４】
また、本実施形態においては、球状コントローラ２００は、操作面２１３に対する押し下げ操作を検知するための接点２３７ａと、アンテナ２９１とが設けられる電子基板（すなわち、サブ基板２３７）を備える。このように、接点２３７ａを設ける基板と、アンテナ２９１を設ける基板とを共通にすることによって、筐体２１１内において部品配置の効率化を図ることができ、球状コントローラ２００の軽量化および省スペース化を図ることができる。また、上記によれば、アンテナ２９１を、操作面２１３の下方において、操作面２１３からある程度離して配置することができる。したがって、操作面２１３を操作する指がアンテナ２９１による通信の邪魔になりにくくすることができ、球状コントローラ２００は、アンテナ２９１による通信を良好に行うことができる。
【０３０５】
また、本実施形態においては、操作面２１３は、半球状の上部分筐体２２１に設けられ、アンテナ２９１は、当該上部分筐体２２１（換言すれば、第１半球部）の内部に設けられる。このように、本実施形態においては、アンテナ２９１は、操作面２１３が設けられる部分筐体内に設けられる。これによれば、球状の筐体２１１内においてアンテナ２９１を操作面２１３と同じ側に配置することができる。これによって、操作面２１３を操作する指がアンテナ２９１による通信の邪魔になりにくくすることができ、球状コントローラ２００は、アンテナ２９１による通信を良好に行うことができる
【０３０６】
また、本実施形態においては、操作面２１３は、筐体２１１の上端部に設けられ、ジョイスティック２１１は、筐体２１１の前端部に設けられ、アンテナ２９１は、筐体２１１の中心Ｃより前側かつ上側に設けられる（図２７参照）。換言すれば、アンテナ２９１は、筐体２１１の中心Ｃと開口２１１ａとを通る直線（すなわち、図１３に示す直線Ｌ４）に垂直であって当該中心Ｃを含む平面（すなわち、図１３に示す平面Ｐ１）よりもジョイスティック２１２側に設けられる。つまり、アンテナ２９１は、上記平面を基準としてジョイスティック２１２と同じ側（具体的には、前側）に設けられる。なお、「アンテナ２９１が前側に設けられる」とは、アンテナ２９１の少なくとも一部が前側に設けられる態様を含む意味である。
【０３０７】
ここで、ジョイスティック２１２が親指で操作され、操作面２１３が人差し指で操作されるとした場合、図１２に示すように、筐体２１１の表面上において、ジョイスティック２１２と操作面２１３との間には指が配置されない。したがって、上記のように、アンテナ２９１をジョイスティック２１２と同じ側に配置することによって、指が配置される可能性が低い位置にアンテナ２９１を配置することができる。これによって、球状コントローラ２００を把持する指がアンテナ２９１による通信の邪魔になりにくくすることができ、アンテナ２９１による通信を良好に行うことができる。
【０３０８】
本実施形態においては、アンテナ２９１は、操作面２１３と開口２１１ａと筐体２１１の中心Ｃとを通る断面の円形状領域のうちで、操作面２１３と中心Ｃとを通る線分と、開口２１１ａと中心Ｃとを通る線分とを半径とし、中心角が劣角となる扇形の領域（すなわち、図２７に示す一点鎖線で囲まれる領域Ｒ）に、アンテナ２９１の少なくとも一部が配置されるように設けられる。このように、アンテナ２９１の少なくとも一部が上記領域に配置されることによって、球状コントローラ２００を把持する指がアンテナ２９１による通信の邪魔になりにくくすることができ、アンテナ２９１による通信を良好に行うことができる
【０３０９】
なお、本実施形態においては、上記扇形の中心角が９０°となるようにジョイスティック２１２および操作面２１３が配置された。換言すれば、ジョイスティック２１２および操作面２１３は、ジョイスティック２１２（換言すれば、開口２１１ａ）と筐体２１１の中心Ｃとを通る直線と、操作面２１３と中心Ｃとを通る直線とが直交するように配置された。ここで、他の実施形態においては、扇形の中心角は９０°でなくてもよい。上記扇形の中心角が９０°とならない場合であっても、アンテナ２９１の少なくとも一部が当該扇形の領域に含まれるようにアンテナ２９１を配置することによって、本実施形態と同様に、球状コントローラ２００を把持する指がアンテナ２９１による通信の邪魔になりにくくすることができる。
【０３１０】
（操作面の構成について）
上述のように、本実施形態においては、球状コントローラ２００は、筐体２１１の表面と一体的に形成される操作面２１３を有する操作部を備える。これによれば、操作面２１３と、筐体２１１のうちの操作面２１３以外の部分との間に隙間が生じなくすることができるので、コントローラ本体部２０１の外観を球により近い形状とすることができる。これによって、コントローラ本体部２０１を把持する感触を良好なものとすることができる。また、操作面２１３に他の物が引っ掛かって操作面２１３が意図せずに操作されてしまう可能性を低減することができる。
【０３１１】
なお、「操作面が筐体の表面と一体的に形成される」とは、本実施形態のように、操作面と筐体の表面との間に溝（すなわち、標識２１１ｂ）が形成される態様を含む意味である。なお、溝の深さおよび幅は任意である。また、「操作面が筐体の表面と一体的に形成される」とは、操作面の少なくとも一部が筐体の表面と一体的に構成されていることを意味する。例えば、本実施形態においては、操作面２１３の周の全体が筐体２１１の表面に連続するように構成されるが、他の実施形態においては、操作面２１３の周の一部のみが筐体２１１の表面に連続するように構成されてもよい。したがって、例えば、操作面２１３の周の一部と筐体２１１の表面との間には切れ込みが形成されて連続しておらず、操作面２１３の周の他の一部と筐体２１１の表面とが一体的に形成されている（換言すれば、連続している）場合、「操作面が筐体の表面と一体的に形成される」ということができる。
【０３１２】
上述のように、本実施形態においては、操作面２１３と、筐体２１１の表面（すなわち、表面部２３１）とは、弾性体によって構成される。また、筐体２１１は、弾性体によって構成される表面の内側に設けられ、当該弾性体よりも硬い内壁部２３２を有する。上記によれば、筐体２１１の表面と一体的に形成される操作面２１３を押し下げ可能な構成とすることができる。また、上記によれば、内壁部を設けることによって、通常の力でユーザが筐体２１１を把持した場合に筐体２１１のうちで操作面２１３以外の部分が大きく変形することを防止することができる。なお、本実施形態においては、上部分筐体２２１および下部分筐体２２３の表面が弾性体によって構成される。ただし、他の実施形態においては、筐体２１１の表面のうち、操作面２１３の周囲の部分のみが弾性体によって構成されてもよい。
【０３１３】
また、本実施形態においては、操作面２１３を有する操作部は、可動部（具体的には、キートップ２３５）を有する。また、球状コントローラ２００は、検知部（具体的には、検知回路３２２）とを備える。可動部は、筐体２１１および操作面２１３に覆われ、操作面２１３が押し下げられたことに応じて動くことが可能である。検知部は、可動部の動きに応じて操作面２１３に対する操作を検知する。上記によれば、球状コントローラ２００は、操作面が押し下げられたことを簡易な構成によって検知することができる。
【０３１４】
また、本実施形態においては、操作面２１３は、球面状の形状である。具体的には、操作面２１３は、筐体２１１の半径と実質的に同じ半径である球面状の形状である。したがって、本実施形態においては、筐体２１１と操作面２１３とによって１つの球面が形成される。なお、このとき、操作面２１３は、筐体２１１の表面に沿って設けられると言うことができる。本実施形態によれば、コントローラ本体部２０１の外観を球により近い形状とすることができる。なお、操作面２１３は、（ａ）本実施形態のように、筐体２１１と操作面２１３とが一体である態様と、（ｂ）本実施形態とは異なり、筐体と操作面とが別体である態様とのいずれであってもよい。例えば、筐体とは別体の操作面が、当該筐体の表面と同じ球の球面となる場合であっても、本実施形態と同様、コントローラ本体部２０１の外観を球により近い形状とすることができる。
【０３１５】
なお、他の実施形態においては、操作面２１３は、筐体２１１の表面から突出して設けられてもよい。これによれば、操作面の位置をユーザにとってわかりやすくすることができる。なお、この場合であっても、コントローラ本体部２０１は全体として球状であると言うことができる。
【０３１６】
また、他の実施形態においては、操作面２１３は、筐体２１１と別体であってもよい。例えば、操作面は、筐体２１１とは別体の操作ボタンの一部であってもよい。具体的には、筐体２１１には、開口２１１ａとは異なるボタン孔が設けられ、操作面（換言すれば、操作ボタン）は、当該ボタン孔から露出するように設けられてもよい。これによれば、操作ボタンの位置をユーザにとってわかりやすくすることができる。なお、このとき、操作面は、筐体２１１に沿って設けられてもよいし、筐体２１１から突出して設けられてもよいし、筐体２１１に対して窪んで設けられてもよい。
【０３１７】
本実施形態においては、操作面２１３の面積は、ジョイスティック２１２の操作面２５２ｃの面積よりも広い。これによれば、操作面２１３をユーザにとって押しやすくすることができる。なお、他の実施形態においては、操作面２１３の大きさおよび形状は任意であり、ジョイスティック２１２の操作面２５２ｃよりも小さくてもよい。
【０３１８】
（ジョイスティックの配置について）
図２８は、球状コントローラの一例の前端部分付近を模式的に示す図である。なお、図２８は、球体コントローラ２００の前端部分付近を左右方向から見た図であり、ジョイスティック２１２と、筐体２１１および開口２１１ａとの関係を模式的に示す。図２８において、実線で示す軸部２５２は、操作されていない状態における軸部２５２を示し、点線で示す軸部２５２は、限度まで傾倒された状態における軸部２５２を示している。
【０３１９】
図２８に示すように、筐体２１１は、球面２１１ｄと、前端面２１１ｅとを有する。球面２１１ｄは、筐体２１１の中心から所定距離（半径距離と呼ぶ）となる位置に設けられる。前端面２１１ｅは、開口２１１ａが形成される開口面である。ジョイスティック２１１は、開口２１１ａから筐体２１１の外部へ突出する。
【０３２０】
前端面２１１ｅは、筐体２１１の中心からの距離が上記半径距離よりも短い位置に設けられる。換言すれば、前端面２１１ｅは、基準球面より窪んだ位置（換言すれば、基準球面の内側の位置）に設けられる。ここで、基準球面とは、中心が筐体２１１の中心であり、半径の長さが上記半径距離である球領域の球面である（図２８に示す一点鎖線）。つまり、筐体２１１の球面２１１ｄは、基準球面に沿って設けられ、前端面２１１ｅは、基準球面より窪んで設けられる。
【０３２１】
上記によれば、ジョイスティック２１２が設けられる部分（すなわち、前端面２１１ｅ）を、筐体２１１の球面２１１ｄに比べて筐体２１１の中心に近い位置に設けることができる。これによって、ジョイスティック２１２が基準球面より突出する量を抑えることができ、ユーザにとってジョイスティック２１２を操作しやすくすることができる。
【０３２２】
図２８に示すように、本実施形態においては、ジョイスティック２１２の先端部２５２ｂは、上記基準球面に重なる位置に設けられる。換言すれば、先端部２５２ｂは、筐体２１１の中心からの距離が上記半径距離となる位置に設けられる。このとき、ジョイスティック２１２の操作面２５２ｃは、基準球面に沿った位置（より具体的には、基準球面よりやや外側の位置）に設けられる。
【０３２３】
上記によれば、先端部２５２ｂの厚さ（例えば、３ｍｍ〜１０ｍｍ）に応じた差はあるものの、ジョイスティック２１２を操作する指が上記球面とほぼ同じ位置に配置される。したがって、ユーザは、ジョイスティック２１２を操作する指を球面上に置いているような感覚で球状コントローラ２００を把持することができるので、ジョイスティック２１２をより操作しやすくなる。
【０３２４】
図２８に示すように、本実施形態においては、先端部２５２ｂは、ジョイスティック２１２が操作されている状態と操作されていない状態とのいずれにおいても、基準球面に重なる位置に位置する。換言すれば、先端部２５２ｂは、ジョイスティック２１２が操作されている状態と操作されていない状態とのいずれにおいても、筐体２１１の中心からの距離が上記半径距離となる位置に設けられる。なお、本実施形態においては、軸部２５２が可動範囲内のいずれの傾倒角度にある状態においても、先端部２５２ｂは、基準球面に重なる位置に位置する。これによれば、ユーザは、軸部２５２の傾倒状態にかかわらず、ジョイスティック２１２を操作する指を球面上に置いているような感覚でジョイスティック２１２を操作することができる。これによって、ジョイスティック２１２の操作感をより向上することができる。
【０３２５】
（加速度センサの配置について）
図２７に示すように、本実施形態においては、球状コントローラ２００は、筐体２１１の中心付近に設けられる慣性センサ（例えば、加速度センサ２４７）を備える。これによれば、慣性センサは、上下方向、左右方向、および前後方向の３軸方向について等しい条件で検出を行うことができる。これによって、慣性センサによる検出精度を向上することができる。
【０３２６】
（充電池の配置について）
図２７に示すように、本実施形態においては、充電池２４４は、筐体２１１の内部に設けられ、具体的には、筐体２１１の中心Ｃから充電池２４４までの距離が、筐体２１１の中心から振動部２７１までの距離よりも短くなる位置に設けられる。このように、充電池２４４は、筐体２１１の中心付近に設けられる。これによって、コントローラ本体部２０１の外部からの衝撃が充電池２４４へ伝達することを低減することができ、その結果、充電池２４４を安全に保護することができる。
【０３２７】
なお、本実施形態においては、メイン基板保持部２４５においては、メイン基板保持部２４５を中部分筐体２２２と接続するためのネジを通す孔が設けられる（図１９参照）。ここで、これらの孔は、充電池２４４を収納する枠部２４５ａの外側に設けられる。そのため、本実施形態においては、コントローラ本体部２０１の外部からの衝撃が充電池２４４へ伝達することをより低減することができる。
【０３２８】
（振動部の配置について）
本実施形態においては、球状コントローラ２００は、下記の構成を備える。
・球状の筐体２１１
・筐体２１１の内部に設けられ、振動を発生して当該筐体２１１を振動させる振動部２７１
・筐体２１１の内部であって、振動部よりも当該球状の筐体の中心に近い位置に設けられる慣性センサ（具体的には、加速度センサ２４７）
・押し下げることが可能であって、筐体２１１の中心Ｃに関して振動部２７１の反対側（具体的には、筐体２１１の中心Ｃと振動部２７１とを通る直線に垂直であって中心Ｃを含む平面（すなわち、ｘｚ平面）を基準として、筐体２１１において振動部２７１の反対側）であって当該筐体２１１上の位置に設けられる操作面２１３を有する操作部
・操作部への操作に関する情報および慣性センサから出力される情報を外部に送信する送信部（後述する通信部３２３）
なお、「筐体２１１の中心Ｃに関して振動部２７１の反対側の位置」とは、振動部２７１の中心と筐体２１１の中心とを通る直線に垂直であって当該筐体２１１の中心を含む平面（すなわち、ｘｚ平面）を基準として、当該振動部２７１と反対側の位置を意味する。
【０３２９】
なお、上記において、「（慣性センサが）振動部よりも球状の筐体の中心に近い位置に設けられる」とは、筐体２１１の中心Ｃから慣性センサまでの距離が、当該中心Ｃから振動部２７１までの距離よりも短い位置に設けられることを意味し、より具体的には、慣性センサの下端から筐体２１１の中心Ｃまでの距離が、振動部２７１の上端から筐体２１１の中心Ｃまでの距離よりも短いことを意味する。
【０３３０】
上記の構成によれば、慣性センサを筐体２１１の中心付近に配置することによって、上述のように、慣性センサによる検出精度を向上することができる。また、慣性センサを振動部２７１から離して配置することによって、慣性センサは振動部２７１による振動の影響を受けにくくなる。これによって、慣性センサによる検出精度を向上することができる。また、操作部と振動部２７１とを筐体２１１の中心に関して反対側に配置することによって、振動部２７１の振動が操作部に伝わりにくくすることができる。これによって、操作部に対する操作が振動の影響を受けにくくなり、操作部に対する操作の操作性を向上することができる。
【０３３１】
上記「操作部」は、本実施形態においては、操作面２１３が押し下げられたことに応じて動くことが可能な可動部（具体的には、キートップ２３５）を有する構成である。すなわち、本実施形態においては、上記可動部を含む入力デバイスである。ただし、上記「操作部」は、任意の入力デバイスであってよい。例えば、他の実施形態においては、操作部は、ジョイスティック２１２と同様のアナログスティックであってもよいし、十字キーであってもよいし、押下ボタンであってもよい。
【０３３２】
また、本実施形態においては、球状コントローラ２００は、キートップ２３５を含む第１入力デバイスを上記操作部として備えるとともに、第１入力デバイスの他に第２入力デバイス（具体的には、ジョイスティック２１２）を備える構成であった。ここで、他の実施形態においては、球体コントローラ２００は、第１入力デバイスを備え、第２入力デバイスを備えていない構成であってもよい。例えば、他の実施形態においては、本実施形態における操作面２１３の位置に開口（すなわち、上記開口２１１ａと同様の開口）が設けられ、上記操作部として、当該開口からジョイスティック２１２が露出するように設けられてもよい。このとき、球状コントローラ２００は操作面２１３およびキートップ２３５を備えていない構成であってもよい。
【０３３３】
また、球体コントローラ２００が、上記操作部としての第１入力デバイスと、上記第２入力デバイスとを備える場合、第１入力デバイスと第２入力デバイスとは、同じ種類の入力デバイスであってもよいし、本実施形態のように異なる種類の入力デバイスであってもよい。例えば、他の実施形態においては、球状コントローラ２００は、筐体２１１上において、上記操作面２１３と、当該操作面２１３とは異なる位置に２つ目の操作面とを有していてもよい。このとき、球状コントローラ２００は、上記操作部として、キートップ２３５を含む第１入力デバイスを備えるとともに、当該第１入力デバイスと同じ種類の第２入力デバイス（すなわち、上記２つ目の操作面が押し下げられたことに応じて動くことが可能なキートップを含む入力デバイス）を備えていてもよい。
【０３３４】
上記「外部へ送信する」とは、本実施形態においては、本体装置２へ送信することであるが、任意の装置へ送信することであってよい（後述する“［３．変形例］”参照）。
【０３３５】
図２７に示すように、振動部２７１は、筐体２１１の中心Ｃと下端Ｂとの間に設けられる。振動部２７１は、筐体２１１の中心Ｃよりも下側に配置される。ここで、本実施形態においては、振動部２７１は、筐体２１１の中心Ｃよりも上側に配置される各構成要素（具体的には、キートップ２３５、キーラバー２３６、サブ基板２３７、サブ基板保持部２３８、充電池２４４、および、ジョイスティック２１２）よりも重い。また、振動部２７１は、当該各構成要素の重量の和よりも重くてもよい。
【０３３６】
上記より、本実施形態においては、球状コントローラ２００（具体的には、コントローラ本体部２０１）の重心位置は、筐体２１１の中心Ｃと当該筐体２１１の表面における下端Ｂとの間に位置する。なお、本実施形態においては、筐体２１１の下端Ｂを、筐体２１１の表面のうちの接地部位と言うことができる。なお、「重心位置が中心Ｃと下端Ｂとの間に位置する」とは、通信Ｃと下端Ｂとを結ぶ直線の方向（すなわち、上下方向）に関する重心の位置が、当該方向に関する中心Ｃの位置と、当該方向に関する下端Ｂの位置との間となることを意味する。つまり、重心位置は、中心Ｃと下端Ｂとを結ぶ線分上に位置する必要はない。したがって、他の実施形態においては、筐体２１１の下端Ｂが必ずしも接地部位とならなくてもよく、下端Ｂからずれた位置が接地部位となってもよい。
【０３３７】
上記によれば、球状であるコントローラ本体部２０１を、外力を加えない状態で水平面に載置した場合には、コントローラ本体部２０１は、下端Ｂが水平面に接する姿勢で載置される。換言すれば、コントローラ本体部２０１は、外力が加えられない状態で水平面に載置された場合、方向入力における下方向（すなわち、上記「方向入力における上方向」の反対方向）と、重力方向とが実質的に一致する姿勢で載置される。また、ユーザが、筐体２１１のうちで下端Ｂとは異なる位置が接触する姿勢でコントローラ本体部２０１を水平面に載置した場合には、コントローラ本体部２０１は、自動的に（換言すれば、自然に）姿勢を変えて接地部位（すなわち、下端Ｂ）が水平面に接する姿勢となる。
【０３３８】
ここで、コントローラ本体部２０１は、球状であることから、コントローラ本体部２０１の外形形状からのみでは上下の向きがユーザにとって認識しづらくなるおそれがある。これに対して、本実施形態によれば、ユーザは、コントローラ本体部２０１を水平面に載置することで上下の向きを確認することができるので、球状コントローラ２００の上下の向きをユーザにとってわかりやすくすることができる。
【０３３９】
なお、本実施形態においては、上記各構成要素よりも重い振動部２７１を用いて、球状コントローラ２００の重心位置を調整することができる。具体的には、筐体２１１の中心と接地部位との間に振動部２７１を設けることによって、重心位置を当該中心よりも下方に配置することができる。このように、本実施形態においては、錘を用いなくても球状コントローラ２００の重心位置を設定することができるので、球状コントローラ２００の構成を簡易化することができる。
【０３４０】
なお、本実施形態においては、コントローラ本体部２０１の重心位置は、筐体２１１の中心Ｃに関して振動部２７１側に位置する、と言うこともできる。すなわち、コントローラ本体部２０１の重心位置は、筐体２１１の中心Ｃと振動部２７１の中心とを通る直線（すなわち、上下方向の直線）に垂直であって当該中心Ｃを含む平面（すなわち、ｘｚ平面）よりも振動部２７１側に位置する。他の実施形態においては、コントローラ本体部２０１の重心位置は、筐体２１１の中心Ｃと下端Ｂとを結ぶ線分上でなくてもよく、上記平面よりも振動部２７１側となる任意の位置であってもよい。これによっても本実施形態と同様、ユーザは、コントローラ本体部２０１を水平面に載置することで上下の向きを確認することができる。
【０３４１】
本実施形態においては、上記接地部位は、筐体２１１においてジョイスティック２１２が設けられる位置とは異なる位置であって、当該筐体２１１の中心に関して、操作面２１３と反対側の位置である。ここで、「筐体２１１の中心に関して操作面２１３の反対側の位置」とは、操作面２１３の中心と筐体２１１の中心とを通る直線に垂直であって当該筐体２１１の中心を含む平面（すなわち、ｘｚ平面）を基準として、当該操作面２１３と反対側の位置を意味する。なお、振動部２７１は、操作面２１３から筐体２１１の中心へと延びる直線の延長線上に設けられる、と言うこともできる。
【０３４２】
上記によれば、コントローラ本体部２０１が外力が加えられない状態で水平面に載置された場合には、操作面２１３が上向きとなる姿勢でコントローラ本体部２０１が載置される。これによれば、コントローラ本体部２０１が水平面に載置された場合において操作面２１３の位置がユーザにわかりやすくなる。また、上記によれば、操作面２１３が水平面に接触する可能性が低くなる。そのため、操作面２１３が水平面に当たってしまった結果、ユーザが意図しないにもかかわらず当該操作面２１３が操作されてしまう可能性を低減することができる。また、コントローラ本体部２０１が外力が加えられない状態で水平面に載置された場合に、操作面２１３を操作可能な姿勢でコントローラ本体部２０１が載置されるので、操作面２１３に対する操作を行いやすくすることができる。
【０３４３】
本実施形態においては、振動部２７１は、筐体２１１の内壁のうちで、接地部位の裏側となる部位に対向する位置に設けられる（図２７参照）。これによれば、コントローラ本体部２０１の重心位置を接地部位に近づけることができるので、外力を加えない状態でコントローラ本体部２０１を水平面に載置した際に、コントローラ本体部２０１が接地部位で接地する状態で安定しやすくなる。
【０３４４】
本実施形態においては、球状コントローラ２００は、筐体２１１の内部に設けられる充電池２４４と、上記接地部位とは異なる位置に設けられ、充電池２４４に電気的に接続される充電端子２４９とを備える。これによれば、外力が加えられない状態でコントローラ本体部２０１を水平面に載置した場合に充電端子２４９が下向きにならないので、ユーザは充電端子２４９を見つけやすくなり、また、充電端子２４９に充電機器等を接続しやすくなる。このように、本実施形態においては、ユーザにとって球状コントローラ２００の充電を行いやすくすることができ、球状コントローラ２００の利便性を向上することができる。
【０３４５】
また、本実施形態においては、充電端子２４９は、筐体２１１の表面に対して窪んだ位置（すなわち、窪み面２４５ｄ）に設けられる。これによって、コントローラ本体部２０１が載置された床に充電端子２４９が接触する可能性を低減することができる。例えば、床に載置されたコントローラ本体部２０１が転がった場合でも、床に充電端子２４９が接触する可能性が低くなる。
【０３４６】
本実施形態においては、筐体２１１は、当該筐体２１１の裏側に振動部取付部２７３ｂを有し、振動部２７１は、振動部取付部２７３ｂに直接固定される（図２３参照）。これによれば、振動部２７１が筐体２１１（具体的には、下部分筐体２２３）に直接固定されるので、振動部２７１による振動を筐体２１１に対して効率良く伝達することができる。また、コントローラ本体部２０１が水平面に載置される場合には、振動部２７１による振動を筐体２１１を介して水平面にも伝達しやすくすることができる。
【０３４７】
本実施形態においては、振動部２７１は、加速度センサ２４７が設けられるセンサ電子基板（すなわち、メイン基板２４６）と間隔を空けて設けられる（図２７参照）。つまり、振動部２７１は、加速度センサ２４７が設けられる基板とは直接接触しない。これによれば、加速度センサ２４７は振動部２７１による振動の影響を受けにくくなる。したがって、加速度センサ２４７が当該振動を検知することによってコントローラ本体部２０１の加速度を正確に検知することができなくなる可能性を低減することができる。
【０３４８】
本実施形態においては、振動部２７１は、筐体２１１（具体的には、下部分筐体２２３）に直接固定され、加速度センサ２４７が設けられるセンサ電子基板（すなわち、メイン基板２４６）を保持するメイン基板保持部２４５は、当該筐体２１１（具体的には、中部分筐体２２２および下部分筐体２２３）に直接固定される。したがって、振動部２７１は、加速度センサ２４７が設けられる基板に対して間接的に接続され、直接的には接続されない。これによって、加速度センサ２４７が振動部２７１による振動の影響を受けにくくすることができ、加速度センサ２４７がコントローラ本体部２０１の加速度を正確に検知することができなくなる可能性を低減することができる。
【０３４９】
（筐体の後側の構成について）
図２９は、カバー部２１５を外した状態におけるコントローラ本体部の一例の背面図である。図２９に示すように、カバー部２１５の内部には、上述の窪み面２４５ｄが設けられる。なお、図２９においては図示しないが、カバー部２１５は、上述の棒状部２５９が、窪み面２４５ｄに設けられる孔２４５ｆに挿入されることによって、窪み面２４５ｄに取り付けられる。なお、図２９に示すように、中部分筐体２２２のカバー部２１５に隣接する位置には、窪み２２２ａが設けられる。窪み２２２ａは、カバー部２１５を窪み面２４５ｄを覆う状態から取り外す場合に、ユーザが指または爪をカバー部２１５に引っ掛けやすくする目的で設けられるものである。
【０３５０】
また、図２９に示すように、窪み面２４５ｄには、充電端子２４９が設けられる。すなわち、上述したように、充電端子２４９は、窪み面２４５ｄの孔から露出するように設けられる。また、窪み面２４５ｄには、上中部ユニット２９０（具体的には、当該窪み面２４５ｄを有するメイン基板保持部２４５）と、下部ユニット２７０（具体的には、下部分筐体２２３）とをネジで取り付けるための孔２４５ｇが設けられる。
【０３５１】
以上のように、本実施形態においては、球状コントローラ２００は、部分筐体が有する球面状の第１表面（具体的には、下部分筐体２２３の表面）に対して窪んだ位置に設けられる窪み面２４５ｄを有する。窪み面２４５ｄには、上記第１表面を有する下部分筐体２２３と、当該窪み面２４５ｄとを固定するネジが取り付けられる孔２４５ｇが形成される（図２９参照）。また、球状コントローラ２００は、窪み面２４５ｄを覆い、球面状の第２表面を有するカバー部２１５を備える。
【０３５２】
上記のように、本実施形態においては、上中部ユニット２９０と下部ユニット２７０とを接続するためのネジ孔が、カバー部２１５によって覆われる。これによれば、コントローラ本体部２０１を、表面にネジ孔が設けられない構成とすることができる。したがって、本実施形態によれば、コントローラ本体部２０１の外観を球により近い形状とすることができる。
【０３５３】
また、図２９に示すように、ストラップを装着可能なストラップ孔２１１ｃは、筐体２１１の後端に形成される。すなわち、ストラップ孔２１１ｃは、筐体２１１の中心から、筐体２１１の中心からジョイスティック２１２の操作面２５２ｃの中心への方向の反対方向へ延ばした直線上の位置に形成される。これによれば、ジョイスティック２１２に対する操作の邪魔になりにくい位置にストラップを装着することができる。これによって、球状コントローラ２００の操作性を向上することができる。
【０３５４】
また、本実施形態においては、図２９に示す再起動ボタン２１４の操作面は、筐体２１１の表面に対して窪んだ位置に設けられる。これによって、再起動ボタン２１４が誤って操作されてしまう可能性を低減することができる。なお、他の実施形態においては、再起動ボタン２１４の操作面は、筐体２１１の表面に沿って設けられてもよいし、筐体２１１の表面に対して突出して設けられてもよい。
【０３５５】
［２−３．発光に関する構成］
次に、コントローラ本体部２０１における発光に関する構成について説明する。図３０は、コントローラ本体部が発光する様子の一例を示す図である。図３０に示すように、本実施形態においては、ジョイスティック２１２（具体的には、軸部２５２）が筐体２１１の開口２１１ａから露出して設けられ、ジョイスティック２１２の周囲に設けられる拡散シート２５５（ならびに、その後方の周囲部２５６および反射部２５３）が、筐体２１１の外部から視認可能に設けられる。筐体２１１の内部の発光部２４８が発光すると、上述の導光部２５４内を通った光が当該導光部２５４の出射面から出射される。これによって、図３０に示すように、ジョイスティック２１２の周囲が光って見える。なお、図３０においては、ジョイスティック２１２の周囲が発光する様子を斜線で示している。以下、導光部２５４の構成を中心に、コントローラ本体部２０１における発光の詳細について説明する。
【０３５６】
図３１は、導光部の一例を示す斜視図である。また、図３２は、導光部の一例を示す六面図である。ここで、本明細書においては、説明の便宜上、導光部２５４を複数の部分に分けて説明を行うものとし、図３１および図３２においては、各部分の境界となる断面を点線で示している。なお、本実施形態において、導光部２５４は、一体的に形成されており、上記各部分は別体ではない。ただし、他の実施形態においては、導光部２５４の各部分が別体で構成されてもよい。
【０３５７】
上述したように、導光部２５４は、周囲部２５６と、左延伸部２５７ａと、右延伸部２５７ｂとを有する。図３１に示すように、周囲部２５６は、四角形状の板状の形状である。また、左延伸部２５７ａは、周囲部２５６の左側の側面から延びるように設けられ、右延伸部２５７ｂは、周囲部２５６の右側の側面から延びるように設けられる。なお、本実施形態においては、周囲部２５６と左延伸部２５７ａとの境界となる断面を、第３断面Ｓ３とする。
【０３５８】
本実施形態においては、導光部２５４のうちで、前後方向に垂直に設けられる平板状の部分を周囲部２５６とし、当該平板状の部分から後方に湾曲して延びる部分を延伸部２５７とする（図３１参照）。ただし、他の実施形態においては、周囲部２５６は平板状の部分のみで構成されなくてもよいし、全体として平板状でなくてもよい。
【０３５９】
なお、本実施形態においては、導光部２５４は、左右対称に構成される。したがって、右延伸部２５７ｂの構成は、左延伸部２５７ａと左右が反転している点を除いて同じである。そのため、以下においては、左延伸部２５７ａについて詳細に説明し、右延伸部２５７ｂについては詳細な説明を省略する。
【０３６０】
［２−３−１．延伸部］
図３１および図３２に示すように、左延伸部２５７ａは、腕状の形状である。なお、「延伸部が腕状の形状である」とは、少なくとも所定方向について、周囲部２５６よりも延伸部が細い形状であることを意味する。具体的には、本実施形態においては、左延伸部２５７ａは、周囲部２５６よりも上下方向について細くなって延びている。延伸部２５７は、周囲部２５６から延びるにつれて（換言すれば、周囲部２５６から離れるにつれて）、上下方向の幅が次第に細くなる部分を有する形状である。そのため、延伸部２５７は、周囲部２５６に設けられる腕部と言うこともできる。本実施形態においては、左延伸部２５７ａが腕状の形状であるので、筐体２１１の内部において他の構成要素を配置する際に左延伸部２５７ａを邪魔になりにくくすることができる。なお、他の実施形態においては、左延伸部２５７ａは、周囲部２５６から延びるにつれて細くなるように構成されなくてもよく、例えば、周囲部２５６から延びる方向に垂直な断面の断面積が一定であってもよい。
【０３６１】
また、図３１および図３２の（ｄ）に示すように、左延伸部２５７ａは、周囲部２５６から延伸して筐体２１１の内側に向かって反っている。これによって、入射面３０６を周囲部２５６よりも筐体２１１の内側に配置することができる。なお、本実施形態においては、左延伸部２５７ａの全体が筐体２１１の内側に向かって反っている形状であるが、他の実施形態においては、左延伸部２５７ａの一部が筐体２１１の内側に向かって反っている形状であってもよい。すなわち、左延伸部２５７ａは、周囲部２５６から延伸して筐体２１１の内側に向かって反る部分を有する構成であってもよい。
【０３６２】
なお、本実施形態においては、左延伸部２５７ａは、周囲部２５６から延伸して筐体２１１の内側に向かって反る部分を有するとともに、腕状の形状を有する。ただし、他の実施形態においては、左延伸部２５７ａは、当該反る部分を有しない腕状の形状であってもよいし、腕状の形状ではなく、当該反る部分を有する形状であってよい。また、左延伸部２５７ａの形状は任意であり、他の実施形態においては、当該反る部分を有さず、腕状の形状でなくてもよい。
【０３６３】
また、図２２に示すように、左延伸部２５７ａは、左発光部２４８ａに向かって延びるように設けられる。具体的には、本実施形態においては、左延伸部２５７ａの先端部は、左発光部２４８ａの近傍（より具体的には、左発光部２４８ａの上方における近傍）まで延びている。したがって、先端部に設けられる入射面３０６は、左発光部２４８ａの近傍に配置される。これによって、左発光部２４８ａからの光を効率良く受光することができる位置に入射面３０６を配置しやすくすることができる。
【０３６４】
図３１に示すように、左延伸部２５７ａは、第１導光路３０１、第２導光路３０２、および、第３導光路３０３を有する。第１導光路３０１は、左延伸部２５７ａのうちで、図３２に示す入射面３０６から第１断面Ｓ１までの部分である。第２導光路３０２は、左延伸部２５７ａのうちで、第１断面Ｓ１から第２断面Ｓ２までの部分である。第３導光路３０３は、左延伸部２５７ａのうちで、第２断面Ｓ２から第３断面Ｓ３までの部分である。
【０３６５】
上記第１断面Ｓ１は、左延伸部２５７ａの上側の外側面における法線方向が上方向となる位置（図３１に示す位置ｐ）を含み、入射面３０６に対して実質的に垂直な断面である。なお、本実施形態においては、入射面３０６は、上下方向に対して実質的に平行に設けられる。第２断面Ｓ２は、左延伸部２５７ａ内において第１断面Ｓ１と第３断面Ｓ３との間であって、入射面３０６に対して実質的に垂直な断面である。
【０３６６】
第１導光路３０１は、下向きの入射面３０６を有する（図３２参照）。なお、本明細書においては、面の向きとは、当該面の法線方向の向きを指すものとする。本実施形態においては、入射面３０６は、メイン基板２４６上に設けられる左発光部２４８ａに対向する位置に設けられる（図２２参照）。具体的には、入射面３０６は、左発光部２４８ａの上方であって、左発光部２４８ａに対して間隔を空けて設けられる。
【０３６７】
本実施形態においては、左延伸部２５７ａは、突出部３０４を有する。図３１および図３２に示すように、突出部３０４は、入射面３０６の側方（ここでは、右側方）から当該入射面３０６に対して突出する。ここで、突出部３０４の突出量は、左発光部２４８ａの突出量よりも大きい。すなわち、突出部３０４が入射面３０６から突出する長さは、左発光部２４８ａがメイン基板２４６から突出する長さよりも長い。なお、突出部３０４は、メイン基板２４６に接触していてもよいし、接触していなくてもよい。
【０３６８】
したがって、本実施形態においては、仮に導光部２５４が筐体２１１内において移動し、入射面３０６が左発光部２４８ａに近づく方向に移動した場合には、上記突出部３０４がメイン基板２４６に接触し、入射面３０６が左発光部２４８ａに接触しなくなる。つまり、本実施形態においては、仮に入射面３０６を左発光部２４８ａに近づく方向へ動かした場合、当該入射面３０６が当該左発光部２４８ａに接触する前にメイン基板２４６に接触する接触部としての役割を、上記突出部３０４が果たすことになる。これによれば、何らかの理由で筐体２１１内において導光部２５４がずれてしまった場合でも、導光部２５４が発光部２４８に接触して発光部２４８を傷つけてしまう可能性を低減することができる。
【０３６９】
図３１および図３２に示すように、第１導光路３０１は、湾曲した棒状の形状である。具体的には、第１導光路３０１は、入射面３０６から、前側に曲がりながら上方向に延びている。換言すれば、第１導光路３０１は、入射面３０６から上方向に延びながら前方向に向かって湾曲する形状を有する。そのため、第１導光路３０１の側面（すなわち、入射面３０６と第１断面Ｓ１とを連結する面）のうちで上側の側面における内壁面３０７は、前方であって下方を向く（後述する図３３参照）。なお、第１導光路３０１の断面積（具体的には、第１導光路３０１の側面の法線方向に平行な断面における断面積。換言すれば、入射面３０６から第１断面Ｓ１へ延びる方向に対して垂直な断面における断面積）は、ほぼ一定である。また、当該断面は、入射面３０６と実質的に同じ四角形である。
【０３７０】
図３１および図３２に示すように、第２導光路３０２は、湾曲した棒状の形状である。具体的には、第２導光路３０２は、第１断面Ｓ１から、やや下側に曲がりながら前方向に延びている。換言すれば、第２導光路３０２は、第１断面Ｓ１から前方向に延びながら下方向に向かって湾曲する形状を有する。そのため、第２導光路３０２の側面（すなわち、第１断面Ｓ１と第２断面Ｓ２とを連結する面）のうちで上側の側面における内壁面３０８は、下方であって後方を向く（後述する図３３参照）。なお、第２導光路３０２の断面積（具体的には、第２導光路３０２の側面の法線方向に平行な断面における断面積。換言すれば、第１断面Ｓ１から第２断面Ｓ２へ延びる方向に対して垂直な断面における断面積）は、ほぼ一定である。また、当該断面は、入射面３０６と実質的に同じ四角形である。
【０３７１】
図３１および図３２に示すように、第３導光路３０３は、前方に延びるにつれて上下方向の幅が広くなる形状である。第３導光路３０３は、前側が広くなった板状の形状であると言うことができる。また、第３導光路３０３は、前方へ延びるにつれて右側へ曲がっている。
【０３７２】
また、第３導光路３０３には、孔２５７ｃが形成される。孔２５７ｃは、板状の第３導光路３０３を、左右方向（前後方向と言うこともできる）に貫通する孔である。図３１に示すように、本実施形態においては、孔２５７ｃは、後側が尖った形状である。
【０３７３】
図３３は、左延伸部内を光が通過する様子の一例を模式的に示す図である。なお、本明細書において「模式的に示す」とは、説明対象となる構成要素（例えば、図３３においては左延伸部）を見やすくする目的で、当該構成要素の大きさおよび形状や、構成要素間の位置関係を、他の図面とは異なるようにして示すことを意味する。なお、本実施形態においては、左延伸部２５７ａは、入射面３０６から前方に延びるとともに右側に曲がっているが、図３３においては、上下方向および前後方向に関する光の進み方を説明する目的で、左右方向に関する光の曲がりを無視して（換言すれば、左延伸部２５７ａが左右方向に曲がっていないものと仮定して）説明を行う。
【０３７４】
図３３に示すように、左発光部２４８ａから発せられた光は、入射面３０６を介して左延伸部２５７ａの第１導光路３０１の内部に進入する（図３３に示す矢印参照）。なお、図３３においては、点線の矢印によって光の進行方向を示しているが、左延伸部２５７ａ内における光の進行方向は、一様ではなく、図３３に示す点線の矢印とは異なる方向に進む光もある。
【０３７５】
入射面３０６から入射した光は、第１導光路３０１の内部においては概ね上方向に進む。ここで、第１導光路３０１の上側の内壁面３０７においては、法線方向（図３３に示す矢印参照）は、前方であって下方を向く（より具体的には、上に向かうにつれて次第に下方を向く）。したがって、上記内壁面３０７に光が反射する場合、反射した光は、前側に（換言すれば、前方向に近づくように）進行方向を変化させる（図３３に示す点線の矢印を参照）。なお、第１導光路３０１は９０°湾曲している（換言すれば、入射面３０６と第１断面Ｓ１とが実質的に垂直である）ので、第１導光路３０１の入射面３０６から入射した光のほとんどは、上記内壁面３０７のどこかの位置で反射して進行方向を変化させる。以上のように、第１導光路３０１においては、入射面３０６から入射した光は、大略的には、上方向から前方向へ進行方向を変えながら第１導光路３０１内を進む。そして、第１導光路３０１内の光は、第１断面Ｓ１を介して第２導光路３０２に進入する。
【０３７６】
第２導光路３０２においては、第１断面Ｓ１から進入した光は、概ね前方向に進む。ここで、第２導光路３０２の上側の内壁面３０８は、法線方向（図３３に示す矢印参照）が下方であって後方を向く。したがって、上記内壁面３０８に光が反射する場合、反射した光は、下側に（換言すれば、下方向に近くなるように）進行方向を変化させる（図３３に示す点線の矢印を参照）。このように、第２導光路３０２においては、第１断面Ｓ１から入射した光は、大略的には前方向に進み、一部の光は、上記内壁面３０８に反射し、下側へ進行方向を変えて第２導光路３０２内を進む。そして、第２導光路３０２内の光は、第２断面Ｓ２を介して第３導光路３０３に進入する。
【０３７７】
第３導光路３０３においては、上下方向の幅が広がっているので、第２断面Ｓ２よりも上下方向に長い第３断面Ｓ３から光が出射される。ここで、第３導光路３０３には孔２５７ｃが設けられる。そのため、孔２５７ｃの周となる内壁面に反射した光は、孔２５７ｃの上側または下側に進行方向を変化させる（図３３に示す点線の矢印を参照）。第３導光路３０３内を進行する光は、孔２５７ｃの上側を通過する光と、孔２５７ｃの下側を通過する光とに分けられ、第３断面Ｓ３を介して周囲部２５６に進入する。なお、図３３においては、第３断面Ｓ３に対して垂直な方向を向く点線の矢印を示しているが、第３断面Ｓ３を通過する光の進行方向は当該矢印の方向に限らない。
【０３７８】
ここで、左延伸部２５７ａのように、湾曲する導光路内を光が進む場合、湾曲する導光路の外側を進む光の量が、内側を進む光の量よりも多くなる。そのため、仮に第２導光路３０２において上側の内壁面３０８が後方を向かない（すなわち、真下方向を向くか、あるいは、前方を向く）ように構成されるとすれば、第３導光路３０３の上側を進む光が多くなり、下側を進む光が少なくなる。その結果、第３断面Ｓ３の上側から多くの光が周囲部に進入し、第３断面Ｓ３の下側からは少しの光のみが周囲部２５６に進入する。このとき、周囲部２５６の出射面においては、上側と下側で発光量が異なってしまう。その結果、出射面の上側のみが強く光ってしまい、出射面を均一に発光させることができない可能性がある。
【０３７９】
これに対して、本実施形態においては、第２導光路３０２における上側の内壁面３０８は、下方であって後方を向くように構成される。これによって、第３導光路３０３において下側を進む光を増加させることができるので、周囲部２５６の出射面における下側からの発光量を増加させることができる。
【０３８０】
なお、第２導光路３０２における上側の内壁面３０８が下方であって後方を向く場合、第３導光路３０３において下側を進行する光が多くなる結果、上側を進行する光が相対的に少なくなるおそれがある。これに対して、本実施形態においては、第３導光路３０３において孔２５７ｃが設けられる。これによって、第３導光路３０３内において孔２５７ｃの上側の内壁面に反射した光は、上側へ進行方向を変えるので、第３導光路３０３における上側を進行する光を確保することができる。したがって、本実施形態においては、第３断面Ｓ３の上側と下側とから均一に光を周囲部２５６に進入させることができる結果、出射面を均一に発光させることができる。
【０３８１】
［２−３−２．周囲部］
図３１および図３２に示すように、周囲部２５６には、周囲部２５６を前後方向に貫通する孔２５６ａが形成される。本実施形態においては、周囲部２５６の表面（すなわち、前側の面）のうち、孔２５６ａの周囲の領域がコントローラ本体部２０１の外部から視認可能となるので、当該領域が出射面となる。
【０３８２】
図３４は、周囲部２５６の裏側面の一例を示す図である。図３４に示すように、周囲部２５６の裏側面（すなわち、後側の面）には、切り欠き（具体的には、スリット３０９）が形成される。本実施形態においては、スリット３０９は、孔２５６ａから所定距離内となる環状の領域に形成される。具体的には、スリット３０９は、上下方向に延びる直線状の溝である。詳細は後述するが、スリット３０９は、出射面から出射される光を増加させる目的で設けられる。
【０３８３】
図３５は、周囲部の断面の一例を模式的に示す断面図である。なお、図３５は、上下方向に垂直な断面の一部を示す断面図である。図３５に示すように、第３断面Ｓ３から周囲部２５６に進入した光は、出射面２５６ｂから出射される。具体的には、第３断面Ｓ３から周囲部２５６に進入した光のうち、前方に進む光は、そのまま（すなわち、反射せずに）出射面２５６ｂから出射される（図３５に示す点線の矢印Ａ参照）。一方、第３断面Ｓ３から周囲部２５６に進入した光のうち、後方に進む光は、裏側面２５６ｃに反射する。ここで、本実施形態においては、裏側面２５６ｃにスリット３０９（図３４および図３５におけるスリット３０９ａおよび３０９ｂ）が形成される。そのため、第３断面Ｓ３から周囲部２５６に進入した光のうち、後方に進む光は、スリット３０９に反射することによって、前方に反射しやすくなる（図３５に示す点線の矢印ＢおよびＣ参照）。したがって、スリット３０９を設けることによって、出射面２５６ｂから出射される光を増加させることができる。
【０３８４】
上記のように、本実施形態においては、周囲部２５６は、入射面に入射されて延伸部２５７を介して導光された光は、出射面２５６ｂの裏側面２５６ｃによって出射面２５６ｂの方へ反射する。すなわち、周囲部２５６は、周囲部２５６における出射面２５６ｂの裏側に、入射面に入射されて延伸部２５７を介して導光された光を出射面２５６ｂの方へ反射する反射面を有すると言うことができる。球状コントローラ２００は、この反射面によって出射面から出射される光を増加させることができる。なお、他の実施形態においては、反射面には、必ずしも切り欠きが設けられなくてもよい。切り欠きが設けられない場合であっても、反射面は、光を出射面２５６ｂの方へ反射する機能を有している。
【０３８５】
また、本実施形態においては、上記反射面には、１以上の切り欠き（具体的には、スリット３０９）が形成される。これによって、反射面において反射して出射面２５６ｂから出射される光を増加させることができる。なお、本実施形態においては、上記切り欠きとして、直線状のスリット３０９が複数形成されるが、切り欠きの形状および数は任意である。例えば、他の実施形態においては、上記切り欠きは、ドット状の切り欠き（具体的には、断面が半円となる半球形の切り欠き）であってもよく、ドット状の切り欠きが反射面において複数形成されてもよい。
【０３８６】
なお、本実施形態においては、周囲部２５６の左右両側に延伸部２５７ａおよび２５７ｂが設けられるので、周囲部２５６においては、左右両側から光が進入し、当該光が出射面２５６ｂから出射される。
【０３８７】
ここで、スリット３０９は、入射面に入射されて延伸部２５７を介して周囲部２５６に導光された光の進行方向（ここでは、左右方向）と交差する向きに形成される。具体的には、延伸部２５７は、周囲部２５６の外側側面における所定部分（すなわち、左右の端部）から延びており、スリット３０９は、周囲部２５６の中心から当該所定部分への方向に垂直な方向（すなわち、上下方向）の成分を有する向きに形成される。これによれば、延伸部２５７からの光をスリット３０９に効率良く反射させることができ、その結果、出射面２５６ｂから出射される光を増加させることができる。
【０３８８】
なお、本実施形態においては、スリット３０９は、周囲部２５６の側面に平行な方向（具体的には、上下方向）に実質的に平行に延びるように形成されたが、他の実施形態においては、周囲部２５６の側面に対して垂直な直線（すなわち、左右方向に延びる直線）と交わる任意の向きに形成されてもよい。換言すれば、スリット３０９は、上下方向の成分を有する任意の向きに延びるように形成されてもよい。例えば、スリット３０９は、斜め上方向に延びるように形成されてもよい。これによっても本実施形態と同様、出射面２５６ｂから出射される光を増加させることができる。
【０３８９】
本実施形態においては、図３４および図３５に示すように、出射面のうちの外側領域に設けられるスリット３０９ａの間隔は、内側領域に設けられるスリット３０９ｂの間隔よりも広い。なお、外側領域とは、出射面のうちで、延伸部（より正確には、周囲部２５６の左右に設けられる延伸部２５７ａおよび２５７ｂのうちで近い方の延伸部）に近い領域であり、具体的には、当該延伸部から所定距離内となる領域である。本実施形態においては、周囲部２５６の左右両側に延伸部が設けられるので、周囲部２５６の表面のうちで左右の辺の付近の領域が外側領域となる。内側領域は、出射面のうちで、左右２つの外側領域に挟まれる領域である。
【０３９０】
したがって、本実施形態においては、周囲部２５６の左右の延伸部２５７ａおよび２５７ｂから離れた内側領域においては、延伸部２５７ａおよび２５７ｂのいずれか一方に近い外側領域よりも、スリット３０９が形成される密度が高い。ここで、内側領域は、外側領域に比べて延伸部からの光が到達しにくいので、仮に内側領域と外側領域とでスリット３０９の密度を同じにすると、外側領域からの方が内側領域よりも光が多く出射される。その結果、外側領域と内側領域とで発光量が異なり、出射面を均一に発光させることが難しくなる。これに対して、本実施形態においては、内側領域のスリット３０９ｂの密度を外側領域のスリット３０９ａの密度よりも高くすることによって、スリット３０９ｂで反射して出射面２５６ｂから出射される光（図３５に示す矢印Ｃ参照）を、スリット３０９ａで反射して出射面２５６ｂから出射される光（図３５に示す矢印Ｂ参照）に対して増加させる。これによって、外側領域の発光量と内側領域の発光量とを近づけることができ、出射面を均一に発光させやすくなる。
【０３９１】
以上のように、本実施形態においては、反射面は、切り欠きが第１の間隔で形成される第１領域（具体的には、スリット３０９ｂが形成される領域）と、切り欠きが当該第１の間隔よりも狭い第２の間隔で形成される第２領域（具体的には、スリット３０９ａが形成される領域）とを含む。これによって、出射面から出射される光の量を領域毎に調整することができる。さらに、本実施形態においては、第２領域から延伸部２５７までの距離は、第１領域から延伸部２５７までの距離よりも短い。これによって、球状コントローラ２００は、出射面を均一に発光させやすくなる。
【０３９２】
なお、本実施形態においては、周囲部２５６において切り欠きが形成される密度は、上記第１領域と第２領域との２段階に分けられた。ここで、他の実施形態においては、周囲部２５６において切り欠きが形成される密度は、３段階以上に分けられてもよい。また、他の実施形態においては、上記密度が連続的に変化するようにスリットが形成されてもよい。なお、上記密度が３段階以上に分けられる態様においては、互いに密度が異なる３つ以上の領域のうちの１つが上記第１領域に相当し、他の１つが上記第２領域に相当する。また、上記密度が連続的に変化する態様においては、密度がある値となる位置（換言すれば、領域）が上記第１領域に相当し、密度が当該ある値よりも低い値となる位置が上記第２領域に相当する。つまり、「反射面は、第１領域と、第２領域とを含む」とは、上記密度が３段階以上に分けられる態様と、上記密度が連続的に変化する態様とを含む意味である。
【０３９３】
また、図３５においては図示しないが、本実施形態においては、周囲部２５６の裏側面（換言すれば、筐体２１１の内側を向く面）には白色の反射部２５３が設けられる（図１９参照）。したがって、白色の反射部２５３によって、周囲部２５６の裏側面から周囲部２５６の後方に透過する光、および、反射部２５３に吸収される光を減少することができる。その結果、出射面２５６ｂから出射される光を増加することができる。
【０３９４】
図３６は、発光部における発光素子の配置の一例を示す図である。本実施形態においては、図３６に示すように、左発光部２４８ａは、３つの発光素子（例えば、ＬＥＤ）３１１〜３１３を含む。各発光素子３１１〜３１３は、互いに異なる色の光を発する。具体的には、発光素子３１１は赤色の光を発し、発光素子３１２は緑色の光を発し、発光素子３１３は青色の光を発する。左発光部２４８ａの各発光素子３１１〜３１３からの光は、それぞれ入射面３０６を介して導光部２５４内を進み、出射面２５６ｂから出射される。このとき、各発光素子３１１〜３１３による各色の光が混合されて出射面２５６ｂから出射されるので、混色された光が出射面２５６ｂから出射される。これによって、球状コントローラ２００は、様々な色の光を発することができる。
【０３９５】
本実施形態においては、左発光部２４８ａは、各発光素子３１１〜３１３が入射面３０６の横方向に沿って並んで配置されるように設けられる（図３６参照）。ここで、入射面の横方向とは、四角形の入射面における２つの辺の方向のうちで、コントローラ本体部２０１における左右方向に近い方の方向である。なお、本実施形態においては、入射面の横方向は、コントローラ本体部２０１における左右方向と一致していないが、他の実施形態においては、入射面の横方向は、コントローラ本体部２０１における左右方向と一致していてもよい。
【０３９６】
ここで、本実施形態においては、導光部２５４の左延伸部２５７ａは、上記入射面３０６の横方向から見て湾曲する形状を有している（図３５参照）。そのため、仮に入射面３０６の縦方向（すなわち、入射面３０６の横方向に垂直な方向）に並んで各発光素子３１１〜３１３が配置されるとすれば、各発光素子３１１〜３１３による各色の光は、入射面３０６の縦方向について異なる位置から入射されやすくなる。このとき、各色の光は、第２導光路３０２および第３導光路３０３における上下方向に関して異なる経路を通りやすくなるので、左延伸部２５７ａ内において十分に混合されない。その結果、第３断面Ｓ３における上側と下側とで異なる色の光が出射され、周囲部２５６における出射面２５６ｂにおいても発光される光の色が上側と下側とで異なって見える可能性がある。
【０３９７】
これに対して、本実施形態においては、各発光素子３１１〜３１３は、入射面３０６の横方向に並んで配置される。つまり、各発光素子３１１〜３１３は、入射面３０６の縦方向についてはほぼ同じ位置に配置されるので、各発光素子３１１〜３１３による各色の光は、第２導光路３０２および第３導光路３０３における上下方向に関して同じ経路を通りやすくなり、その結果、周囲部２５６における出射面２５６ｂにおいて発光される光の色が上側と下側とで異なって見える可能性を低減することができる。
【０３９８】
なお、図３６においては、左発光部２４８ａにおける各発光素子３１１〜３１３に関する配置について説明したが、右発光部２４８ｂにおける各発光素子に関する配置も左発光部２４８ａと同様である。すなわち、右発光部２４８ｂは、赤色、緑色、および青色の光を発する３つの発光素子を含み、３つの発光素子は、右延伸部２５７ｂの入射面における横方向に並んで配置される。これによって、右発光部２４８ｂからの光が出射面２５６ｂから発光される場合に、光の色が上側と下側とで異なって見える可能性を低減することができる。
【０３９９】
［２−３−３．発光に関する構成］
以上のように、本実施形態においては、球状コントローラ２００は、下記の構成を備える。
・開口２１１ａが形成される筐体２１１
・少なくとも一部が開口２１１ａから露出する操作部（具体的には、ジョイスティック２１２）
・筐体２１１の内部に設けられ、光を発生する発光部２４８
・発光部２４８から発生した光が入射される入射面（例えば、入射面３０６）と、当該入射面に入射された光を筐体２１１の外部へ出射する出射面（すなわち、出射面２５６ｂ）とを有する導光部２５４
ここで、導光部は、出射面を有し、操作部の周りを囲むように設けられる周囲部２５６と、周囲部２５６から延伸して設けられ、先端部（より具体的には、周囲部２５６に連続する側と反対側の端部）に入射面を有する延伸部２５７とを有する。
【０４００】
上記の構成によれば、導光部２５４が延伸部２５７を備えることによって、出射面とは異なる位置に入射面を配置することができる。これによって、発光部２４８の配置に関する自由度を向上することができる。例えば、操作部から離れた位置に発光部を配置することも可能となる。
【０４０１】
なお、上記「（周囲部が）操作部の周りを囲むように設けられる」とは、周囲部が操作部の全周を完全に囲む態様に限らず、操作部の周りにおいて隙間が形成されて周囲部が設けられる態様を含む意味である。また、上記「（周囲部が）操作部の周りを囲むように設けられる」とは、周囲部と操作部との間隔を規定する意味ではなく、周囲部と操作部とが接触している態様と、周囲部と操作部とが接触していない態様との両方を含む意味である。
【０４０２】
本実施形態においては、延伸部２５７は、湾曲する部分（例えば、第１導光路３０１および第２導光路３０２）を有しているが、屈折する部分を有する構成であってもよい。つまり、延伸部２５７は、湾曲する部分と屈折する部分との少なくともいずれか一方を有する構成であってもよい。これによれば、出射面とは異なる位置に入射面を配置することができるので、発光部の配置に関する自由度を向上することができる。
【０４０３】
本実施形態においては、入射面は、出射面が向く方向（すなわち、前方向）と反対の方向とは異なる方向（すなわち、下方向）を向く（図３２参照）。換言すれば、入射面は、出射面が向く方向に対して平行以外の方向を向く。入射面は、当該入射面に沿った平面が出射面に沿った平面と交わる向きに設けられる、とも言うことができる。また、入射面は、当該入射面の法線方向（すなわち、下方向）と、出射面の法線方向（すなわち、前方向）とのなす角が１８０度以外の角度となる向きに設けられる、とも言うことができる。具体的には、本実施形態においては、出射面は、入射面に対して実質的に垂直に設けられる。すなわち、本実施形態においては、出射面は前方向を向くのに対して、入射面は下方向を向いて設けられる。なお、他の実施形態においては、入射面は、必ずしも出射面に対して実質的に垂直に設けられる必要はない。例えば、他の実施形態においては、当該入射面の法線方向は、出射面の法線方向に対して４５°の向きであってもよいし、１２０°の向きであってもよい。
【０４０４】
上記によれば、発光部２４８を配置する向きの自由度を向上することができる。例えば、本実施形態のように前方向に光を出射する場合において、上方向に光を出射するように発光部２４８を配置することができる。
【０４０５】
本実施形態においては、球状コントローラ２００は、発光部２４８が設けられる電子基板（すなわち、メイン基板２４６）を備え、当該電子基板は、筐体２１１の内部において、出射面とは異なる向き（すなわち、上向き）を向いて設けられる（図１９参照）。具体的には、本実施形態においては、電子基板は、出射面に対して実質的に垂直に設けられる。このように、発光部２４８が電子基板に設けられる場合には、上記導光部によって、電子基板の配置の自由度を向上することができる。本実施形態においては、出射面は前方向を向くのに対して、電子基板は上下方向を向くように設けることができる。
【０４０６】
本実施形態においては、延伸部２５７は、周囲部２５６の外周（具体的には、左右の側面）から、当該外周よりも外側に向かう方向であって、筐体２１１の内側に向かう方向へ延びる（図１９および図３１参照）。換言すれば、延伸部２５７は、周囲部２５６の外周から、当該外周よりも外側へ延びるとともに、筐体２１１の内側に向かう方向へ延びる。これによれば、周囲部２５６の裏側（換言すれば、出射面の裏側）に、発光部２４８とは異なる部品を配置することができる。本実施形態においては、周囲部２５６の裏側には、ジョイスティック２１２の土台部２５１が設けられる。このように、本実施形態によれば、筐体２１１内における部品の配置の自由度をより向上することができる。
【０４０７】
本実施形態においては、延伸部２５７は、下記（ａ）〜（ｃ）の部分を有する。
（ａ）入射面から、当該入射面の向きに垂直となる当該延伸部の断面（例えば、第１断面Ｓ１）までの第１導光部分（例えば、第１導光路３０１）
（ｂ）第１導光部分に連続する第２導光部分（例えば、第２導光路３０２）
（ｃ）一端が第２導光部分に連続し、他端が周囲部に連続し、当該一端から当該他端に向かうにつれて、入射面の向きに平行な方向（すなわち、上下方向）についての幅が広がっている第３導光部分（例えば、第３導光路３０３）
また、第２導光部分は、入射面の向きとは反対側の壁面（すなわち、上側の壁面）において、上記断面とのなす内角が９０°未満となる壁面（例えば、図３３に示す内壁面３０８）を有する。
【０４０８】
上記の構成によれば、第２導光部分における上記壁面によって、入射面の向きと同じ側に光の進行方向を変化させることができる。これによって、第３導光部分から周囲部に進入する光を、入射面の向きに平行な方向に関して均一に近づけることができる。
【０４０９】
本実施形態においては、延伸部２５７には、入射面から入射された光の経路を変化させることが可能な孔（例えば、孔２５７ｃ）が形成される。この孔によって、延伸部２５７から周囲部２５６に進入する光の経路を調整することができる。さらに、本実施形態においては、上記孔は、延伸部２５７のうちで、入射面に垂直な方向についての幅が周囲部２５６に近づくにつれて広がった導光部分（例えば、第３導光路３０３）を有する。これによれば、上記孔によって、上記導光部分を進行する光を、当該孔の一方側を通過する光と、他方側を通過する光とに分けることができる。その結果、第３導光部分から周囲部に進入する光を均一に近づけることができる。
【０４１０】
なお、本実施形態においては、上記導光部分に形成される上記孔（例えば、孔２５７ｃ）は、周囲部２５６から遠い側の端部が、先端に近づくにつれて細くなる形状である（図３３参照）。これによれば、当該孔の壁面に反射した光が入射面の方へ進む可能性を低減することができる。その結果、出射面から出射される光の量を増加させることができる。
【０４１１】
本実施形態においては、筐体２１１は、上記導光部分に形成される上記孔（例えば、孔２５７ｃ）に係合する係合部（例えば、図１９に示す爪部２４３ｂ）を有する。これによれば、上記孔によって、第３導光部分から周囲部に進入する光を均一に近づけることができるとともに、筐体２１１に対して導光部２５４の位置がずれる可能性を低減することができる。
【０４１２】
本実施形態においては、球状コントローラ２００は、発光部２４８として、第１発光部（すなわち、左発光部２４８ａ）と、当該第１発光部とは異なる位置に設けられる第２発光部（すなわち、右発光部２４８ｂ）とを備える。また、導光部２５４は、延伸部２５７として、第１延伸部（すなわち、左延伸部２５７ａ）と、第２延伸部（すなわち、右延伸部２５７ｂ）とを有する。第１延伸部は、周囲部２５６から延伸して設けられ、第１発光部に対向する位置に第１入射面（すなわち、入射面３０６）が設けられる。第２延伸部は、周囲部２５６から延伸して設けられ、第２発光部に対向する位置に第２入射面が設けられる（図２２参照）。このように、本実施形態においては、２つの発光部のそれぞれに対応する延伸部を設け、２つの延伸部からの光を１つの出射面から出射させることができるので、出射面から出射される光の量を増加させることができる。
【０４１３】
本実施形態においては、上記第１延伸部は、周囲部２５６の所定方向における一方側（具体的には、左側）から延伸して設けられ、第２延伸部は、当該周囲部２５６の当該所定方向における他方側（具体的には、右側）から延伸して設けられる。これによれば、出射面からの出射される光に偏りが生じる可能性を低減することができる。
【０４１４】
本実施形態においては、第１延伸部および前記第２延伸部は、操作部（すなわち、ジョイスティック２１２）を挟んで設けられる（図１９参照）。すなわち、第１延伸部および前記第２延伸部は、当該第１延伸部と当該第２延伸部との間に操作部が位置するように設けられる。これによれば、筐体２１１内において延伸部と操作部とを効率良く配置することができる。例えば、本実施形態においては、ジョイスティック２１２を避けつつ、他の構成要素の邪魔になりにくい位置に延伸部２５７を配置することができる。
【０４１５】
本実施形態においては、球状コントローラ２００は、出射面の少なくとも一部に重なるように当該出射面上に設けられ、出射面から出射される光を拡散する拡散部（具体的には、拡散シート）を備える。これによって、出射面から出射される光を均一に近づけることができる。例えば、本実施形態においては、出射面の裏側に設けられるスリット３０９の部分がスリット３０９以外の他の部分に比べて明るく見える可能性があるが、拡散部によって、この可能性を低減することができる。
【０４１６】
本実施形態においては、発光部２４８は、第１色の光を発生する第１発光素子と、前記第１色とは異なる第２色の光を発生する第２発光素子とを有する。導光部２５４は、入射面に入射された第１色の光と第２色の光とが混合された光を出射面から出射する。したがって、球状コントローラ２００は、出射面から出射する光の色のバリエーションを増加させることができる。なお、本実施形態においては、１つの発光部２４８は、３つの発光素子を有する構成であるが、他の実施形態においては、１つの発光部２４８は、２以上の任意の数の発光素子を有していてもよいし、１つの発光素子のみを有していてもよい。
【０４１７】
本実施形態においては、延伸部２５７は、所定方向（すなわち、入射面の横方向）から見て湾曲する部分（屈折する部分でもよい）を有する。このとき、上記第１発光素子および上記第２発光素子は、上記所定方向に並んで配置される。これによれば、出射面から出射される色が出射面の位置によって異なって見える可能性を低減することができる。
【０４１８】
［２−４．ストラップ部の構成］
次に、図８および図９を参照して、ストラップ部２０２について説明する。図８および図９に示すように、ストラップ部２０２は、ストラップ紐４０１を有する。ストラップ紐４０１は、ロープ状あるいはベルト状の紐状部材であり、環状に構成される。ストラップ紐４０１は、コントローラ本体部２０１をユーザが把持する時に、ストラップ部２０２を手首に通すために用いられる。
【０４１９】
本実施形態においては、ストラップ部２０２は、コントローラ本体部２０１に対して固定的に取り付けられる。詳細は後述するが、コントローラ本体部２０１の内部には、ストラップ取付軸（すなわち、図２０のストラップ取付軸２４５ｃ）が設けられる。また、図１０の（ｆ）に示すように、コントローラ本体部２０１の筐体２１１の表面には、ストラップ孔２１１ｃが設けられる。ストラップ紐４０１は、上記ストラップ取付軸にストラップ紐４０１を通した状態で、ストラップ孔２１１ｃから筐体２１１の外側に延びるように設けられる。これによって、本実施形態においては、ストラップ部２０２をコントローラ本体部２０１に対して固定的に装着することができる。本実施形態によれば、ストラップ部２０２をコントローラ本体部２０１に対して強固に装着することができる。
【０４２０】
なお、他の実施形態においては、球状コントローラ２００は、ストラップ部を着脱可能に取り付けることが可能な構成であってもよい。例えば、他の実施形態においては、上記ストラップ取付軸に対してストラップ紐が着脱可能に取り付けられてもよい。
【０４２１】
図８および図９に示すように、ストラップ部２０２は調整部４０３を有する。調整部４０３は、ストラップ紐４０１による輪の大きさを調整するための部材である。具体的には、調整部４０３には２つの孔が設けられ、各孔にはストラップ紐４０１が通される。調整部４０３は、ストラップ紐４０１のうちで調整部４０３の孔を通る部分を押圧することによって、ストラップ紐４０１を調整部４０３に対して固定する。これによって、調整部４０３を基準として、コントローラ本体部２０１に取り付けられる側とは反対側におけるストラップ紐４０１によって輪が形成される。ユーザは、球状コントローラ２００を使用する際、この輪に手を通した状態でコントローラ本体部２０１を把持する。
【０４２２】
ここで、本実施形態においては、調整部４０３は、調整ボタン４０３ａを有している（図９参照）。調整部４０３の具体的な機構は任意であるが、本実施形態においては、調整部４０３は、調整ボタン４０３ａが押下されていない状態において、ストラップ紐４０１のうちで上記孔を通る部分を押圧し、調整ボタン４０３ａが押下されている状態において、ストラップ紐４０１を押圧しない。したがって、ユーザは、調整ボタン４０３ａを押下した状態では、ストラップ紐４０１に対して調整部４０３を容易に移動させることができ、調整ボタン４０３ａが押下されない状態では、ストラップ紐４０１に対して調整部４０３を固定する（換言すれば、移動させにくくする）ことができる。
【０４２３】
以上より、ユーザは、ストラップ紐４０１によって形成される輪の大きさを調整することができる。例えば、ユーザは、コントローラ本体部２０１を把持する手の手首からストラップ部２０２が外れないように、ストラップ紐４０１による輪の大きさを、調整部４０３を用いて調整する。
【０４２４】
図８および図９に示すように、ストラップ部２０２は指掛部４０４を有する。指掛部４０４は、リング状の一部が切り欠かれた形状を有する。指掛部４０４は、ストラップ紐４０１に取り付けられる。具体的には、指掛部４０４は、ストラップ紐４０１のうちで、コントローラ本体部２０１に取り付けられる部分と、調整部４０３に取り付けられる部分との間に設けられる。なお、指掛部４０４は、上記２つの部分の間で移動可能に取り付けられる。
【０４２５】
ユーザは、コントローラ本体部２０１を把持する手のうちのいずれかの指（例えば、中指または薬指）を上記指掛部４０４に通す。これによって、ユーザが誤ってコントローラ本体部２０１から手を離してしまった場合でも、指掛部４０４に指が掛かっていることによって、コントローラ本体部２０１が手から離れる可能性を低減することができる。
【０４２６】
［２−５．電気的構成］
図３７は、球状コントローラ２００の電気的な接続関係を示すブロック図である。図３７に示すように、球状コントローラ２００は、制御部３２１を備える。制御部３２１は、メイン基板２４６に設けられる。制御部３２１は、プロセッサと、データを記憶するメモリとを有している。本実施形態においては、制御部３２１は、本体装置２との通信処理を制御したり、図３７に示す各電気的構成要素に対する電力供給を制御したりする。なお、メモリには、制御動作に用いられるデータが記憶されてもよいし、本体装置２において実行される、球状コントローラ２００を用いたアプリケーション（例えば、ゲームアプリケーション）において用いられるデータが記憶されてもよい。
【０４２７】
制御部３２１は、球状コントローラ２００が備える入力手段に電気的に接続される。本実施形態においては、球状コントローラ２００は、入力手段として、上記ジョイスティック２１２、検知回路３２２、上記加速度センサ２４７、および、上記ボタン検知部２５８を備える。検知回路３２２は、上述の操作面２１３に対する操作が行われた場合にキーラバー２３６が接点２３７ａに接触したことを検知する検知回路である。制御部３２１は、入力手段に対して行われた操作に関する情報（換言すれば、データ）を各入力手段から取得する。
【０４２８】
制御部３２１は、通信部３２３に電気的に接続される。通信部３２３は、上述のアンテナ２９１を含み、本体装置２との無線通信を行う。すなわち、制御部３２１は、通信部３２３を用いて（換言すれば、通信部３２３を介して）本体装置２に対して情報（換言すればデータ）を送信したり、通信部３２３を用いて本体装置２から情報（換言すればデータ）を受信したりする。例えば、制御部３２１は、ジョイスティック２１２、検知回路３２２、および加速度センサ２４７から取得された情報を、通信部３２３を介して本体装置２へ送信する。なお、本実施形態においては、通信部３２３（および／または、制御部３２１）は、ジョイスティック２１２に対する操作に関する情報を本体装置２へ送信する送信部として機能する。また、通信部３２３（および／または、制御部３２１）は、操作面２１３に対する操作に関する情報を本体装置２へ送信する送信部として機能する。また、通信部３２３（および／または、制御部３２１）は、加速度センサ２４７から出力される情報を本体装置２へ送信する送信部として機能する。本実施形態においては、通信部３２３は、本体装置２との間で、Ｂｌｕｅｔｏｏｔｈ（登録商標）の規格に従った通信を行う。  
【０４２９】
なお、他の実施形態においては、通信部３２３は、無線通信に代えて、本体装置２と有線通信を行うものであってもよい。また通信部３２３は、本体装置２と無線通信を行う機能と、有線通信を行う機能との両方の機能を有していてもよい。
【０４３０】
制御部３２１は、球状コントローラ２００が備える出力手段に電気的に接続される。本実施形態においては、球状コントローラ２００は、出力手段として、上記振動部２７１および上記発光部２４８を備える。制御部３２１は、出力手段による動作を制御する。例えば、制御部３２１は、上記入力手段から取得される情報を参照することによって、当該入力手段に対する操作に応じて、出力手段による動作を制御してもよい。例えば、制御部３２１は、操作面２１３が押下されたことに応じて、振動部２７１を振動させたり、発光部２４８を発光させたりしてもよい。また例えば、制御部３２１は、上記通信部３２３を介して本体装置２から受信された情報に基づいて、出力手段による動作を制御してもよい。すなわち、制御部３２１は、本体装置２からの制御指令に従って、振動部２７１を振動させたり、発光部２４８を発光させたりしてもよい。また、本体装置２は、振動部２７１を振動させるための波形を示す信号を球状コントローラ２００へ送信し、制御部３２１は、当該波形に従って振動部２７１を振動させるようにしてもよい。すなわち、通信部３２３のアンテナ２９１は、振動部２７１を振動させるための信号を外部（すなわち、本体装置２）から受信し、振動部２７１は、アンテナ２７１によって受信された信号に基づいて振動してもよい。なお、本実施形態においては、振動部２７１は、音を出力することが可能なボイスコイルモータであるので、制御部３２１は、上記波形に従って振動部２７１から音を出力することも可能である。
【０４３１】
制御部３２１は、充電池２４４に電気的に接続される。制御部３２１は、充電池２４４から各入力手段、各出力手段、および、通信部に対する電力供給を制御する。なお、充電池２４４は、各入力手段、各出力手段、および、通信部に対して直接接続されていてもよい。本実施形態においては、制御部３２１は、ボタン検知部２５８から取得された情報（すなわち、再起動ボタン２１４が押下されているか否かを示す情報）に基づいて上記電力供給を制御する。具体的には、再起動ボタン２１４が押下されている場合（換言すれば、押下されている間）、充電池２４４から各入力手段、各出力手段、および、通信部に対する電力供給を停止する。また、制御部３２１は、再起動ボタン２１４が押下されていない場合（換言すれば、押下されていない間）、充電池２４４から各入力手段、各出力手段、および、通信部に対する電力供給を行う。このように、本実施形態においては、再起動ボタン２１４は、球状コントローラ２００を再起動（換言すれば、リセット）するための指示を行うためのボタンである。再起動ボタン２１４は、球状コントローラ２００を電源のオンオフを制御する指示を行うためのボタンであると言うこともできる。
【０４３２】
また、充電池２４４は、上述の充電端子２４９に電気的に接続される。充電端子２４９は、図示しない充電機器（例えば、ＡＣアダプタ等）を接続するための端子である。本実施形態においては、充電端子２４９は、ＵＳＢコネクタ（より具体的には、メス側コネクタ）である。本実施形態においては、商用電源が供給されている充電機器が充電端子２４９に電気的に接続される場合、充電端子２４９を介して充電池２４４に電力が供給され、それによって充電池２４４が充電される。
【０４３３】
［３．変形例］
（ジョイスティックに関する変形例）
上記実施形態においては、球状コントローラ２００は、方向入力部として、傾けることが可能な軸部を有するジョイスティックを備える構成であった。ここで、他の実施形態においては、球状コントローラ２００は、方向入力部として、方向入力を行うことが可能な任意の入力デバイスを備えていてもよい。例えば、上記実施形態における変形例においては、方向入力部は、スライド可能なスライド部を有する入力デバイス（具体的には、スライドスティック）であってもよい。つまり、球状コントローラ２００は、スライド可能なスライド部を有し、少なくとも一部が開口２１１ａから露出する方向入力部を備えていてもよい。上記変形例によれば、ユーザは、外形形状が球状のゲームコントローラを用いて、スライド部をスライドさせる方向入力操作を行うことができる。これによって、上記変形例においても上記実施形態と同様、外形形状が球状のゲームコントローラの利便性を向上することができる。また、他の実施形態においては、方向入力部は、十字キーであってもよい。なお、本実施形態においては、傾けることが可能な軸部を有するジョイスティックを用いることによって、筐体２１１の開口２１１ａを小さくすることができる。これによって、コントローラ本体部２０１の外観を球により近い形状とすることができる。
【０４３４】
（ゲームコントローラの形状に関する変形例）
上記実施形態においては、外形形状が球状となるゲームコントローラ（すなわち、球状コントローラ２００）を例として説明した。ここで、他の実施形態においては、ゲームコントローラの外形形状は任意の形状であってもよい。例えば、上述の導光部２５４によってゲームコントローラの外部へ光を出射する構成は、任意の形状のゲームコントローラに適用することができる。つまり、外形形状が球状ではない任意のゲームコントローラにおいて上記導光部を用いる場合であっても、上記実施形態と同様、発光部の配置に関する自由度を向上することができるという効果を奏する。
【０４３５】
（通信に関する変形例）
上記実施形態においては、球状コントローラ２００は、情報（例えば、ジョイスティックへの操作に関する情報、および、操作面への操作に関する情報）を外部に送信する送信部（すなわち、通信部３２３）を備える。ここで、「外部に情報を送信する」とは、ほん対装置２に限らず、球状コントローラ２００とは異なる任意の他の装置に情報を送信する態様を含む。すなわち、上記実施形態における変形例においては、球状コントローラ２００は、本体装置２とは異なる他の種類の情報処理装置と通信を行うことが可能であってもよい。例えば、球状コントローラ２００は、スマートフォンおよび／またはタブレットと無線通信を行うことが可能であってもよいし、本体装置２とは異なる他の種類の携帯ゲーム機と無線通信を行うことが可能であってもよい。また、球状コントローラ２００は、他のゲームコントローラ（例えば、上述の左コントローラ３または右コントローラ４）と通信を行ってもよい。このとき、球体コントローラ２００からの情報は、当該他のゲームコントローラを介して情報処理装置（例えば、本体装置２）へ送信されてもよい。なお、上記変形例において、球状コントローラ２００と他の装置との通信は、無線通信であってもよいし、有線通信であってもよい。
【０４３６】
（コントローラに関する変形例）
上記実施形態においては、ゲーム用途で用いられるゲームコントローラの一例として球状コントローラ２００について説明した。ここで、球状コントローラ２００は、ゲーム用途に限らず、他の用途に用いられるものであってもよい。例えば、本体装置２においてゲームプログラムとは異なる情報処理プログラム（例えば、ブラウザ）が実行される場合において、球状コントローラ２００は、当該情報処理プログラムに関する操作を行うために用いられるコントローラ（換言すれば、操作装置）であってもよい。
【産業上の利用可能性】
【０４３７】
上記実施形態は、例えば、略球状のコントローラにおいて構成要素を適切に配置すること等を目的として、例えばゲームコントローラ等に利用することができる。
【符号の説明】
【０４３８】
２  本体装置
２００  球状コントローラ
２０１  コントローラ本体部
２０２  ストラップ部
２１１  筐体
２１１ａ  開口
２１２  ジョイスティック
２１３  操作面
２１４  再起動ボタン
２１５  カバー部
２２１  上部分筐体
２２２  中部分筐体
２２３  下部分筐体
２３５  キートップ
２３７  サブ基板
２４１  正面部
２４２  左帯状部
２４３  右帯状部
２４４  充電池
２４５  メイン基板保持部
２４６  メイン基板
２４７  加速度センサ
２４８  発光部
２４９  充電端子
２５２  軸部
２５３  反射部
２５４  導光部
２５５  拡散シート
２５６  周囲部
２５７  延伸部
２７１  振動部
２９１  アンテナ
【図１】
2019202117.tif 000003
【図２】
2019202117.tif 000004
【図３】
2019202117.tif 000005
【図４】
2019202117.tif 000006
【図５】
2019202117.tif 000007
【図６】
2019202117.tif 000008
【図７】
2019202117.tif 000009
【図８】
2019202117.tif 000010
【図９】
2019202117.tif 000011
【図１０】
2019202117.tif 000012
【図１１】
2019202117.tif 000013
【図１２】
2019202117.tif 000014
【図１３】
2019202117.tif 000015
【図１４】
2019202117.tif 000016
【図１５】
2019202117.tif 000017
【図１６】
2019202117.tif 000018
【図１７】
2019202117.tif 000019
【図１８】
2019202117.tif 000020
【図１９】
2019202117.tif 000021
【図２０】
2019202117.tif 000022
【図２１】
2019202117.tif 000023
【図２２】
2019202117.tif 000024
【図２３】
2019202117.tif 000025
【図２４】
2019202117.tif 000026
【図２５】
2019202117.tif 000027
【図２６】
2019202117.tif 000028
【図２７】
2019202117.tif 000029
【図２８】
2019202117.tif 000030
【図２９】
2019202117.tif 000031
【図３０】
2019202117.tif 000032
【図３１】
2019202117.tif 000033
【図３２】
2019202117.tif 000034
【図３３】
2019202117.tif 000035
【図３４】
2019202117.tif 000036
【図３５】
2019202117.tif 000037
【図３６】
2019202117.tif 000038
【図３７】
2019202117.tif 000039
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
球状の筐体と、
前記筐体の内部に設けられ、振動を発生して当該筐体を振動させる振動部と、
前記筐体の内部であって、当該筐体の中心からの距離が当該筐体の中心から前記振動部までの距離よりも短い位置に設けられる慣性センサと、
押し下げることが可能であって、前記筐体の中心に関して前記振動部の反対側であって当該筐体上の位置に設けられる操作面を有する操作部と、
前記操作部への操作に関する情報および前記慣性センサから出力される情報を外部に送信する送信部とを備える、ゲームコントローラ。
【請求項２】
前記ゲームコントローラの重心位置は、前記筐体の中心と当該筐体の表面における所定部位との間に位置する、請求項１に記載のゲームコントローラ。
【請求項３】
前記振動部は、前記筐体の中心と前記所定部位との間に設けられる、請求項２に記載のゲームコントローラ。
【請求項４】
前記振動部は、前記筐体の内壁のうちで、前記所定部位の裏側となる部位に対向する位置に設けられる、請求項２または請求項３に記載のゲームコントローラ。
【請求項５】
前記ゲームコントローラは、
前記筐体の内部に設けられる充電池と、
前記所定部位とは異なる位置に設けられ、前記充電池に電気的に接続される端子とを備える、請求項２から請求項４のいずれか１項に記載のゲームコントローラ。
【請求項６】
前記ゲームコントローラは、
前記筐体の内部に設けられる充電池と、
前記筐体の表面に対して窪んだ位置に設けられ、前記充電池に電気的に接続される端子とを備える、請求項１から請求項４のいずれか１項に記載のゲームコントローラ。
【請求項７】
前記振動部は、前記操作部の前記操作面の中心から前記筐体の中心へと延びる直線の延長線上に設けられる、請求項１から請求項６のいずれか１項に記載のゲームコントローラ。
【請求項８】
前記筐体は、当該筐体の表面の裏側に取付部を有し、
前記振動部は、前記取付部に直接固定される、請求項１から請求項７のいずれか１項に記載のゲームコントローラ。
【請求項９】
前記コントローラの重心位置は、前記筐体の中心に関して前記振動部側に位置する、請求項８に記載のゲームコントローラ。
【請求項１０】
前記振動部は、入力される信号に応じて音声を発生する、請求項８または請求項９に記載のゲームコントローラ。
【請求項１１】
前記ゲームコントローラは、
前記慣性センサが設けられるセンサ電子基板を備え、
前記振動部は、前記センサ電子基板と間隔を空けて設けられる、請求項１から請求項１０のいずれか１項に記載のゲームコントローラ。
【請求項１２】
前記ゲームコントローラは、
前記慣性センサが設けられるセンサ電子基板と、
前記センサ電子基板を保持する基板保持部とを備え、
前記振動部は、前記筐体に直接固定され、
前記基板保持部は、前記筐体に直接固定される、請求項１から請求項１０のいずれか１項に記載のゲームコントローラ。
【請求項１３】
前記振動部は、円柱状の外形形状を有する、請求項１から請求項１２のいずれか１項に記載のゲームコントローラ。
【請求項１４】
前記送信部は、アンテナを有し、
前記筐体の中心と前記操作部の前記操作面の中心とを通る直線に平行な方向に関する前記アンテナの位置は、当該方向に関する当該筐体の中心の位置と、当該方向に関する当該操作面の位置との間となる、請求項１から請求項１３のいずれか１項に記載のゲームコントローラ。
【請求項１５】
前記操作部は、
当該操作部の前記操作面が押し下げられたことに応じて動く可動部を有し、
前記送信部は、アンテナを有し、
前記ゲームコントローラは、
前記可動部の動きに応じて前記操作部の前記操作面に対する押し下げ操作を検知するための接点と、前記アンテナとが設けられる電子基板を備える、請求項１から請求項１３のいずれか１項に記載のゲームコントローラ。
【請求項１６】
前記送信部は、アンテナを有し、
前記筐体は、半球状の第１部分筐体と、半球状の第２部分筐体とを有し、
前記操作部は、前記第１部分筐体に設けられ、
前記アンテナは、前記第１部分筐体の内部に設けられる、請求項１から請求項１３のいずれか１項に記載のゲームコントローラ。
【請求項１７】
前記操作部は、第１入力デバイスであり、
前記ゲームコントローラは、
前記第１入力デバイスとは異なる位置に設けられ、当該第１入力デバイスと同じまたは異なる種類の入力デバイスである第２入力デバイスを備え、
前記第１入力デバイスは、前記筐体の中心および当該第１入力デバイスの操作面の中心を通る直線と、当該筐体の中心および前記第２入力デバイスの操作面の中心を通る直線とが実質的に直交する位置に設けられ、
前記アンテナは、前記筐体の中心と前記第２入力デバイスの操作面の中心とを通る直線に垂直であって当該中心を含む平面よりも前記第２入力デバイス側に設けられる、請求項１４から請求項１６のいずれか１項に記載のゲームコントローラ。
【請求項１８】
前記操作部は、第１入力デバイスであり、
前記ゲームコントローラは、
前記第１入力デバイスとは異なる位置に設けられ、当該第１入力デバイスと同じまたは異なる種類の入力デバイスである第２入力デバイスを備え、
前記第１入力デバイスは、前記筐体の上端部に設けられ、
前記第２入力デバイスは、前記筐体の前端部に設けられ、
前記送信部は、アンテナを有し、
前記アンテナは、前記筐体の中心より前側かつ上側に設けられる、請求項１４から請求項１６のいずれか１項に記載のゲームコントローラ。
【請求項１９】
前記送信部は、アンテナを有し、
前記筐体は、第１半球部と、第２半球部とを有し、
前記操作部は、前記第１半球部に設けられ、
前記アンテナは、前記第１半球部の内部に設けられる、請求項１から請求項１３のいずれか１項に記載のゲームコントローラ。
【請求項２０】
前記操作部は、第１入力デバイスであり、
前記ゲームコントローラは、
前記第１入力デバイスとは異なる位置に設けられ、当該第１入力デバイスと同じまたは異なる種類の入力デバイスである第２入力デバイスを備え、
前記送信部は、アンテナを有し、
前記アンテナは、前記第１入力デバイスの操作面の中心と前記第２入力デバイスの操作面の中心と前記筐体の中心とを通る断面の円形状領域のうちで、当該第１入力デバイスの操作面の中心および当該筐体の中心を通る線分と、当該第２入力デバイスの操作面の中心および当該筐体の中心を通る線分とを半径とし、中心角が劣角となる扇形の領域に、当該アンテナの少なくとも一部が配置されるように設けられる、請求項１から請求項１３のいずれか１項に記載のゲームコントローラ。
【請求項２１】
前記操作部は、
当該操作部の前記操作面が押し下げられたことに応じて動くことが可能な可動部を有し、
前記可動部の動きに応じて前記操作部の前記操作面に対する操作を検知する検知部を備える、請求項１から請求項２０のいずれか１項に記載のゲームコントローラ。
【請求項２２】
前記操作部の前記操作面は、前記筐体の表面と一体的に形成される、請求項２１に記載のゲームコントローラ。
【請求項２３】
前記操作部の前記操作面と、前記筐体の表面のうちの当該操作面の周囲の部分とは、弾性体によって構成され、
前記筐体は、前記弾性体によって構成される表面の内側に設けられ、当該弾性体よりも硬い内壁部を有する、請求項２２に記載のゲームコントローラ。
【請求項２４】
前記可動部は、前記筐体内において当該筐体および前記操作部の前記操作面に覆われる、請求項２１から請求項２３のいずれか１項に記載のゲームコントローラ。
【請求項２５】
前記可動部は、前記筐体の中心と前記操作部の前記操作面の中心とを結ぶ直線に実質的に垂直な回転軸で回動可能であり、
前記検知部は、前記可動部の回動に応じて前記操作部の前記操作面に対する操作を検知する、請求項２１から請求項２４のいずれか１項に記載のゲームコントローラ。
【請求項２６】
前記筐体および／または前記操作部の前記操作面には、当該操作面の位置を示す標識が設けられる、請求項１から請求項２５のいずれか１項に記載のゲームコントローラ。
【請求項２７】
前記操作部の前記操作面は、球面状の形状である、請求項１から請求項２６のいずれか１項に記載のゲームコントローラ。
【請求項２８】
前記筐体にはボタン孔が形成され、
前記操作部の前記操作面は、前記ボタン孔から露出する、請求項１から請求項１９のいずれか１項に記載のゲームコントローラ。
【請求項２９】
前記ゲームコントローラは、
当該ゲームコントローラを再起動するための再起動ボタンを備え、
前記再起動ボタンの操作面は、前記筐体の表面に対して窪んだ位置に設けられる、請求項１から請求項２８のいずれか１項に記載のゲームコントローラ。
【請求項３０】
前記筐体は、互いに接続される複数の部分筐体を含み、
前記複数の部分筐体のうち少なくとも１つは、球面状の第１表面を有し、
前記ゲームコントローラは、
前記第１表面に対して窪んだ位置に設けられる窪み面を備え、
前記窪み面には、前記第１表面を有する部分筐体と、当該窪み面とを固定するネジが取り付けられる孔が形成され、
前記ゲームコントローラは、
前記窪み面を覆い、球面状の第２表面を有するカバー部を備える、請求項１から請求項２９のいずれか１項に記載のゲームコントローラ。
【請求項３１】
前記ゲームコントローラは、
前記筐体の内部に設けられる充電池を備え、
前記充電池は、前記筐体の中心から当該充電池までの長さが、当該筐体の中心から前記振動部までの長さよりも短くなる位置に設けられる、請求項１から請求項４のいずれか１項に記載のゲームコントローラ。
【請求項３２】
半球状の第１部分筐体、半球状の第２部分筐体、および、前記第１部分筐体と前記第２部分筐体との間に位置する球帯状の第３部分筐体を有する球状の筐体と、
前記半球状の第１部分筐体の頂点部分に設けられる操作面を有する操作ボタンと、
前記球帯状の第３部分筐体上に設けられるジョイスティックとを備え、
前記球帯状の第３部分筐体は、
前記ジョイスティックの周りを囲む環状部と、
前記環状部から所定方向に向かって延びる帯状の第１帯状部と、
前記環状部から前記所定方向と反対の方向に向かって延びる帯状の第２帯状部とを有する、ゲームコントローラ。